(57)【要約】本願は、複数の送信形態をサポートするための通信方法、通信装置、およびシステムを提供する。この方法は、ＰＭＩおよびＲＩを送るステップを含み、ＰＭＩおよびＲＩは、コードブック内のプリコーディング行列を示すために使用され、プリコーディング行列のランクは１より大きく、コードブックは、第１のタイプのプリコーディング行列、第２のタイプのプリコーディング行列、および第３のタイプのプリコーディング行列のうちの少なくとも２つのタイプを含み、第１のタイプのプリコーディング行列内の任意の行列の各列ベクトルは、１つだけの非ゼロ要素を含み、いずれか２つの列ベクトル内の非ゼロ要素は、異なる行内に位置し、第２のタイプのプリコーディング行列内の任意の行列の少なくとも１つの列ベクトルは、少なくとも１つのゼロ要素および少なくとも２つの非ゼロ要素を含み、第３のタイプのプリコーディング行列内の任意の行列内の各要素は、非ゼロ要素であり、第３のタイプのプリコーディング行列内の任意の行列のいずれか２つの列ベクトルは、互いに直交する。
2021503239.tif 000002
【特許請求の範囲】
【請求項１】
通信方法であって、
プリコーディング行列インジケータＰＭＩおよびランクインジケーションＲＩを決定するステップと、
前記ＰＭＩおよび前記ＲＩを送るステップであって、前記ＰＭＩは、前記ＲＩに対応するコードブック内のプリコーディング行列を示すために使用され、前記プリコーディング行列のランクは１より大きい、ステップとを含み、
前記コードブックは、第１のタイプのプリコーディング行列、第２のタイプのプリコーディング行列、および第３のタイプのプリコーディング行列のうちの少なくとも２つのタイプを含み、前記第１のタイプのプリコーディング行列内の任意の行列の各列ベクトルは、１つだけの非ゼロ要素を含み、前記第１のタイプのプリコーディング行列内の任意の行列のいずれか２つの列ベクトル内の非ゼロ要素は、異なる行内に位置し、前記第２のタイプのプリコーディング行列内の任意の行列の少なくとも１つの列ベクトルは、少なくとも１つのゼロ要素および少なくとも２つの非ゼロ要素を含み、前記第３のタイプのプリコーディング行列内の任意の行列内の各要素は、非ゼロ要素であり、前記第３のタイプのプリコーディング行列内の任意の行列のいずれか２つの列ベクトルは、互いに直交する、方法。
【請求項２】
通信方法であって、
プリコーディング行列インジケータＰＭＩおよびランクインジケーションＲＩを受信するステップであって、前記ＰＭＩは、前記ＲＩに対応するコードブック内のプリコーディング行列を示すために使用され、前記プリコーディング行列のランクは１より大きい、ステップと、
前記ＰＭＩおよび前記ＲＩを使用することによって決定された前記プリコーディング行列に基づいて信号をプリコーディングし、プリコーディングされた信号を送るステップとを含み、
前記コードブックは、第１のタイプのプリコーディング行列、第２のタイプのプリコーディング行列、および第３のタイプのプリコーディング行列のうちの少なくとも２つのタイプを含み、前記第１のタイプのプリコーディング行列内の任意の行列の各列ベクトルは、１つだけの非ゼロ要素を含み、いずれか２つの列ベクトル内の非ゼロ要素は、異なる行内に位置し、前記第２のタイプのプリコーディング行列内の任意の行列の少なくとも１つの列ベクトルは、少なくとも１つのゼロ要素および少なくとも２つの非ゼロ要素を含み、前記第３のタイプのプリコーディング行列内の任意の行列内の各要素は、非ゼロ要素であり、前記第３のタイプのプリコーディング行列内の任意の行列のいずれか２つの列ベクトルは、互いに直交する、方法。
【請求項３】
前記第１のタイプのプリコーディング行列は、
【数１】
2021503239.tif 000310
または
Ｗ1との行および／もしくは列変換関係を有する行列、または
【数２】
2021503239.tif 000311
または
Ｗ2との行および／もしくは列変換関係を有する行列、の少なくとも１つを満たす請求項１または２に記載の方法。
【請求項４】
前記第１のタイプのプリコーディング行列は、
【数３】
2021503239.tif 000312
または
Ｗ4との行および／もしくは列変換関係を有する行列、または
【数４】
2021503239.tif 000313
または
Ｗ5との行および／もしくは列変換関係を有する行列、の少なくとも１つを満たす請求項１乃至３のいずれか一項に記載の方法。
【請求項５】
前記第２のタイプのプリコーディング行列は、
【数５】
2021503239.tif 000314
または
Ｗ8との行および／もしくは列変換関係を有する行列、の少なくとも１つを満たし、
φ1∈｛１，−１，ｊ，−ｊ｝、φ2∈｛１，−１，ｊ，−ｊ｝であり、ｊは虚数単位である請求項１乃至４のいずれか一項に記載の方法。
【請求項６】
前記第２のタイプのプリコーディング行列は、
【数６】
2021503239.tif 000315
または
Ｗ9との行および／もしくは列変換関係を有する行列、または
【数７】
2021503239.tif 000316
または
Ｗ10との行および／もしくは列変換関係を有する行列、の少なくとも１つを満たし、
φ1∈｛１，−１，ｊ，−ｊ｝、φ2∈｛１，−１，ｊ，−ｊ｝であり、ｊは虚数単位であり、Ｈ1およびＨ2は、係数行列である請求項１乃至５のいずれか一項に記載の方法。
【請求項７】
【数８】
2021503239.tif 000317
または
【数９】
2021503239.tif 000318
である請求項６に記載の方法。
【請求項８】
【数１０】
2021503239.tif 000319
または
【数１１】
2021503239.tif 000320
である請求項６に記載の方法。
【請求項９】
前記第２のタイプのプリコーディング行列は、
【数１２】
2021503239.tif 000321
または
Ｗ11との行および／もしくは列変換関係を有する行列、の少なくとも１つを満たし、
φ1∈｛１，−１，ｊ，−ｊ｝、φ2∈｛１，−１，ｊ，−ｊ｝であり、ｊは虚数単位である請求項１乃至８のいずれか一項に記載の方法。
【請求項１０】
前記第３のタイプのプリコーディング行列の構造は、
【数１３】
2021503239.tif 000322
または
【数１４】
2021503239.tif 000323
との行および／もしくは列変換関係を有する行列、または
【数１５】
2021503239.tif 000324
または
【数１６】
2021503239.tif 000325
との行および／もしくは列変換関係を有する行列、または
【数１７】
2021503239.tif 000326
または
【数１８】
2021503239.tif 000327
との行および／もしくは列変換関係を有する行列、または
【数１９】
2021503239.tif 000328
におけるいずれか２つもしくは３つの列を含む行列、または
【数２０】
2021503239.tif 000329
との行および／もしくは列変換関係を有する前記行列におけるいずれか２つもしくは３つの列を含む行列、の少なくとも１つを満たし、
α∈｛１，−１，ｊ，−ｊ｝であり、ｊは、虚数単位であり、
【数２１】
2021503239.tif 000330
および
【数２２】
2021503239.tif 000331
は、離散フーリエ変換ＤＦＴベクトルであり、
【数２３】
2021503239.tif 000332
および
【数２４】
2021503239.tif 000333
を満たし、Ｎは、アンテナポート数であり、Ｏ＝２、ｘ1∈｛０，１｝、およびｘ2∈｛０，１｝である請求項１乃至９のいずれか一項に記載の方法。
【請求項１１】
前記第３のタイプのプリコーディング行列は、ＷMを含み、
【数２５】
2021503239.tif 000334
であり、
Ｍはランクであり、Ｍは１より大きい整数であり、Ｎは前記アンテナポート数であり、Ｎ≧Ｍ、およびＮは整数である請求項１乃至１０のいずれか一項に記載の方法。
【請求項１２】
前記第３のタイプのプリコーディング行列は、ＷMを含み、ＷMは、Ｗ0におけるＭ個の列ベクトルを含み、Ｗ0と、１のランクを有するコードブック内の任意のプリコーディング行列ｕとは、以下の数学的変換関係、すなわち
Ｗ0＝Ｉ−２ｕｕH／ｕHｕ
を満たし、
Ｍはランクであり、Ｍは１より大きい整数であり、Ｉは単位行列であり、ｕHは、ｕの共役転置行列である請求項１乃至１１のいずれか一項に記載の方法。
【請求項１３】
前記第３のタイプのプリコーディング行列は、ＷMを含み、ＷMは、１のランクを有する前記コードブック内のＭ個のプリコーディング行列を含み、Ｍはランクであり、Ｍは、１より大きい整数である請求項１乃至１２のいずれか一項に記載の方法。
【請求項１４】
第１のインジケーション情報を送るステップであって、前記第１のインジケーション情報は、使用可能なプリコーディング行列のセットを示し、または前記第１のインジケーション情報は、使用可能なコードブックサブセットを示し、前記コードブックサブセットは、前記第１のタイプのプリコーディング行列、前記第２のタイプのプリコーディング行列、および前記第３のタイプのプリコーディング行列のうちの少なくとも１つのタイプを含む、ステップをさらに含む請求項１および請求項３乃至１３のいずれか一項に記載の方法。
【請求項１５】
第２のインジケーション情報を送るステップであって、前記第２のインジケーション情報は、離散フーリエ変換拡散直交周波数分割多重ＤＦＴ−ｓ−ＯＦＤＭ波形に対応するコードブックのセットを示すために使用される、ステップ、または
第３のインジケーション情報を送るステップであって、前記第３のインジケーション情報は、サイクリックプレフィックス直交周波数分割多重ＣＰ−ＯＦＤＭ波形に対応するコードブックのセットを示すために使用される、ステップをさらに含み、
前記ＤＦＴ−ｓ−ＯＦＤＭ波形に対応するコードブックの前記セットは、少なくとも１つのランクに対応する少なくとも１つのコードブックを含み、前記ＤＦＴ−ｓ−ＯＦＤＭ波形に対応するコードブックの前記セット内の各コードブックは、前記第１のタイプのプリコーディング行列および前記第２のタイプのプリコーディング行列を含み、前記ＣＰ−ＯＦＤＭ波形に対応するコードブックの前記セットは、少なくとも１つのランクに対応する少なくとも１つのコードブックを含み、前記ＣＰ−ＯＦＤＭ波形に対応するコードブックの前記セット内の各コードブックは、前記第１のタイプのプリコーディング行列、前記第２のタイプのプリコーディング行列、および前記第３のタイプのプリコーディング行列のうちの少なくとも２つのタイプを含み、前記第１のタイプのプリコーディング行列内の任意の行列の各列ベクトルは、１つだけの非ゼロ要素を含み、いずれか２つの列ベクトル内の非ゼロ要素は、異なる行内に位置し、前記第２のタイプのプリコーディング行列内の任意の行列の少なくとも１つの列ベクトルは、少なくとも１つのゼロ要素および少なくとも２つの非ゼロ要素を含み、前記第３のタイプのプリコーディング行列内の任意の行列内の各要素は、非ゼロ要素であり、前記第３のタイプのプリコーディング行列内の任意の行列のいずれか２つの列ベクトルは、互いに直交する請求項１および請求項３乃至１３のいずれか一項に記載の方法。
【請求項１６】
第１のインジケーション情報を受信するステップであって、前記第１のインジケーション情報は、使用可能なプリコーディング行列のセットを示し、または前記第１のインジケーション情報は、使用可能なコードブックサブセットを示し、前記コードブックサブセットは、前記第１のタイプのプリコーディング行列、前記第２のタイプのプリコーディング行列、および前記第３のタイプのプリコーディング行列のうちの少なくとも１つのタイプを含む、ステップをさらに含む請求項２乃至１３のいずれか一項に記載の方法。
【請求項１７】
第２のインジケーション情報を受信するステップであって、前記第２のインジケーション情報は、離散フーリエ変換拡散直交周波数分割多重ＤＦＴ−ｓ−ＯＦＤＭ波形に対応するコードブックのセットを示すために使用される、ステップ、または
第３のインジケーション情報を受信するステップであって、前記第３のインジケーション情報は、サイクリックプレフィックス直交周波数分割多重ＣＰ−ＯＦＤＭ波形に対応するコードブックのセットを示すために使用される、ステップをさらに含み、
前記ＤＦＴ−ｓ−ＯＦＤＭ波形に対応するコードブックの前記セットは、少なくとも１つのランクに対応する少なくとも１つのコードブックを含み、前記ＤＦＴ−ｓ−ＯＦＤＭ波形に対応するコードブックの前記セット内の各コードブックは、前記第１のタイプのプリコーディング行列および前記第２のタイプのプリコーディング行列を含み、前記ＣＰ−ＯＦＤＭ波形に対応するコードブックの前記セットは、少なくとも１つのランクに対応する少なくとも１つのコードブックを含み、前記ＣＰ−ＯＦＤＭ波形に対応するコードブックの前記セット内の各コードブックは、前記第１のタイプのプリコーディング行列、前記第２のタイプのプリコーディング行列、および前記第３のタイプのプリコーディング行列のうちの少なくとも２つのタイプを含み、前記第１のタイプのプリコーディング行列内の任意の行列の各列ベクトルは、１つだけの非ゼロ要素を含み、いずれか２つの列ベクトル内の非ゼロ要素は、異なる行内に位置し、前記第２のタイプのプリコーディング行列内の任意の行列の少なくとも１つの列ベクトルは、少なくとも１つのゼロ要素および少なくとも２つの非ゼロ要素を含み、前記第３のタイプのプリコーディング行列内の任意の行列内の各要素は、非ゼロ要素であり、前記第３のタイプのプリコーディング行列内の任意の行列のいずれか２つの列ベクトルは、互いに直交する請求項２乃至１３のいずれか一項に記載の方法。
【請求項１８】
前記第１のインジケーション情報はビットマップであり、前記ビットマップは、少なくとも１つのインジケーションビットを含み、
前記第１のインジケーション情報が使用可能なプリコーディング行列の前記セットを示すとき、各インジケーションビットは、１つのプリコーディング行列に対応しており、各インジケーションビットは、前記対応するプリコーディング行列が使用可能なプリコーディング行列であるかどうかを示し、または
前記第１のインジケーション情報が前記使用可能なコードブックサブセットを示すとき、各インジケーションビットは、１つのコードブックサブセットに対応しており、各インジケーションビットは、前記対応するコードブックサブセット内のプリコーディング行列が使用可能なプリコーディング行列であるかどうかを示す請求項１４または１６に記載の方法。
【請求項１９】
前記第１のインジケーション情報は、上位レイヤシグナリングである請求項１４、１６、または１８のいずれか一項に記載の方法。
【請求項２０】
前記第１のインジケーション情報は、インジケーションフィールドを含み、前記インジケーションフィールドの値は、使用されることになるプリコーディング行列のタイプを示し、第１の値は、前記第１のタイプのプリコーディング行列が使用されることになることを示し、第２の値は、前記第１のタイプのプリコーディング行列および前記第２のタイプのプリコーディング行列が使用されることになることを示し、第３の値は、前記第１のタイプのプリコーディング行列、前記第２のタイプのプリコーディング行列、および前記第３のタイプのプリコーディング行列が使用されることになることを示す請求項１４、１６、１８、または１９のいずれか一項に記載の方法。
【請求項２１】
通信方法であって、
第１のインジケーション情報を決定するステップと、
前記第１のインジケーション情報を送るステップであって、前記第１のインジケーション情報は、使用可能なコードブックサブセットを示し、前記コードブックサブセットは、前記第１のタイプのプリコーディング行列、前記第２のタイプのプリコーディング行列、および前記第３のタイプのプリコーディング行列のうちの少なくとも１つのタイプを含む、ステップとを含む方法。
【請求項２２】
通信方法であって、
第１のインジケーション情報を受信するステップと、
前記第１のインジケーション情報に基づいて使用可能なコードブックサブセットを決定するステップであって、前記コードブックサブセットは、前記第１のタイプのプリコーディング行列、前記第２のタイプのプリコーディング行列、および前記第３のタイプのプリコーディング行列のうちの少なくとも１つのタイプを含む、ステップとを含む方法。
【請求項２３】
前記第１のインジケーション情報は、上位レイヤシグナリングにおいて搬送される請求項２１または２２に記載の方法。
【請求項２４】
前記第１のインジケーション情報は、１つのインジケーションフィールドを含み、前記インジケーションフィールドの値は、使用されることになるプリコーディング行列のタイプを示し、第１の値は、前記第１のタイプのプリコーディング行列が使用されることになることを示し、第２の値は、前記第１のタイプのプリコーディング行列および前記第２のタイプのプリコーディング行列が使用されることになることを示し、第３の値は、前記第１のタイプのプリコーディング行列、前記第２のタイプのプリコーディング行列、および前記第３のタイプのプリコーディング行列が使用されることになることを示す請求項２１乃至２３のいずれか一項に記載の方法。
【請求項２５】
前記第１のインジケーション情報によって示される前記使用可能なコードブックサブセットが前記第１のタイプのプリコーディング行列を含むとき、前記プリコーディング行列に対応するコードブックインデックスのビット数は、前記第１のインジケーション情報によって示される前記使用可能なコードブックサブセットが前記第１のタイプのプリコーディング行列、前記第２のタイプのプリコーディング行列、および前記第３のタイプのプリコーディング行列のうちの少なくとも１つのタイプを含む場合、前記使用可能なコードブックサブセットが前記第１のタイプのプリコーディング行列を含む場合を除いて、前記プリコーディング行列に対応するコードブックインデックスのものより少ない請求項２１乃至２４のいずれか一項に記載の方法。
【請求項２６】
前記第１のタイプのプリコーディング行列内の任意の行列の各列ベクトルは、１つだけの非ゼロ要素を含み、いずれか２つの列ベクトル内の非ゼロ要素は、異なる行内に位置し、前記第２のタイプのプリコーディング行列内の任意の行列の少なくとも１つの列ベクトルは、少なくとも１つのゼロ要素および少なくとも２つの非ゼロ要素を含み、前記第３のタイプのプリコーディング行列内の任意の行列内の各要素は、非ゼロ要素であり、前記第３のタイプのプリコーディング行列内の任意の行列のいずれか２つの列ベクトルは、互いに直交する請求項２１乃至２５のいずれか一項に記載の方法。
【請求項２７】
前記第１のタイプのプリコーディング行列は、
【数２６】
2021503239.tif 000335
または
Ｗ1との行および／もしくは列変換関係を有する行列、または
【数２７】
2021503239.tif 000336
または
Ｗ2との行および／もしくは列変換関係を有する行列、の少なくとも１つを満たす請求項２１乃至２６のいずれか一項に記載の方法。
【請求項２８】
前記第１のタイプのプリコーディング行列は、
【数２８】
2021503239.tif 000337
または
Ｗ4との行および／もしくは列変換関係を有する行列、または
【数２９】
2021503239.tif 000338
または
Ｗ5との行および／もしくは列変換関係を有する行列、の少なくとも１つを満たす請求項２１乃至２７のいずれか一項に記載の方法。
【請求項２９】
前記第２のタイプのプリコーディング行列は、
【数３０】
2021503239.tif 000339
または
Ｗ8との行および／もしくは列変換関係を有する行列、の少なくとも１つを満たし、
φ1∈｛１，−１，ｊ，−ｊ｝、φ2∈｛１，−１，ｊ，−ｊ｝であり、ｊは虚数単位である請求項２１乃至２８のいずれか一項に記載の方法。
【請求項３０】
前記第２のタイプのプリコーディング行列は、
【数３１】
2021503239.tif 000340
または
Ｗ9との行および／もしくは列変換関係を有する行列、または
【数３２】
2021503239.tif 000341
または
Ｗ10との行および／もしくは列変換関係を有する行列、の少なくとも１つを満たし、
φ1∈｛１，−１，ｊ，−ｊ｝、φ2∈｛１，−１，ｊ，−ｊ｝であり、ｊは虚数単位であり、Ｈ1およびＨ2は、係数行列である請求項２１乃至２９のいずれか一項に記載の方法。
【請求項３１】
【数３３】
2021503239.tif 000342
または
【数３４】
2021503239.tif 000343
である請求項３０に記載の方法。
【請求項３２】
【数３５】
2021503239.tif 000344
または
【数３６】
2021503239.tif 000345
である請求項３０に記載の方法。
【請求項３３】
前記第２のタイプのプリコーディング行列は、
【数３７】
2021503239.tif 000346
または
Ｗ11との行および／もしくは列変換関係を有する行列、の少なくとも１つを満たし、
φ1∈｛１，−１，ｊ，−ｊ｝、φ2∈｛１，−１，ｊ，−ｊ｝であり、ｊは虚数単位である請求項２１乃至３２のいずれか一項に記載の方法。
【請求項３４】
前記第３のタイプのプリコーディング行列の構造は、
【数３８】
2021503239.tif 000347
または
【数３９】
2021503239.tif 000348
との行および／もしくは列変換関係を有する行列、または
【数４０】
2021503239.tif 000349
または
【数４１】
2021503239.tif 000350
との行および／もしくは列変換関係を有する行列、または
【数４２】
2021503239.tif 000351
または
【数４３】
2021503239.tif 000352
との行および／もしくは列変換関係を有する行列、または
【数４４】
2021503239.tif 000353
におけるいずれか２つもしくは３つの列を含む行列、または
【数４５】
2021503239.tif 000354
との行および／もしくは列変換関係を有する前記行列におけるいずれか２つもしくは３つの列を含む行列、の少なくとも１つを満たし、
α∈｛１，−１，ｊ，−ｊ｝であり、ｊは、虚数単位であり、
【数４６】
2021503239.tif 000355
および
【数４７】
2021503239.tif 000356
は、離散フーリエ変換ＤＦＴベクトルであり、
【数４８】
2021503239.tif 000357
および
【数４９】
2021503239.tif 000358
を満たし、Ｎは、アンテナポート数であり、Ｏ＝２、ｘ1∈｛０，１｝、およびｘ2∈｛０，１｝である請求項２１乃至３３のいずれか一項に記載の方法。
【請求項３５】
前記第３のタイプのプリコーディング行列は、ＷMを含み、
【数５０】
2021503239.tif 000359
であり、
Ｍはランクであり、Ｍは１より大きい整数であり、Ｎは前記アンテナポート数であり、Ｎ≧Ｍ、およびＮは整数である請求項２１乃至３４のいずれか一項に記載の方法。
【請求項３６】
前記第３のタイプのプリコーディング行列は、ＷMを含み、ＷMは、Ｗ0におけるＭ個の列ベクトルを含み、Ｗ0と、１のランクを有するコードブック内の任意のプリコーディング行列ｕとは、以下の数学的変換関係、すなわち
Ｗ0＝Ｉ−２ｕｕH／ｕHｕ
を満たし、
Ｍはランクであり、Ｍは１より大きい整数であり、Ｉは単位行列であり、ｕHは、ｕの共役転置行列である請求項２１乃至３５のいずれか一項に記載の方法。
【請求項３７】
前記第３のタイプのプリコーディング行列は、ＷMを含み、ＷMは、１のランクを有する前記コードブック内のＭ個のプリコーディング行列を含み、Ｍはランクであり、Ｍは、１より大きい整数である請求項２１乃至３６のいずれか一項に記載の方法。
【請求項３８】
請求項１乃至３７のいずれか一項に記載の方法を実施するように構成された通信装置。
【請求項３９】
通信装置であって、
コンピュータプログラムを記憶するように構成されたメモリと、
前記装置が請求項１乃至３７のいずれか一項に記載の方法を実施するように、前記メモリ内に記憶された前記コンピュータプログラムを実行するように構成されたプロセッサとを備える装置。
【請求項４０】
プログラムまたは命令を含む可読記憶媒体であって、前記プログラムまたは前記命令がコンピュータ上で動作するとき、請求項１乃至３７のいずれか一項に記載の方法が実施される、可読記憶媒体。
【請求項４１】
プログラムまたは命令を含むプログラム製品であって、前記プログラムまたは前記命令がコンピュータ上で動作するとき、請求項１乃至３７のいずれか一項に記載の方法が実施される、プログラム製品。
【請求項４２】
通信装置であって、
プリコーディング行列インジケータＰＭＩおよびランクインジケーションＲＩを決定するように構成されたプロセッサと、
前記ＰＭＩおよび前記ＲＩを送るように構成された通信ユニットであって、前記ＰＭＩは、前記ＲＩに対応するコードブック内のプリコーディング行列を示すために使用され、前記プリコーディング行列のランクは１より大きい、通信ユニットとを備え、
前記コードブックは、第１のタイプのプリコーディング行列、第２のタイプのプリコーディング行列、および第３のタイプのプリコーディング行列のうちの少なくとも２つのタイプを含み、前記第１のタイプのプリコーディング行列内の任意の行列の各列ベクトルは、１つだけの非ゼロ要素を含み、いずれか２つの列ベクトル内の非ゼロ要素は、異なる行内に位置し、前記第２のタイプのプリコーディング行列内の任意の行列の少なくとも１つの列ベクトルは、少なくとも１つのゼロ要素および少なくとも２つの非ゼロ要素を含み、前記第３のタイプのプリコーディング行列内の任意の行列内の各要素は、非ゼロ要素であり、前記第３のタイプのプリコーディング行列内の任意の行列のいずれか２つの列ベクトルは、互いに直交する、装置。
【請求項４３】
通信装置であって、
プリコーディング行列インジケータＰＭＩおよびランクインジケーションＲＩを受信するように構成された通信ユニットであって、前記ＰＭＩは、前記ＲＩに対応するコードブック内のプリコーディング行列を示すために使用され、前記プリコーディング行列のランクは１より大きい、通信ユニットと、
前記ＰＭＩおよび前記ＲＩを使用することによって決定された前記プリコーディング行列に基づいて信号をプリコーディングするように構成されたプロセッサとを備え、
前記通信ユニットは、プリコーディングされた信号を送るようにさらに構成され、
前記コードブックは、第１のタイプのプリコーディング行列、第２のタイプのプリコーディング行列、および第３のタイプのプリコーディング行列のうちの少なくとも２つのタイプを含み、前記第１のタイプのプリコーディング行列内の任意の行列の各列ベクトルは、１つだけの非ゼロ要素を含み、いずれか２つの列ベクトル内の非ゼロ要素は、異なる行内に位置し、前記第２のタイプのプリコーディング行列内の任意の行列の少なくとも１つの列ベクトルは、少なくとも１つのゼロ要素および少なくとも２つの非ゼロ要素を含み、前記第３のタイプのプリコーディング行列内の任意の行列内の各要素は、非ゼロ要素であり、前記第３のタイプのプリコーディング行列内の任意の行列のいずれか２つの列ベクトルは、互いに直交する、装置。
【請求項４４】
前記第１のタイプのプリコーディング行列は、
【数５１】
2021503239.tif 000360
または
Ｗ1との行および／もしくは列変換関係を有する行列、または
【数５２】
2021503239.tif 000361
または
Ｗ2との行および／もしくは列変換関係を有する行列、の少なくとも１つを満たす請求項４２または４３に記載の装置。
【請求項４５】
前記第１のタイプのプリコーディング行列は、
【数５３】
2021503239.tif 000362
または
Ｗ4との行および／もしくは列変換関係を有する行列、または
【数５４】
2021503239.tif 000363
または
Ｗ5との行および／もしくは列変換関係を有する行列、の少なくとも１つを満たす請求項４２乃至４４のいずれか一項に記載の装置。
【請求項４６】
前記第２のタイプのプリコーディング行列は、
【数５５】
2021503239.tif 000364
または
Ｗ8との行および／もしくは列変換関係を有する行列、の少なくとも１つを満たし、
φ1∈｛１，−１，ｊ，−ｊ｝、φ2∈｛１，−１，ｊ，−ｊ｝であり、ｊは虚数単位である請求項４２乃至４５のいずれか一項に記載の装置。
【請求項４７】
前記第２のタイプのプリコーディング行列は、
【数５６】
2021503239.tif 000365
または
Ｗ9との行および／もしくは列変換関係を有する行列、または
【数５７】
2021503239.tif 000366
または
Ｗ10との行および／もしくは列変換関係を有する行列、の少なくとも１つを満たし、
φ1∈｛１，−１，ｊ，−ｊ｝、φ2∈｛１，−１，ｊ，−ｊ｝であり、ｊは虚数単位であり、Ｈ1およびＨ2は、係数行列である請求項４２乃至４６のいずれか一項に記載の装置。
【請求項４８】
【数５８】
2021503239.tif 000367
または
【数５９】
2021503239.tif 000368
である請求項４７に記載の装置。
【請求項４９】
【数６０】
2021503239.tif 000369
または
【数６１】
2021503239.tif 000370
である請求項４７に記載の装置。
【請求項５０】
前記第２のタイプのプリコーディング行列は、
【数６２】
2021503239.tif 000371
または
Ｗ11との行および／もしくは列変換関係を有する行列、の少なくとも１つを満たし、
φ1∈｛１，−１，ｊ，−ｊ｝、φ2∈｛１，−１，ｊ，−ｊ｝であり、ｊは虚数単位である請求項４２乃至４９のいずれか一項に記載の装置。
【請求項５１】
前記第３のタイプのプリコーディング行列の構造は、
【数６３】
2021503239.tif 000372
または
【数６４】
2021503239.tif 000373
との行および／もしくは列変換関係を有する行列、または
【数６５】
2021503239.tif 000374
または
【数６６】
2021503239.tif 000375
との行および／もしくは列変換関係を有する行列、または
【数６７】
2021503239.tif 000376
または
【数６８】
2021503239.tif 000377
との行および／もしくは列変換関係を有する行列、または
【数６９】
2021503239.tif 000378
におけるいずれか２つもしくは３つの列を含む行列、または
【数７０】
2021503239.tif 000379
との行および／もしくは列変換関係を有する前記行列におけるいずれか２つもしくは３つの列を含む行列、の少なくとも１つを満たし、
α∈｛１，−１，ｊ，−ｊ｝であり、ｊは、虚数単位であり、
【数７１】
2021503239.tif 000380
および
【数７２】
2021503239.tif 000381
は、離散フーリエ変換ＤＦＴベクトルであり、
【数７３】
2021503239.tif 000382
および
【数７４】
2021503239.tif 000383
を満たし、Ｎは、アンテナポート数であり、Ｏ＝２、ｘ1∈｛０，１｝、およびｘ2∈｛０，１｝である請求項４２乃至５０のいずれか一項に記載の装置。
【請求項５２】
前記第３のタイプのプリコーディング行列は、ＷMを含み、
【数７５】
2021503239.tif 000384
であり、
Ｍはランクであり、Ｍは１より大きい整数であり、Ｎは前記アンテナポート数であり、Ｎ≧Ｍ、およびＮは整数である請求項４２乃至５１のいずれか一項に記載の装置。
【請求項５３】
前記第３のタイプのプリコーディング行列は、ＷMを含み、ＷMは、Ｗ0におけるＭ個の列ベクトルを含み、Ｗ0と、１のランクを有するコードブック内の任意のプリコーディング行列ｕとは、以下の数学的変換関係、すなわち
Ｗ0＝Ｉ−２ｕｕH／ｕHｕ
を満たし、
Ｍはランクであり、Ｍは１より大きい整数であり、Ｉは単位行列であり、ｕHは、ｕの共役転置行列である請求項４２乃至５２のいずれか一項に記載の装置。
【請求項５４】
前記第３のタイプのプリコーディング行列は、ＷMを含み、ＷMは、１のランクを有する前記コードブック内のＭ個のプリコーディング行列を含み、Ｍはランクであり、Ｍは、１より大きい整数である請求項４２乃至５３のいずれか一項に記載の装置。
【請求項５５】
前記プロセッサは、第１のインジケーション情報を決定するようにさらに構成され、
前記通信ユニットは、前記第１のインジケーション情報を送るようにさらに構成され、前記第１のインジケーション情報は、使用可能なプリコーディング行列のセットを示し、または前記第１のインジケーション情報は、使用可能なコードブックサブセットを示し、前記コードブックサブセットは、前記第１のタイプのプリコーディング行列、前記第２のタイプのプリコーディング行列、および前記第３のタイプのプリコーディング行列のうちの少なくとも１つのタイプを含む請求項４２および請求項４４乃至５４のいずれか一項に記載の装置。
【請求項５６】
前記プロセッサは、第２のインジケーション情報を決定するようにさらに構成され、
前記通信ユニットは、前記第２のインジケーション情報を送るようにさらに構成され、前記第２のインジケーション情報は、離散フーリエ変換拡散直交周波数分割多重ＤＦＴ−ｓ−ＯＦＤＭ波形に対応するコードブックのセットを示すために使用され、または
前記プロセッサは、第３のインジケーション情報を決定するようにさらに構成され、
前記通信ユニットは、前記第３のインジケーション情報を送るようにさらに構成され、前記第３のインジケーション情報は、サイクリックプレフィックス直交周波数分割多重ＣＰ−ＯＦＤＭ波形に対応するコードブックのセットを示すために使用され、
前記ＤＦＴ−ｓ−ＯＦＤＭ波形に対応するコードブックの前記セットは、少なくとも１つのランクに対応する少なくとも１つのコードブックを含み、前記ＤＦＴ−ｓ−ＯＦＤＭ波形に対応するコードブックの前記セット内の各コードブックは、前記第１のタイプのプリコーディング行列および前記第２のタイプのプリコーディング行列を含み、前記ＣＰ−ＯＦＤＭ波形に対応するコードブックの前記セットは、少なくとも１つのランクに対応する少なくとも１つのコードブックを含み、前記ＣＰ−ＯＦＤＭ波形に対応するコードブックの前記セット内の各コードブックは、前記第１のタイプのプリコーディング行列、前記第２のタイプのプリコーディング行列、および前記第３のタイプのプリコーディング行列のうちの少なくとも２つのタイプを含み、前記第１のタイプのプリコーディング行列内の任意の行列の各列ベクトルは、１つだけの非ゼロ要素を含み、いずれか２つの列ベクトル内の非ゼロ要素は、異なる行内に位置し、前記第２のタイプのプリコーディング行列内の任意の行列の少なくとも１つの列ベクトルは、少なくとも１つのゼロ要素および少なくとも２つの非ゼロ要素を含み、前記第３のタイプのプリコーディング行列内の任意の行列内の各要素は、非ゼロ要素であり、前記第３のタイプのプリコーディング行列内の任意の行列のいずれか２つの列ベクトルは、互いに直交する請求項４２および請求項４４乃至５４のいずれか一項に記載の装置。
【請求項５７】
前記通信ユニットは、第１のインジケーション情報を受信するようにさらに構成され、前記第１のインジケーション情報は、使用可能なプリコーディング行列のセットを示し、または前記第１のインジケーション情報は、使用可能なコードブックサブセットを示し、前記コードブックサブセットは、前記第１のタイプのプリコーディング行列、前記第２のタイプのプリコーディング行列、および前記第３のタイプのプリコーディング行列のうちの少なくとも１つのタイプを含む請求項４３乃至５４のいずれか一項に記載の装置。
【請求項５８】
前記通信ユニットは、第２のインジケーション情報を受信するようにさらに構成され、前記第２のインジケーション情報は、離散フーリエ変換拡散直交周波数分割多重ＤＦＴ−ｓ−ＯＦＤＭ波形に対応するコードブックのセットを示すために使用され、または
前記通信ユニットは、第３のインジケーション情報を受信するようにさらに構成され、前記第３のインジケーション情報は、サイクリックプレフィックス直交周波数分割多重ＣＰ−ＯＦＤＭ波形に対応するコードブックのセットを示すために使用され、
前記ＤＦＴ−ｓ−ＯＦＤＭ波形に対応するコードブックの前記セットは、少なくとも１つのランクに対応する少なくとも１つのコードブックを含み、前記ＤＦＴ−ｓ−ＯＦＤＭ波形に対応するコードブックの前記セット内の各コードブックは、前記第１のタイプのプリコーディング行列および前記第２のタイプのプリコーディング行列を含み、前記ＣＰ−ＯＦＤＭ波形に対応するコードブックの前記セットは、少なくとも１つのランクに対応する少なくとも１つのコードブックを含み、前記ＣＰ−ＯＦＤＭ波形に対応するコードブックの前記セット内の各コードブックは、前記第１のタイプのプリコーディング行列、前記第２のタイプのプリコーディング行列、および前記第３のタイプのプリコーディング行列のうちの少なくとも２つのタイプを含み、前記第１のタイプのプリコーディング行列内の任意の行列の各列ベクトルは、１つだけの非ゼロ要素を含み、いずれか２つの列ベクトル内の非ゼロ要素は、異なる行内に位置し、前記第２のタイプのプリコーディング行列内の任意の行列の少なくとも１つの列ベクトルは、少なくとも１つのゼロ要素および少なくとも２つの非ゼロ要素を含み、前記第３のタイプのプリコーディング行列内の任意の行列内の各要素は、非ゼロ要素であり、前記第３のタイプのプリコーディング行列内の任意の行列のいずれか２つの列ベクトルは、互いに直交する請求項４３乃至５４のいずれか一項に記載の装置。
【請求項５９】
前記第１のインジケーション情報はビットマップであり、前記ビットマップは、少なくとも１つのインジケーションビットを含み、
前記第１のインジケーション情報が使用可能なプリコーディング行列の前記セットを示すとき、各インジケーションビットは、１つのプリコーディング行列に対応しており、各インジケーションビットは、前記対応するプリコーディング行列が使用可能なプリコーディング行列であるかどうかを示し、または
前記第１のインジケーション情報が前記使用可能なコードブックサブセットを示すとき、各インジケーションビットは、１つのコードブックサブセットに対応しており、各インジケーションビットは、前記対応するコードブックサブセット内のプリコーディング行列が使用可能なプリコーディング行列であるかどうかを示す請求項５５または５７に記載の装置。
【請求項６０】
前記第１のインジケーション情報は、上位レイヤシグナリングである請求項５５、５７、または５９のいずれか一項に記載の装置。
【請求項６１】
前記第１のインジケーション情報は、インジケーションフィールドを含み、前記インジケーションフィールドの値は、使用されることになるプリコーディング行列のタイプを示し、第１の値は、前記第１のタイプのプリコーディング行列が使用されることになることを示し、第２の値は、前記第１のタイプのプリコーディング行列および前記第２のタイプのプリコーディング行列が使用されることになることを示し、第３の値は、前記第１のタイプのプリコーディング行列、前記第２のタイプのプリコーディング行列、および前記第３のタイプのプリコーディング行列が使用されることになることを示す請求項５５、５７、５９、または６０のいずれか一項に記載の装置。
【請求項６２】
通信装置であって、
第１のインジケーション情報を決定するように構成されたプロセッサと、
前記第１のインジケーション情報を送るように構成された通信ユニットであって、前記第１のインジケーション情報は、使用可能なコードブックサブセットを示し、前記コードブックサブセットは、前記第１のタイプのプリコーディング行列、前記第２のタイプのプリコーディング行列、および前記第３のタイプのプリコーディング行列のうちの少なくとも１つのタイプを含む、通信ユニットとを備える装置。
【請求項６３】
通信装置であって、
第１のインジケーション情報を受信するように構成された通信ユニットと、
前記第１のインジケーション情報に基づいて使用可能なコードブックサブセットを決定するように構成されたプロセッサであって、前記コードブックサブセットは、前記第１のタイプのプリコーディング行列、前記第２のタイプのプリコーディング行列、および前記第３のタイプのプリコーディング行列のうちの少なくとも１つのタイプを含む、プロセッサとを備える装置。
【請求項６４】
前記第１のインジケーション情報は、上位レイヤシグナリングにおいて搬送される請求項６２または６３に記載の装置。
【請求項６５】
前記第１のインジケーション情報は、１つのインジケーションフィールドを含み、前記インジケーションフィールドの値は、使用されることになるプリコーディング行列のタイプを示し、第１の値は、前記第１のタイプのプリコーディング行列が使用されることになることを示し、第２の値は、前記第１のタイプのプリコーディング行列および前記第２のタイプのプリコーディング行列が使用されることになることを示し、第３の値は、前記第１のタイプのプリコーディング行列、前記第２のタイプのプリコーディング行列、および前記第３のタイプのプリコーディング行列が使用されることになることを示す請求項６２乃至６４のいずれか一項に記載の装置。
【請求項６６】
前記第１のインジケーション情報によって示される前記使用可能なコードブックサブセットが前記第１のタイプのプリコーディング行列を含むとき、前記プリコーディング行列に対応するコードブックインデックスのビット数は、前記第１のインジケーション情報によって示される前記使用可能なコードブックサブセットが前記第１のタイプのプリコーディング行列、前記第２のタイプのプリコーディング行列、および前記第３のタイプのプリコーディング行列のうちの少なくとも１つのタイプを含む場合、前記使用可能なコードブックサブセットが前記第１のタイプのプリコーディング行列を含む場合を除いて、前記プリコーディング行列に対応するコードブックインデックスのものより少ない請求項６２乃至６５のいずれか一項に記載の装置。
【請求項６７】
前記第１のタイプのプリコーディング行列内の任意の行列の各列ベクトルは、１つだけの非ゼロ要素を含み、いずれか２つの列ベクトル内の非ゼロ要素は、異なる行内に位置し、前記第２のタイプのプリコーディング行列内の任意の行列の少なくとも１つの列ベクトルは、少なくとも１つのゼロ要素および少なくとも２つの非ゼロ要素を含み、前記第３のタイプのプリコーディング行列内の任意の行列内の各要素は、非ゼロ要素であり、前記第３のタイプのプリコーディング行列内の任意の行列のいずれか２つの列ベクトルは、互いに直交する請求項６２乃至６６のいずれか一項に記載の装置。
【請求項６８】
前記第１のタイプのプリコーディング行列は、
【数７６】
2021503239.tif 000385
または
Ｗ1との行および／もしくは列変換関係を有する行列、または
【数７７】
2021503239.tif 000386
または
Ｗ2との行および／もしくは列変換関係を有する行列、の少なくとも１つを満たす請求項６２乃至６７のいずれか一項に記載の装置。
【請求項６９】
前記第１のタイプのプリコーディング行列は、
【数７８】
2021503239.tif 000387
または
Ｗ4との行および／もしくは列変換関係を有する行列、または
【数７９】
2021503239.tif 000388
または
Ｗ5との行および／もしくは列変換関係を有する行列、の少なくとも１つを満たす請求項６２乃至６８のいずれか一項に記載の装置。
【請求項７０】
前記第２のタイプのプリコーディング行列は、
【数８０】
2021503239.tif 000389
または
Ｗ8との行および／もしくは列変換関係を有する行列、の少なくとも１つを満たし、
φ1∈｛１，−１，ｊ，−ｊ｝、φ2∈｛１，−１，ｊ，−ｊ｝であり、ｊは虚数単位である請求項６２乃至６９のいずれか一項に記載の装置。
【請求項７１】
前記第２のタイプのプリコーディング行列は、
【数８１】
2021503239.tif 000390
または
Ｗ9との行および／もしくは列変換関係を有する行列、または
【数８２】
2021503239.tif 000391
または
Ｗ10との行および／もしくは列変換関係を有する行列、の少なくとも１つを満たし、
φ1∈｛１，−１，ｊ，−ｊ｝、φ2∈｛１，−１，ｊ，−ｊ｝であり、ｊは虚数単位であり、Ｈ1およびＨ2は、係数行列である請求項６２乃至７０のいずれか一項に記載の装置。
【請求項７２】
【数８３】
2021503239.tif 000392
または
【数８４】
2021503239.tif 000393
である請求項７１に記載の装置。
【請求項７３】
【数８５】
2021503239.tif 000394
または
【数８６】
2021503239.tif 000395
である請求項７１に記載の装置。
【請求項７４】
前記第２のタイプのプリコーディング行列は、
【数８７】
2021503239.tif 000396
または
Ｗ11との行および／もしくは列変換関係を有する行列、の少なくとも１つを満たし、
φ1∈｛１，−１，ｊ，−ｊ｝、φ2∈｛１，−１，ｊ，−ｊ｝であり、ｊは虚数単位である請求項６２乃至７３のいずれか一項に記載の装置。
【請求項７５】
前記第３のタイプのプリコーディング行列の構造は、
【数８８】
2021503239.tif 000397
または
【数８９】
2021503239.tif 000398
との行および／もしくは列変換関係を有する行列、または
【数９０】
2021503239.tif 000399
または
【数９１】
2021503239.tif 000400
との行および／もしくは列変換関係を有する行列、または
【数９２】
2021503239.tif 000401
または
【数９３】
2021503239.tif 000402
との行および／もしくは列変換関係を有する行列、または
【数９４】
2021503239.tif 000403
におけるいずれか２つもしくは３つの列を含む行列、または
【数９５】
2021503239.tif 000404
との行および／もしくは列変換関係を有する前記行列におけるいずれか２つもしくは３つの列を含む行列、の少なくとも１つを満たし、
α∈｛１，−１，ｊ，−ｊ｝であり、ｊは、虚数単位であり、
【数９６】
2021503239.tif 000405
および
【数９７】
2021503239.tif 000406
は、離散フーリエ変換ＤＦＴベクトルであり、
【数９８】
2021503239.tif 000407
および
【数９９】
2021503239.tif 000408
を満たし、Ｎは、アンテナポート数であり、Ｏ＝２、ｘ1∈｛０，１｝、およびｘ2∈｛０，１｝である請求項６２乃至７４のいずれか一項に記載の装置。
【請求項７６】
前記第３のタイプのプリコーディング行列は、ＷMを含み、
【数１００】
2021503239.tif 000409
であり、
Ｍはランクであり、Ｍは１より大きい整数であり、Ｎは前記アンテナポート数であり、Ｎ≧Ｍ、およびＮは整数である請求項６２乃至７５のいずれか一項に記載の装置。
【請求項７７】
前記第３のタイプのプリコーディング行列は、ＷMを含み、ＷMは、Ｗ0におけるＭ個の列ベクトルを含み、Ｗ0と、１のランクを有するコードブック内の任意のプリコーディング行列ｕとは、以下の数学的変換関係、すなわち
Ｗ0＝Ｉ−２ｕｕH／ｕHｕ
を満たし、
Ｍはランクであり、Ｍは１より大きい整数であり、Ｉは単位行列であり、ｕHは、ｕの共役転置行列である請求項６２乃至７６のいずれか一項に記載の装置。
【請求項７８】
前記第３のタイプのプリコーディング行列は、ＷMを含み、ＷMは、１のランクを有する前記コードブック内のＭ個のプリコーディング行列を含み、Ｍはランクであり、Ｍは、１より大きい整数である請求項６２乃至７７のいずれか一項に記載の装置。
【発明の詳細な説明】
【技術分野】
【０００１】
本願は、ワイヤレス通信の分野に関し、より詳細には、通信方法、通信装置、およびシステムに関する。
【０００２】
本願は、２０１７年１１月１５日に中国特許庁に出願され、「ＣＯＭＭＵＮＩＣＡＴＩＯＮ  ＭＥＴＨＯＤ，  ＣＯＭＭＵＮＩＣＡＴＩＯＮＳ  ＡＰＰＡＲＡＴＵＳ，  ＡＮＤ  ＳＹＳＴＥＭ」という名称の中国特許出願第２０１７１１１３１５６６．８号に対する優先権を主張し、その全体が参照により本明細書に組み込まれている。
【背景技術】
【０００３】
マッシブ多重入力多重出力（ｍａｓｓｉｖｅ  ｍｕｌｔｉｐｌｅ−ｉｎｐｕｔ  ｍｕｌｔｉｐｌｅ−ｏｕｔｐｕｔ、Ｍａｓｓｉｖｅ  ＭＩＭＯ）技術では、複数のユーザ間の干渉、および同じユーザの複数の信号ストリーム間の干渉は、プリコーディングを通じて低減され得、これは、信号品質を改善し、空間多重化を実装し、スペクトル利用を改善する助けとなる。
【０００４】
現在、異なるシナリオに適合するように、コヒーレント送信、部分的なコヒーレント送信、および非コヒーレント送信など複数の送信形態が、アップリンク送信のために提案されている。しかし、現在のアップリンクコードブックでは、前述の複数の送信形態は、完全には考慮されていない。たとえば、２および３のランクを有するコードブックでは、部分的な非コヒーレント送信だけがサポートされる。４のランクを有するコードブックでは、非コヒーレント送信だけがサポートされる。端末デバイスが対応する能力を有する場合でさえ、端末デバイスの送信形態の柔軟性は、現在のコードブックによって制限される。
【０００５】
本願は、端末デバイスの送信柔軟性を改善するための通信方法、通信装置、およびシステムを提供する。
【０００６】
第１の態様によれば、通信方法であって、
ネットワークデバイスによって、プリコーディング行列インジケータＰＭＩおよびランクインジケーションＲＩを送るステップを含み、ＰＭＩおよびＲＩは、コードブック内のプリコーディング行列を示すために使用され、プリコーディング行列のランクは１より大きく、
コードブックは、第１のタイプのプリコーディング行列、第２のタイプのプリコーディング行列、および第３のタイプのプリコーディング行列のうちの少なくとも２つのタイプを含み、第１のタイプのプリコーディング行列内の任意の行列の各列ベクトルは、１つだけの非ゼロ要素を含み、いずれか２つの列ベクトル内の非ゼロ要素は、異なる行内に位置し、第２のタイプのプリコーディング行列内の任意の行列の少なくとも１つの列ベクトルは、少なくとも１つのゼロ要素および少なくとも２つの非ゼロ要素を含み、第３のタイプのプリコーディング行列内の任意の行列内の各要素は、非ゼロ要素であり、第３のタイプのプリコーディング行列内の任意の行列のいずれか２つの列ベクトルは、互いに直交する、方法が提供される。
【０００７】
前述のコードブックに基づいて、端末デバイスが対応する能力を有するとき、端末デバイスは、コヒーレント送信、部分的なコヒーレント送信、および非コヒーレント送信のうちの少なくとも２つの送信形態で１つまたは複数のネットワークデバイスと通信し得る。したがって、端末デバイスの送信柔軟性が改善され、異なる送信形態が使用され、その結果、異なる送信要件を満たすことができ、リソース利用が改善される。
【０００８】
任意選択で、ＰＭＩおよびＲＩは、ダウンリンク制御情報（Ｄｏｗｎｌｉｎｋ  Ｃｏｎｔｒｏｌ  Ｉｎｆｏｒｍａｔｉｏｎ、ＤＣＩ）内で搬送される。
【０００９】
第１の態様を参照して、第１の態様のいくつかの実装では、本方法は、
ネットワークデバイスによって、第１のインジケーション情報を送るステップをさらに含み、第１のインジケーション情報は、使用可能なプリコーディング行列のセットを示し、または第１のインジケーション情報は、使用可能なコードブックサブセットを示し、コードブックサブセットは、第１のタイプのプリコーディング行列、第２のタイプのプリコーディング行列、および第３のタイプのプリコーディング行列のうちの少なくとも１つのタイプを含む。
【００１０】
任意選択で、第１のインジケーション情報は、上位レイヤシグナリングにおいて搬送される。たとえば、上位レイヤシグナリングは、無線リソース制御（Ｒａｄｉｏ  Ｒｅｓｏｕｒｃｅ  Ｃｏｎｔｒｏｌ、ＲＲＣ）メッセージまたはメディアアクセス制御（Ｍｅｄｉａ  Ａｃｃｅｓｓ  Ｃｏｎｔｒｏｌ、ＭＡＣ）制御要素（Ｃｏｎｔｒｏｌ  Ｅｌｅｍｅｎｔ、ＣＥ）メッセージを含み得る。
【００１１】
任意選択で、第１のインジケーション情報は、コードブックサブセット制限（ｃｏｄｅｂｏｏｋ  ｓｕｂｓｅｔ  ｒｅｓｔｒｉｃｔｉｏｎ、ＣＳＲ）である。
【００１２】
使用可能なプリコーディング行列は、ＰＭＩのビット数を制限し得る上位レイヤシグナリングを使用することによって示され、それによりＰＭＩのビットオーバーヘッドを低減する。
【００１３】
任意選択で、第１のインジケーション情報はビットマップであり、ビットマップは、少なくとも１つのインジケーションビットを含み、第１のインジケーション情報が使用可能なプリコーディング行列のセットを示すとき、各インジケーションビットは、１つのプリコーディング行列に対応しており、各インジケーションビットは、対応するプリコーディング行列が使用可能なプリコーディング行列であるかどうかを示す。
【００１４】
任意選択で、第１のインジケーション情報はビットマップであり、ビットマップは、少なくとも１つのインジケーションビットを含み、第１のインジケーション情報が使用可能なコードブックサブセットを示すとき、各インジケーションビットは、１つのコードブックサブセットに対応しており、各インジケーションビットは、対応するコードブックサブセット内のプリコーディング行列が使用可能なプリコーディング行列であるかどうかを示す。
【００１５】
ビットマップを使用することによって使用可能なプリコーディング行列を示すことは、唯一の可能な実装であることを理解されたい。たとえば、ネットワークデバイスは、第１のインジケーション情報内で搬送されるインジケーションビットの異なる値を使用することによってプリコーディング行列の異なるタイプをさらに示し得る。
【００１６】
第１の態様を参照して、第１の態様のいくつかの実装では、本方法は、
ネットワークデバイスによって、第２のインジケーション情報を送るステップであって、第２のインジケーション情報は、離散フーリエ変換拡散直交周波数分割多重ＤＦＴ−ｓ−ＯＦＤＭ波形に対応するコードブックのセットを示すために使用される、ステップ、または
ネットワークデバイスによって、第３のインジケーション情報を送るステップであって、第３のインジケーション情報は、サイクリックプレフィックス直交周波数分割多重ＣＰ−ＯＦＤＭ波形に対応するコードブックのセットを示すために使用される、ステップをさらに含み、
ＤＦＴ−ｓ−ＯＦＤＭ波形に対応するコードブックのセットは、少なくとも１つのランクに対応する少なくとも１つのコードブックを含み、ＤＦＴ−ｓ−ＯＦＤＭ波形に対応するコードブックのセット内の各コードブックは、第１のタイプのプリコーディング行列および第２のタイプのプリコーディング行列を含み、ＣＰ−ＯＦＤＭ波形に対応するコードブックのセットは、少なくとも１つのランクに対応する少なくとも１つのコードブックを含み、ＣＰ−ＯＦＤＭ波形に対応するコードブックのセット内の各コードブックは、第１のタイプのプリコーディング行列、第２のタイプのプリコーディング行列、および第３のタイプのプリコーディング行列のうちの少なくとも２つのタイプを含み、第１のタイプのプリコーディング行列内の任意の行列の各列ベクトルは、１つだけの非ゼロ要素を含み、いずれか２つの列ベクトル内の非ゼロ要素は、異なる行内に位置し、第２のタイプのプリコーディング行列内の任意の行列の少なくとも１つの列ベクトルは、少なくとも１つのゼロ要素および少なくとも２つの非ゼロ要素を含み、第３のタイプのプリコーディング行列内の任意の行列内の各要素は、非ゼロ要素であり、第３のタイプのプリコーディング行列内の任意の行列のいずれか２つの列ベクトルは、互いに直交する。
【００１７】
任意選択で、第２のインジケーション情報は、上位レイヤシグナリングにおいて搬送される。
【００１８】
任意選択で、第３のインジケーション情報は、上位レイヤシグナリングにおいて搬送される。
【００１９】
上位レイヤシグナリングは、たとえば、ＲＲＣメッセージまたはＭＡＣ−ＣＥメッセージを含み得る。
【００２０】
第２のインジケーション情報および第３のインジケーション情報は、２つの異なる上位レイヤシグナリングにおいて搬送され得、ネットワークデバイスは、同時に、第２のインジケーション情報を搬送するために使用される上位レイヤシグナリング、および第３のインジケーション情報を搬送するために使用される上位レイヤシグナリングのうちの１つだけを送り得ることに留意されたい。
【００２１】
ＣＰ−ＯＦＤＭ波形に対応するコードブックが第１のタイプのプリコーディング行列および第２のタイプのプリコーディング行列だけを含む場合、ＤＦＴ−ｓ−ＯＦＤＭ波形に対応するコードブックのセットおよびＣＰ−ＯＦＤＭ波形に対応するコードブックのセットは、同じであることにさらに留意されたい。
【００２２】
第２の態様によれば、通信方法であって、
端末デバイスによって、プリコーディング行列インジケータＰＭＩおよびランクインジケーションＲＩを受信するステップであって、ＰＭＩおよびＲＩは、コードブック内のプリコーディング行列を示すために使用され、プリコーディング行列のランクは１より大きい、ステップと、
ＰＭＩおよびＲＩを使用することによって決定されたプリコーディング行列に基づいて信号をプリコーディングし、プリコーディングされた信号を送るステップとを含み、
コードブックは、第１のタイプのプリコーディング行列、第２のタイプのプリコーディング行列、および第３のタイプのプリコーディング行列のうちの少なくとも２つのタイプを含み、第１のタイプのプリコーディング行列内の任意の行列の各列ベクトルは、１つだけの非ゼロ要素を含み、いずれか２つの列ベクトル内の非ゼロ要素は、異なる行内に位置し、第２のタイプのプリコーディング行列内の任意の行列の少なくとも１つの列ベクトルは、少なくとも１つのゼロ要素および少なくとも２つの非ゼロ要素を含み、第３のタイプのプリコーディング行列内の任意の行列内の各要素は、非ゼロ要素であり、第３のタイプのプリコーディング行列内の任意の行列のいずれか２つの列ベクトルは、互いに直交する、方法が提供される。
【００２３】
前述のコードブックに基づいて、端末デバイスが対応する能力を有するとき、端末デバイスは、コヒーレント送信、部分的なコヒーレント送信、および非コヒーレント送信のうちの少なくとも２つの送信形態で１つまたは複数のネットワークデバイスと通信し得る。したがって、端末デバイスの送信柔軟性が改善され、異なる送信形態が使用され、その結果、異なる送信要件を満たすことができ、リソース利用が改善される。
【００２４】
任意選択で、ＰＭＩおよびＲＩは、ダウンリンク制御情報ＤＣＩ内で搬送される。
【００２５】
第２の態様を参照して、第２の態様のいくつかの実装では、本方法は、
端末デバイスによって、第１のインジケーション情報を受信するステップをさらに含み、第１のインジケーション情報は、使用可能なプリコーディング行列のセットを示し、または第１のインジケーション情報は、使用可能なコードブックサブセットを示し、コードブックサブセットは、第１のタイプのプリコーディング行列、第２のタイプのプリコーディング行列、および第３のタイプのプリコーディング行列のうちの少なくとも１つのタイプを含む。
【００２６】
任意選択で、第１のインジケーション情報は、上位レイヤシグナリングにおいて搬送される。上位レイヤシグナリングは、たとえば、ＲＲＣメッセージまたはＭＡＣ−ＣＥを含み得る。
【００２７】
使用可能なプリコーディング行列は、ＰＭＩのビット数を制限し得る上位レイヤシグナリングを使用することによって示され、それによりＰＭＩのビットオーバーヘッドを低減する。
【００２８】
任意選択で、第１のインジケーション情報はビットマップであり、ビットマップは、少なくとも１つのインジケーションビットを含み、第１のインジケーション情報が使用可能なプリコーディング行列のセットを示すとき、各インジケーションビットは、１つのプリコーディング行列に対応しており、各インジケーションビットは、対応するプリコーディング行列が使用可能なプリコーディング行列であるかどうかを示す。
【００２９】
任意選択で、第１のインジケーション情報はビットマップであり、ビットマップは、少なくとも１つのインジケーションビットを含み、第１のインジケーション情報が使用可能なコードブックサブセットを示すとき、各インジケーションビットは、１つのコードブックサブセットに対応しており、各インジケーションビットは、対応するコードブックサブセット内のプリコーディング行列が使用可能なプリコーディング行列であるかどうかを示す。
【００３０】
ビットマップを使用することによって使用可能なプリコーディング行列を示すことは、唯一の可能な実装であることを理解されたい。たとえば、ネットワークデバイスは、第１のインジケーション情報内で搬送されるインジケーションビットの異なる値を使用することによってプリコーディング行列の異なるタイプをさらに示し得る。
【００３１】
第２の態様を参照して、第２の態様のいくつかの実装では、本方法は、
端末デバイスによって、第２のインジケーション情報を受信するステップであって、第２のインジケーション情報は、離散フーリエ変換拡散直交周波数分割多重ＤＦＴ−ｓ−ＯＦＤＭ波形に対応するコードブックのセットを示すために使用される、ステップ、または
端末デバイスによって、第３のインジケーション情報を受信するステップであって、第３のインジケーション情報は、サイクリックプレフィックス直交周波数分割多重ＣＰ−ＯＦＤＭ波形に対応するコードブックのセットを示すために使用される、ステップをさらに含み、
ＤＦＴ−ｓ−ＯＦＤＭ波形に対応するコードブックのセットは、少なくとも１つのランクに対応する少なくとも１つのコードブックを含み、ＤＦＴ−ｓ−ＯＦＤＭ波形に対応するコードブックのセット内の各コードブックは、第１のタイプのプリコーディング行列および第２のタイプのプリコーディング行列を含み、ＣＰ−ＯＦＤＭ波形に対応するコードブックのセットは、少なくとも１つのランクに対応する少なくとも１つのコードブックを含み、ＣＰ−ＯＦＤＭ波形に対応するコードブックのセット内の各コードブックは、第１のタイプのプリコーディング行列、第２のタイプのプリコーディング行列、および第３のタイプのプリコーディング行列のうちの少なくとも２つのタイプを含み、第１のタイプのプリコーディング行列内の任意の行列の各列ベクトルは、１つだけの非ゼロ要素を含み、いずれか２つの列ベクトル内の非ゼロ要素は、異なる行内に位置し、第２のタイプのプリコーディング行列内の任意の行列の少なくとも１つの列ベクトルは、少なくとも１つのゼロ要素および少なくとも２つの非ゼロ要素を含み、第３のタイプのプリコーディング行列内の任意の行列内の各要素は、非ゼロ要素であり、第３のタイプのプリコーディング行列内の任意の行列のいずれか２つの列ベクトルは、互いに直交する。
【００３２】
任意選択で、第２のインジケーション情報は、上位レイヤシグナリングにおいて搬送される。
【００３３】
任意選択で、第３のインジケーション情報は、上位レイヤシグナリングにおいて搬送される。
【００３４】
上位レイヤシグナリングは、たとえば、ＲＲＣメッセージまたはＭＡＣ−ＣＥメッセージを含み得る。
【００３５】
第２のインジケーション情報および第３のインジケーション情報は、２つの異なる上位レイヤシグナリングにおいて搬送され得、ネットワークデバイスは、同時に、第２のインジケーション情報を搬送するために使用される上位レイヤシグナリング、および第３のインジケーション情報を搬送するために使用される上位レイヤシグナリングのうちのいずれか１つだけを送り得ることに留意されたい。
【００３６】
ＣＰ−ＯＦＤＭ波形に対応するコードブックが第１のタイプのプリコーディング行列および第２のタイプのプリコーディング行列だけを含む場合、ＤＦＴ−ｓ−ＯＦＤＭ波形に対応するコードブックのセットおよびＣＰ−ＯＦＤＭ波形に対応するコードブックのセットは、同じであってよいことにさらに留意されたい。
【００３７】
第３の態様によれば、装置が提供される。本願において提供される装置は、前述の方法の態様におけるネットワークデバイスまたは端末デバイスの挙動を実装する機能を有し、前述の方法の態様に記載のステップまたは機能を実装するように構成された対応する手段（ｍｅａｎｓ）を含む。これらのステップまたは機能は、ソフトウェア、ハードウェアまたはソフトウェアおよびハードウェアの組合せを使用することによって実装され得る。
【００３８】
可能な設計では、装置は、１つまたは複数のプロセッサと、通信ユニットとを含む。１つまたは複数のプロセッサは、前述の方法におけるネットワークデバイスの対応する機能を実施する、たとえば、ＰＭＩおよびＲＩを生成する際に装置をサポートするように構成される。通信ユニットは、受信する、および／または送る機能を実装する、たとえば、ＰＭＩおよびＲＩを送るために、別のデバイスと通信する際に装置をサポートするように構成される。
【００３９】
任意選択で、装置は、１つまたは複数のメモリをさらに含み得、メモリは、プロセッサに結合し、ネットワークデバイスに必要なプログラム命令および／またはデータを記憶するように構成される。１つまたは複数のメモリは、プロセッサと一体化されてもよく、プロセッサと別々に配置されてもよい。これは、本願において限定されない。
【００４０】
装置は、基地局、ｇＮＢ、ＴＲＰなどであってよい。通信ユニットは、トランシーバまたはトランシーバ回路であってよい。任意選択で、トランシーバは、入力／出力回路またはインターフェースであってよい。
【００４１】
あるいは、装置は、通信チップであってよい。通信ユニットは、通信チップの入力／出力回路またはインターフェースであってよい。
【００４２】
別の可能な設計では、装置は、トランシーバ、プロセッサ、およびメモリを含む。プロセッサは、信号を送り受信するようにトランシーバを制御するように構成される。メモリは、コンピュータプログラムを記憶するように構成される。プロセッサは、装置が第１の態様におけるネットワークデバイスまたは第１の態様の任意の可能な実装によって完成された方法を実施するように、メモリ内のコンピュータプログラムを動作させるように構成される。
【００４３】
可能な設計では、装置は、１つまたは複数のプロセッサと、通信ユニットとを含む。１つまたは複数のプロセッサは、前述の方法における端末デバイスの対応する機能、たとえば、ＰＭＩおよびＲＩに基づいてプリコーディング行列を決定すること、および信号をプリコーディングすることを実施する際に装置をサポートするように構成される。通信ユニットは、受信する、および／または送る機能を実装する、たとえば、ＰＭＩおよびＲＩを受信し、またはプリコーディングされた信号を送るために、別のデバイスと通信する際に装置をサポートするように構成される。
【００４４】
任意選択で、装置は、１つまたは複数のメモリをさらに含み得、メモリは、プロセッサに結合し、装置に必要なプログラム命令および／またはデータを記憶するように構成される。１つまたは複数のメモリは、プロセッサと一体化されてもよく、プロセッサと別々に配置されてもよい。これは、本願において限定されない。
【００４５】
装置は、インテリジェント端末、ウェアラブルデバイスなどであってよい。通信ユニットは、トランシーバまたはトランシーバ回路であってよい。任意選択で、トランシーバは、入力／出力回路またはインターフェースであってよい。
【００４６】
あるいは、装置は、通信チップであってよい。通信ユニットは、通信チップの入力／出力回路またはインターフェースであってよい。
【００４７】
別の可能な設計では、装置は、トランシーバ、プロセッサ、およびメモリを含む。プロセッサは、信号を送り受信するようにトランシーバを制御するように構成される。メモリは、コンピュータプログラムを記憶するように構成される。プロセッサは、装置が第２の態様における端末デバイスまたは第２の態様の任意の可能な実装によって完成された方法を実施するように、メモリ内のコンピュータプログラムを動作させるように構成される。
【００４８】
第４の態様によれば、システムが提供され、このシステムは、前述の端末デバイスおよびネットワークデバイスを含む。
【００４９】
第５の態様によれば、コンピュータ可読記憶媒体が提供され、コンピュータプログラムを記憶するように構成されている。コンピュータプログラムは、第１の態様における方法または第１の態様の任意の可能な実装を実施するために使用される命令を含む。
【００５０】
第６の態様によれば、コンピュータ可読記憶媒体が提供され、コンピュータプログラムを記憶するように構成されている。コンピュータプログラムは、第２の態様における方法または第２の態様の任意の可能な実装を実施するために使用される命令を含む。
【００５１】
第７の態様によれば、コンピュータプログラム製品が提供され、コンピュータプログラム製品は、コンピュータプログラムコードを含み、コンピュータプログラムコードがコンピュータ上で動作するとき、コンピュータは、第１の態様における方法または第１の態様の任意の可能な実装を実施することが可能にされる。
【００５２】
第８の態様によれば、コンピュータプログラム製品が提供され、コンピュータプログラム製品は、コンピュータプログラムコードを含み、コンピュータプログラムコードがコンピュータ上で動作するとき、コンピュータは、第２の態様における方法または第２の態様の任意の可能な実装を実施することが可能にされる。
【００５３】
前述の態様の任意の可能な実装では、任意選択で、第１のタイプのプリコーディング行列は、
【００５４】
【数１】
2021503239.tif 000003
【００５５】
または
Ｗ1との行および／もしくは列変換関係を有する行列、の少なくとも１つを満たす。
【００５６】
プリコーディング行列は、アンテナポート間の電力等化が実装され、端末デバイスの電力増幅器の性能に対する要件を削減することができるように、総送信電力が各アンテナポートに均等に割り当てられ得ることをサポートし得る。
【００５７】
任意選択で、第１のタイプのプリコーディング行列は、
【００５８】
【数２】
2021503239.tif 000004
【００５９】
または
Ｗ2との行および／もしくは列変換関係を有する行列、の少なくとも１つを満たす。
【００６０】
プリコーディング行列は、信号ストリーム間の電力等化が実装され、したがって、送信電力が、信号品質を確保するために完全に使用され得ることをサポートし得る。
【００６１】
任意選択で、第１のタイプのプリコーディング行列は、
【００６２】
【数３】
2021503239.tif 000005
【００６３】
または
Ｗ4との行および／もしくは列変換関係を有する行列、の少なくとも１つを満たす。
【００６４】
プリコーディング行列は、アンテナポート間の電力等化をサポートし得、端末デバイスの電力増幅器に対する要件を削減することができるように、総送信電力が各アンテナポートに均等に割り当てられ得る。
【００６５】
任意選択で、第１のタイプのプリコーディング行列は、
【００６６】
【数４】
2021503239.tif 000006
【００６７】
または
Ｗ5との行および／もしくは列変換関係を有する行列、の少なくとも１つを満たす。
【００６８】
プリコーディング行列は、信号ストリーム間の電力等化が実装され、したがって、送信電力が、信号品質を確保するために完全に使用され得ることをサポートし得る。
【００６９】
任意選択で、第２のタイプのプリコーディング行列は、
【００７０】
【数５】
2021503239.tif 000007
【００７１】
または
Ｗ8との行および／もしくは列変換関係を有する行列、の少なくとも１つを満たす。
【００７２】
任意選択で、φ1∈｛１，−１，ｊ，−ｊ｝、φ2∈｛１，−１，ｊ，−ｊ｝であり、ｊは虚数単位である。
【００７３】
あるいは、任意選択で、
【００７４】
【数６】
2021503239.tif 000008
【００７５】
および
【００７６】
【数７】
2021503239.tif 000009
【００７７】
である。
【００７８】
φ1およびφ2の値は、同じであってもよく、異なってもよいことを理解されたい。これは、本願において限定されない。
【００７９】
プリコーディング行列は、信号ストリーム間の電力等化が実装され、したがって、送信電力が、信号品質を確保するために完全に使用され得ることをサポートし得る。
【００８０】
任意選択で、第２のタイプのプリコーディング行列は、
【００８１】
【数８】
2021503239.tif 000010
【００８２】
または
Ｗ9との行および／もしくは列変換関係を有する行列、
または
【００８３】
【数９】
2021503239.tif 000011
【００８４】
または
Ｗ10との行および／もしくは列変換関係を有する行列、の少なくとも１つを満たし、
Ｈ1およびＨ2は、係数行列である。任意選択で、φ1∈｛１，−１，ｊ，−ｊ｝、φ2∈｛１，−１，ｊ，−ｊ｝であり、ｊは虚数単位である。あるいは、任意選択で、
【００８５】
【数１０】
2021503239.tif 000012
【００８６】
および
【００８７】
【数１１】
2021503239.tif 000013
【００８８】
である。
【００８９】
φ1およびφ2の値は、同じであってもよく、異なってもよいことを理解されたい。これは、本願において限定されない。
【００９０】
任意選択で、
【００９１】
【数１２】
2021503239.tif 000014
【００９２】
または
【００９３】
【数１３】
2021503239.tif 000015
【００９４】
である。
【００９５】
任意選択で、
【００９６】
【数１４】
2021503239.tif 000016
【００９７】
または
【００９８】
【数１５】
2021503239.tif 000017
【００９９】
である。
【０１００】
プリコーディング行列の設計では、アンテナポートグループ内のアンテナポート間の電力等化を実装することができ、端末デバイスの電力増幅器に対する要件を削減することができるように、総送信電力が各アンテナポートに均等に割り当てられ得る。
【０１０１】
任意選択で、第２のタイプのプリコーディング行列は、
【０１０２】
【数１６】
2021503239.tif 000018
【０１０３】
または
Ｗ11との行および／もしくは列変換関係を有する行列、のうちの少なくとも１つを含む。
【０１０４】
任意選択で、φ1∈｛１，−１，ｊ，−ｊ｝、φ2∈｛１，−１，ｊ，−ｊ｝であり、ｊは虚数単位である。
【０１０５】
任意選択で、
【０１０６】
【数１７】
2021503239.tif 000019
【０１０７】
および
【０１０８】
【数１８】
2021503239.tif 000020
【０１０９】
である。
【０１１０】
φ1およびφ2の値は、同じであってもよく、異なってもよいことを理解されたい。これは、本願において限定されない。ストリーム間の電力等化が、プリコーディング行列において実装され得る。
【０１１１】
任意選択で、第３のタイプのプリコーディング行列の構造は、
【０１１２】
【数１９】
2021503239.tif 000021
【０１１３】
または
【０１１４】
【数２０】
2021503239.tif 000022
【０１１５】
との行および／もしくは列変換関係を有する行列、または
【０１１６】
【数２１】
2021503239.tif 000023
【０１１７】
または
【０１１８】
【数２２】
2021503239.tif 000024
【０１１９】
との行および／もしくは列変換関係を有する行列、または
【０１２０】
【数２３】
2021503239.tif 000025
【０１２１】
または
【０１２２】
【数２４】
2021503239.tif 000026
【０１２３】
との行および／もしくは列変換関係を有する行列、または
【０１２４】
【数２５】
2021503239.tif 000027
【０１２５】
または
【０１２６】
【数２６】
2021503239.tif 000028
【０１２７】
との行および／もしくは列変換関係を有する行列、または
【０１２８】
【数２７】
2021503239.tif 000029
【０１２９】
におけるいずれか２つもしくは３つの列を含む行列、または
【０１３０】
【数２８】
2021503239.tif 000030
【０１３１】
との行および／もしくは列変換関係を有する行列におけるいずれか２つもしくは３つの列を含む行列、のうちの少なくとも１つを含み、
α∈｛１，−１，ｊ，−ｊ｝ｊは、虚数単位であり、
【０１３２】
【数２９】
2021503239.tif 000031
【０１３３】
および
【０１３４】
【数３０】
2021503239.tif 000032
【０１３５】
は、離散フーリエ変換ＤＦＴベクトルであり、
【０１３６】
【数３１】
2021503239.tif 000033
【０１３７】
および
【０１３８】
【数３２】
2021503239.tif 000034
【０１３９】
を満たし、Ｎは、アンテナポート数であり、Ｎ＝４、Ｏ＝２、ｘ1∈｛０，１｝、およびｘ2∈｛０，１｝である。
【０１４０】
プリコーディング行列の構造について、１つの列ベクトルを構成する２つのＤＦＴベクトルが同じビーム方向を指すことを必要とする必要はない。このようにして、プリコーディング行列の選択範囲が拡張され得、それによりコードブックの最小グラスマン距離を増大し、システム性能改善を容易にする。
【０１４１】
プリコーディング行列は、上記で提供されるプリコーディング行列の構造を使用することによって、変換を通じて得られ得ることに留意されたい。「変換」は、それだけには限らないが、行および／もしくは列変換、ならびに／または正規化処理を含み得る。
【０１４２】
任意選択で、第３のタイプのコードブックサブセット内のプリコーディング行列は、ＷMおよび
【０１４３】
【数３３】
2021503239.tif 000035
【０１４４】
を含む。
【０１４５】
Ｍはランクであり、Ｍは１以上の整数であり、Ｎはアンテナポート数であり、Ｎ≧Ｍ、およびＮは整数である。
【０１４６】
任意選択で、第３のタイプのプリコーディング行列は、ＷMを含み、ＷMは、Ｗ0におけるＭ個の列ベクトルを含み、Ｗ0と、１のランクを有するコードブック内の任意のプリコーディング行列ｕとは、以下の数学的変換関係、すなわち
Ｗ0＝Ｉ−２ｕｕH／ｕHｕ
を満たし、
Ｍはランクであり、Ｍは１以上の整数であり、Ｉは単位行列であり、ｕHは、ｕの共役転置行列である。
【０１４７】
任意選択で、第３のタイプのプリコーディング行列は、ＷMを含み、ＷMは、１のランクを有するコードブック内のＭ個のプリコーディング行列を含み、Ｍはランクであり、Ｍは、１以上の整数である。
【０１４８】
上記に列挙された様々なプリコーディング行列の設計に基づいて、プリコーディング行列の選択範囲を拡張することができ、それによりコードブックの最小グラスマン距離を増大し、システム性能改善を容易にする。
【図面の簡単な説明】
【０１４９】
【図１】本願の一実施形態に適用可能な通信方法の通信システムの概略図である。
【図２】本願の一実施形態による通信方法の概略的な流れ図である。
【図３】本願の一実施形態によるアンテナポートの概略図である。
【図４】本願の一実施形態による端末デバイスの概略図である。
【図５】本願の一実施形態によるネットワークデバイスの概略的な構造図である。
【図６】本願の一実施形態による通信装置の概略的な構造図である。
【発明を実施するための形態】
【０１５０】
以下は、添付の図面を参照して、本願の技術的解決策について記載している。
【０１５１】
本願の実施形態の技術的解決策は、グローバル移動体通信システム（Ｇｌｏｂａｌ  Ｓｙｓｔｅｍ  ｆｏｒ  Ｍｏｂｉｌｅ  ｃｏｍｍｕｎｉｃａｔｉｏｎｓ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割二重（Ｆｒｅｑｕｅｎｃｙ  Ｄｉｖｉｓｉｏｎ  Ｄｕｐｌｅｘ、ＦＤＤ）システム、ＬＴＥ時分割二重（Ｔｉｍｅ  Ｄｉｖｉｓｉｏｎ  Ｄｕｐｌｅｘ、ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、将来の第５世代（５ｔｈ  Ｇｅｎｅｒａｔｉｏｎ、５Ｇ）システム、新無線アクセス技術（ｎｅｗ  ｒａｄｉｏ  ａｃｃｅｓｓ  ｔｅｃｈｎｏｌｏｇｙ、ＮＲ）など様々な通信システムに適用され得る。
【０１５２】
本願の実施形態の理解を容易にするために、図１に示されている第１の通信システムは、本願の実施形態に適用可能な通信システムについて詳細に記載するために、一例として使用される。図１は、本願の一実施形態に適用可能な通信方法の通信システムの概略図である。図１に示されているように、通信システム１００は、ネットワークデバイス１０２と端末デバイス１０６とを含む。ネットワークデバイス１０２は、複数のアンテナと共に構成され得、端末デバイスもまた、複数のアンテナと共に構成され得る。任意選択で、通信システムは、ネットワークデバイス１０４をさらに含み得、ネットワークデバイス１０４もまた、複数のアンテナと共に構成され得る。
【０１５３】
ネットワークデバイス１０２またはネットワークデバイス１０４は、信号を伝送、および受信に関係する複数の構成要素（たとえば、プロセッサ、変調器、マルチプレクサ、復調器、またはデマルチプレクサ）をさらに含み得ることを理解されたい。
【０１５４】
ネットワークデバイスは、ワイヤレストランシーバ機能を有する任意のデバイス、またはデバイス内に配置することができるチップであってよい。デバイスは、それだけには限らないが、イボルブドノードＢ（ｅｖｏｌｖｅｄ  Ｎｏｄｅ  Ｂ、ｅＮＢ）、無線ネットワークコントローラ（Ｒａｄｉｏ  Ｎｅｔｗｏｒｋ  Ｃｏｎｔｒｏｌｌｅｒ、ＲＮＣ）、ノードＢ（ＮｏｄｅＢ、ＮＢ）、基地局コントローラ（Ｂａｓｅ  Ｓｔａｔｉｏｎ  Ｃｏｎｔｒｏｌｌｅｒ、ＢＳＣ）、基地局トランシーバ（Ｂａｓｅ  Ｔｒａｎｓｃｅｉｖｅｒ  Ｓｔａｔｉｏｎ、ＢＴＳ）、ホーム基地局（たとえば、Ｈｏｍｅ  ｅｖｏｌｖｅｄ  ＮｏｄｅＢまたはＨｏｍｅ  ＮｏｄｅＢ、ＨＮＢ）、ベースバンドユニット（ＢａｓｅＢａｎｄ  Ｕｎｉｔ、ＢＢＵ）、ワイヤレスフィデリティ（Ｗｉｒｅｌｅｓｓ  Ｆｉｄｅｌｉｔｙ、Ｗｉ−Ｆｉ）システムにおけるアクセスポイント（Ａｃｃｅｓｓ  Ｐｏｉｎｔ、ＡＰ）、ワイヤレスリレーノード、ワイヤレスバックホールノード、送信ポイント（ｔｒａｎｓｍｉｓｓｉｏｎ  ａｎｄ  ｒｅｃｅｐｔｉｏｎ  ｐｏｉｎｔ、ＴＲＰ；またはｔｒａｎｓｍｉｓｓｉｏｎ  ｐｏｉｎｔ、ＴＰ）などを含み、またはＮＲシステムなど５ＧシステムにおけるｇＮＢもしくは送信ポイント（ＴＲＰまたはＴＰ）、５Ｇシステムにおける基地局のアンテナパネルの１つもしくは１つのグループ（複数のアンテナパネルを含む）であってよく、またはベースバンドユニット（ＢＢＵ）もしくは分散ユニット（ＤＵ、ｄｉｓｔｒｉｂｕｔｅｄ  ｕｎｉｔ）などｇＮＢもしくは送信ポイントを形成するネットワークノードであってよい。
【０１５５】
いくつかの展開では、ｇＮＢは、集約ユニット（ｃｅｎｔｒａｌｉｚｅｄ  ｕｎｉｔ、ＣＵ）およびＤＵを含み得る。ｇＮＢは、無線周波数ユニット（ｒａｄｉｏ  ｕｎｉｔ、ＲＵ）をさらに含み得る。ＣＵは、ｇＮＢの機能の一部を実装し、ＤＵは、ｇＮＢの機能の一部を実装する。たとえば、ＣＵは、無線リソース制御（ｒａｄｉｏ  ｒｅｓｏｕｒｃｅ  ｃｏｎｔｒｏｌ、ＲＲＣ）レイヤおよびパケットデータ収束プロトコル（ｐａｃｋｅｔ  ｄａｔａ  ｃｏｎｖｅｒｇｅｎｃｅ  ｐｒｏｔｏｃｏｌ、ＰＤＣＰ）レイヤの機能を実装し、ＤＵは、無線リンク制御（ｒａｄｉｏ  ｌｉｎｋ  ｃｏｎｔｒｏｌ、ＲＬＣ）レイヤ、メディアアクセス制御（ｍｅｄｉａ  ａｃｃｅｓｓ  ｃｏｎｔｒｏｌ、ＭＡＣ）レイヤ、および物理（ｐｈｙｓｉｃａｌ、ＰＨＹ）レイヤの機能を実装する。ＲＲＣレイヤにおける情報は、最終的にＰＨＹレイヤでの情報になり得、またはＰＨＹレイヤでの情報から変換され得る。したがって、このアーキテクチャでは、ＲＲＣレイヤシグナリングまたはＰＨＣＰレイヤシグナリングなど上位レイヤシグナリングもまた、ＤＵによって送られる、またはＤＵおよびＲＵによって送られるものと考えられ得る。ネットワークデバイスは、ＣＵノード、ＤＵノード、またはＣＵノードおよびＤＵノードを含むデバイスであってよいことが理解され得る。さらに、ＣＵは、アクセスネットワークＲＡＮ内のネットワークデバイスに分類され得、またはＣＵは、コアネットワークＣＮ内のネットワークデバイスに分類され得る。これは、本明細書において限定されない。
【０１５６】
端末デバイスは、ユーザ機器（ｕｓｅｒ  ｅｑｕｉｐｍｅｎｔ、ＵＥ）、アクセス端末、加入者ユニット、加入者局、移動局、移動コンソール、遠隔局、遠隔端末、移動デバイス、ユーザ端末、端末、ワイヤレス通信デバイス、ユーザエージェント、またはユーザ装置とも称されることがある。本願の実施形態における端末デバイスは、移動電話（ｍｏｂｉｌｅ  ｐｈｏｎｅ）、タブレットコンピュータ（Ｐａｄ）、ワイヤレストランシーバ機能を有するコンピュータ、仮想現実（Ｖｉｒｔｕａｌ  Ｒｅａｌｉｔｙ、ＶＲ）端末デバイス、拡張現実（Ａｕｇｍｅｎｔｅｄ  Ｒｅａｌｉｔｙ、ＡＲ）端末デバイス、産業用制御（ｉｎｄｕｓｔｒｉａｌ  ｃｏｎｔｒｏｌ）におけるワイヤレス端末、自動運転（ｓｅｌｆ  ｄｒｉｖｉｎｇ）におけるワイヤレス端末、遠隔医療（ｒｅｍｏｔｅ  ｍｅｄｉｃａｌ）におけるワイヤレス端末、スマートグリッド（ｓｍａｒｔ  ｇｒｉｄ）におけるワイヤレス端末、輸送安全性（ｔｒａｎｓｐｏｒｔａｔｉｏｎ  ｓａｆｅｔｙ）におけるワイヤレス端末、スマートシティ（ｓｍａｒｔ  ｃｉｔｙ）におけるワイヤレス端末、スマートホーム（ｓｍａｒｔ  ｈｏｍｅ）におけるワイヤレス端末などであってよい。応用例のシナリオは、本願の実施形態において限定されない。本願では、前述の端末デバイスおよび前述の端末デバイス内に配置することができるチップは、まとめて端末デバイスと称される。
【０１５７】
通信システム１００では、ネットワークデバイス１０２とネットワークデバイス１０４は共に、複数の端末デバイス（図に示されている端末デバイス１０６など）と通信し得る。ネットワークデバイス１０２およびネットワークデバイス１０４は、端末デバイス１０６と同様の任意の数の端末デバイスと通信し得る。しかし、ネットワークデバイス１０２と通信する端末デバイス、およびネットワークデバイス１０４と通信する端末デバイスは、同じであってもよく、異なってもよいことを理解されたい。図１に示されている端末デバイス１０６は、ネットワークデバイス１０２およびネットワークデバイス１０４と同時に通信し得る。しかし、これは、１つの可能なシナリオを示すにすぎない。いくつかのシナリオでは、端末デバイスは、ネットワークデバイス１０２またはネットワークデバイス１０４だけと通信し得る。これは、本願において限定されない。
【０１５８】
図１は、理解を容易にするための一例として使用される単純化された概略図にすぎないことを理解されたい。通信システムは、別のネットワークデバイスをさらに含んでもよく、別の端末デバイスをさらに含んでもよく、これは図１に示されていない。
【０１５９】
本願の実施形態の理解を容易にするために、以下は、ＬＴＥシステムにおける物理チャネル上の信号（たとえば、参照信号またはデータを含む）を処理する処理について簡単に記載している。上位レイヤからのコードワード（ｃｏｄｅ  ｗｏｒｄ）が物理チャネル上で処理され得、コードワードは、コーディングされた（たとえば、チャネルコーディングを含む）ビットストリームであってよい。コードワードがスクランブリング（ｓｃｒａｍｂｌｉｎｇ）され、スクランブリングされたビットストリームを生成する。スクランブリングされたビットストリームは、変調マッピング（ｍｏｄｕｌａｔｉｏｎ  ｍａｐｐｉｎｇ）を受け、変調シンボルストリームを得る。変調シンボルストリームは、レイヤマッピング（ｌａｙｅｒ  ｍａｐｐｉｎｇ）を通じて複数のレイヤ（ｌａｙｅｒ）にマッピングされる。区別および説明を容易にするために、本願の実施形態では、レイヤマッピング後に得られたシンボルは、レイヤマッピング済み信号ストリームと称される（またはシンボルストリームまたは空間ストリームと称される）ことがある。レイヤマッピング済み信号ストリームは、プリコーディング（ｐｒｅｃｏｄｉｎｇ）を受け、複数のプリコーディングされた信号ストリーム（またはプリコーディングされたシンボルストリームと称される）を得る。プリコーディングされた信号ストリームがリソース要素（ｒｅｓｏｕｒｃｅ  ｅｌｅｍｅｎｔ、ＲＥ）マッピングを受けた後、プリコーディングされた信号ストリームは、複数のＲＥにマッピングされる。次いで、これらのＲＥは、直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ、ＯＦＤＭ）を通じて変調され、ＯＦＤＭシンボルストリームを生成する。次いで、ＯＦＤＭシンボルストリームは、アンテナポート（ａｎｔｅｎｎａ  ｐｏｒｔ）を通じて送信される。
【０１６０】
しかし、当業者なら、本願に述べられている様々な信号ストリームが変調シンボルストリームであることを理解されたい。レイヤマッピング済み信号ストリームおよびプリコーディングされた信号ストリームなど、区別を容易にするために定義されている用語は、本願に対するいかなる限定も構成するべきでないことをさらに理解されたい。本願は、前述の名前に取って代わるように既存または将来のプロトコルにおいて他の名前が使用される可能性を排除しない。以下では複数の場所に現れる信号ストリームについて詳細に記載されていないが、当業者なら、前述の処理の実行シーケンスに従って、各場所における信号ストリームの特定の意味を理解し得る。
【０１６１】
前述の処理する処理に基づいて、ネットワークデバイス１０２は、複数のアンテナを使用することによって複数の端末デバイスにダウンリンク信号を送り得、端末デバイスは、複数のアンテナを使用することによって同じネットワークデバイス（たとえば、図に示されているネットワークデバイス１０２）または異なるネットワークデバイス（たとえば、図に示されているネットワークデバイス１０２およびネットワークデバイス１０４）にアップリンク信号を送り得る。ＭＩＭＯ技術では、複数のユーザ間の干渉および同じユーザの複数の信号ストリーム間の干渉は、プリコーディングを通じて低減され得る。
【０１６２】
プリコーディングは、チャネル状態が知られているとき、送信されることになる信号は、送信端で事前処理される、すなわち、送信されることになる信号は、チャネルリソースにマッチするプリコーディング行列を使用することによって処理され、その結果、プリコーディングされた送信されることになる信号は、チャネルに適合され、受信端に対するチャネル間の影響を解消する複雑さが低減される。したがって、送信信号は、プリコーディングされ、その結果、受信信号品質（たとえば、信号対干渉雑音比（ｓｉｇｎａｌ  ｔｏ  ｉｎｔｅｒｆｅｒｅｎｃｅ  ｐｌｕｓ  ｎｏｉｓｅ  ｒａｔｉｏ、ＳＩＮＲ））が改善される。したがって、送信端デバイスと複数の受信端デバイスとの間の送信は、プリコーディングを通じて同じ時間周波数リソース上で実装され得る、すなわち、マルチユーザ多重入力多重出力（ｍｕｌｔｉ−ｕｓｅｒ  ｍｕｌｔｉｐｌｅ−ｉｎｐｕｔ  ｍｕｌｔｉｐｌｅ−ｏｕｔｐｕｔ、ＭＵ−ＭＩＭＯ）が実装される。プリコーディングの関連の説明は、一例として使用されているにすぎず、本願の実施形態の保護範囲を限定するためには使用されないことに留意されたい。特定の実装処理では、プリコーディングは、別の方式でさらに実施され得る（たとえば、チャネル行列を学習することができないとき、プリコーディングは、事前設定されたプリコーディング行列を使用することによって、または重み付け処理方式で実施される）。詳細は、本明細書に記載されていない。
【０１６３】
可能な実装では、チャネルに適合させることができるプリコーディング行列を得るために、送信端デバイスは、最初に、参照信号を送ることによってチャネル測定を実施し得、それにより、送られることになる信号をプリコーディングするために比較的正確なプリコーディング行列を決定する。具体的には、送信端デバイスは、ネットワークデバイスであってよく、受信端デバイスは、端末デバイスであってよい。参照信号は、ダウンリンクチャネル測定のために使用される参照信号、たとえば、チャネル状態情報参照信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、ＣＳＩ−ＲＳ）であってよい。端末デバイスは、受信されたＣＳＩ−ＲＳに基づいてＣＳＩ測定を実施し、ダウンリンクチャネルのＣＳＩをネットワークデバイスにフィードバックし得る。あるいは、送信端デバイスは、端末デバイスであってよく、受信端デバイスは、ネットワークデバイスであってよい。参照信号は、アップリンクチャネル測定のために使用される参照信号、たとえば、サウンディング参照信号（ｓｏｕｎｄｉｎｇ  ｒｅｆｅｒｅｎｃｅ  ｓｉｇｎａｌ、ＳＲＳ）であってよい。ネットワークデバイスは、受信されたＳＲＳに基づいてＣＳＩ測定を実施し、アップリンクチャネルのＣＳＩを端末デバイスに対して示し得る。ＣＳＩは、たとえば、プリコーディング行列インジケータ（ｐｒｅｃｏｄｉｎｇ  ｍａｔｒｉｘ  ｉｎｄｉｃａｔｏｒ、ＰＭＩ）、ランクインジケーション（ｒａｎｋ  ｉｎｄｉｃａｔｉｏｎ、ＲＩ）、およびチャネル品質インジケータ（ｃｈａｎｎｅｌ  ｑｕａｌｉｔｙ  ｉｎｄｉｃａｔｏｒ、ＣＱＩ）を含み得る。
【０１６４】
ダウンリンクチャネル測定のために使用される列挙されている参照信号、およびアップリンクチャネル測定のために使用される列挙されている参照信号は、説明のための例にすぎず、本願に対していかなる限定をも構成するべきでないことを理解されたい。たとえば、ダウンリンクチャネル測定のために使用される参照信号は、さらに、ダウンリンク復調参照信号（Ｄｅｍｏｄｕｌａｔｉｏｎ  ｒｅｆｅｒｅｎｃｅ  ｓｉｇｎａｌ、ＤＭＲＳ）、トラッキング参照信号（Ｔｒａｃｋｉｎｇ  ｒｅｆｅｒｅｎｃｅ  ｓｉｇｎａｌ、ＴＲＳ）、または位相トラッキング参照信号（ｐｈａｓｅ  ｔｒａｃｋｉｎｇ  ｒｅｆｅｒｅｎｃｅ  ｓｉｇｎａｌ、ＰＴＲＳ）であってよい。アップリンクチャネル測定のために使用される参照信号は、さらに、アップリンクＤＭＲＳなどであってよい。さらに、本願は、将来のプロトコルにおける同じまたは同様の機能を有する他の参照信号を定義する可能性を排除せず、本願は、別の既存の参照信号を将来のプロトコルにおけるチャネル測定のための参照信号として定義する可能性を排除しない。
【０１６５】
送信端デバイスによってプリコーディング行列を決定する方式は、参照信号に基づいてチャネル測定を実施する前述の方式に限定されないことを理解されたい。送信端デバイスは、さらに、アップリンクチャネルおよびダウンリンクチャネルの相互性に基づいてチャネルを推定する、たとえば、アップリンクチャネルのチャネル状態情報（ｃｈａｎｎｅｌ  ｓｔａｔｅ  ｉｎｆｏｒｍａｔｉｏｎ、ＣＳＩ）に基づいてダウンリンクチャネルのＣＳＩを推定し得る。この場合、アップリンクチャネルのＣＳＩは、端末デバイスによって送られる参照信号（たとえば、ＳＲＳ）に基づいて決定され得る。プリコーディング行列を決定する方式は、本願において限定されない。
【０１６６】
異なるシナリオに適応するように端末デバイスの送信柔軟性を改善するために、現在、複数の送信方式（またはプリコーディング方式）が提案されている。以下は、本願の実施形態における端末デバイスのアップリンク送信処理のいくつかの送信形態について簡単に記載している。
【０１６７】
１．コヒーレント送信：送るために１つの空間ビームを形成するように、１つのレイヤマッピング済み信号ストリームが、すべての構成されている送信アンテナポートを使用することによってプリコーディングされ得る。異なるレイヤマッピング済み信号ストリームに対応する空間ビームは、異なっている。これは、干渉を低減し、信号品質を改善するためのビームフォーミングとして理解され得る。
【０１６８】
２．非コヒーレント送信：１つのレイヤマッピング済み信号ストリームが、１つの送信アンテナポートを使用することによってプリコーディングされ送られ得る。異なるレイヤマッピング済み信号ストリームは異なる送信アンテナポートを使用し、レイヤマッピング済み信号ストリームを送るために異なる送信アンテナポートが使用されるとき使用される時間周波数リソースは、同じであり得る。これは、アンテナポート選択として理解され得、それによりリソース利用を改善する。
【０１６９】
３．部分的なコヒーレント送信：送るために１つの空間ビームを形成するように、１つのレイヤマッピング済み信号ストリームが、構成されている送信アンテナポートの一部を使用することによってプリコーディングされ得る。少なくとも２つのレイヤマッピング済み信号ストリームによって使用される送信アンテナポートは異なっており、または少なくとも２つのレイヤマッピング済み信号ストリームは、異なる空間ビームに対応している。異なる信号ストリームが異なる空間ビームを使用することによって送られるので、端末デバイスは、同じ時間周波数リソースを使用することによって異なるネットワークデバイスと通信し得る。
【０１７０】
上記に列挙されている３つの送信形態は、主にプリコーディング段階が異なり、１つのレイヤマッピング済み信号ストリームは、異なる数のアンテナを使用することによって別々にプリコーディングされることを学習することができる。したがって、前述の３つの送信形態もまた、プリコーディング方式と称されることがある。
【０１７１】
上記に列挙されている３つの送信形態は、異なるシナリオに適用され得、異なる端末デバイスは、送信形態をサポートする異なる能力を有する。いくつかの端末デバイスは、前述の３つの送信形態をサポートし得、いくつかの端末デバイスは、前述の３つの送信形態のうちの１つだけ、または２つをサポートし得る。コードブックが複数の送信形態をサポートしない場合、端末デバイスの送信柔軟性は、著しく限定され得る。
【０１７２】
これに鑑みて、本願は、前述の複数の可能な送信形態をサポートし、送信柔軟性を改善するように、通信方法を提供する。
【０１７３】
以下は、添付の図面を参照して、本願の実施形態について詳細に記載している。
【０１７４】
本願の技術的解決策は、ワイヤレス通信システム、たとえば、図１に示されている通信システム１００に適用され得ることを理解されたい。通信システムは、少なくとも１つのネットワークデバイスと、少なくとも１つの端末デバイスとを含み得、ネットワークデバイスおよび端末デバイスは、無線エアインターフェースを使用することによって互いに通信し得る。たとえば、通信システムにおけるネットワークデバイスは、図１に示されているネットワークデバイス１０２またはネットワークデバイス１０４に対応し得、端末デバイスは、図１に示されている端末デバイス１０６に対応し得る。
【０１７５】
以下に示されている実施形態では、第１、第２、第３、第４、第５、第６、および第７は、異なる物体間で区別するのを容易にするために使用されているにすぎず、本願に対するいかなる限定も構成するべきでない、たとえば、異なるインジケーション情報と異なるインジケーションフィールドとを区別するべきでないことをさらに理解されたい。
【０１７６】
一般性を失うことなしに、以下は、１つの端末デバイスとネットワークデバイスとの間のインタラクション処理を一例として使用することによって本願の実施形態について詳細に記載している。端末デバイスは、ワイヤレス通信システム内にあり、ネットワークデバイスとワイヤレス接続関係を有する任意の端末デバイスであってよい。ネットワークデバイスは、同じ技術的解決策に基づいてワイヤレス通信システムにおいてネットワークデバイスとワイヤレス接続関係を有する複数の端末デバイスと通信し得ることが理解され得る。これは、本願において限定されない。
【０１７７】
図２は、デバイス相互作用の観点からの、本願の一実施形態による通信方法２００の概略フローチャートである。図２に示されるように、方法２００は、ステップ２１０からステップ２４０を含み得る。
【０１７８】
ステップ２１０において、ネットワークデバイスは、ＰＭＩおよびＲＩを送る。
【０１７９】
対応して、ステップ２１０において、端末デバイスは、ＰＭＩおよびＲＩを受信する。
【０１８０】
具体的には、ＰＭＩおよびＲＩは、コードブック内のプリコーディング行列を示すために使用され得る。ＲＩは、ランクを示すために使用され得、ＰＭＩは、ＲＩに対応するコードブック内のプリコーディング行列を示すために使用され得る。本願のこの実施形態において、ＲＩによって示される（たとえば、Ｍと表される）ランクは、１より大きい整数であり得る。言い換えれば、コードブックは、より高次のコードブックであり得る。
【０１８１】
本願のこの実施形態において、ＰＭＩは、プリコーディング行列を示すために使用される可能なインジケーション情報のピースであり、ＰＭＩは、送信ＰＭＩ（Ｔｒａｎｓｍｉｓｓｉｏｎ  ＰＭＩ、ＴＰＭＩ）とも称され得る。ＲＩは、ランクを示すために使用される可能なインジケーション情報のピースである。いくつかの場合において、ＲＩは、ＴＲＩ（Ｔｒａｎｓｍｉｓｓｉｏｎ  ＲＩ、トリ）とも称され得る。ＰＭＩ、ＲＩ、ＴＰＭＩ、およびＴＲＩは、インジケーション情報について使用される特定の形態にすぎず、本願に対するいかなる限定も構成するべきでないことが理解されるべきである。本願は、同じ機能または同様の機能を実装するために将来的なプロトコルにおいて他のインジケーション情報を定義する可能性を排除しない。
【０１８２】
また、ネットワークデバイスは端末デバイスに１つまたは複数のＰＭＩを送ってもよく、ＰＭＩの数は本願において限定されないことがさらに留意されるべきである。下記において、ネットワークデバイスによって端末デバイスに送られるＰＭＩの数および示される情報は、プリコーディング行列を示す特定の手法を参照して詳細に説明される。
【０１８３】
任意選択で、ステップ２１０の前に、方法は、ステップ２２０をさらに含む：ネットワークデバイスは、ＰＭＩおよびＲＩを決定する。
【０１８４】
可能な実装では、ネットワークデバイスは、受信される基準信号（たとえば、ＳＲＳ）に基づいて、ＰＭＩおよびＲＩを決定し得る。ネットワークデバイスは、基準信号に基づいてチャネル行列Ｈをまず推定し、チャネル行列のランク（ｒａｎｋ）、つまり、プリコーディング行列のコラムの数を決定し得、その結果、ランクに対応するコードブックが決定されることが可能である。ネットワークデバイスは、ランクに対応するコードブックからプリコーディング行列をさらに決定してもよい。ランクに対応するコードブックに含まれるプリコーディング行列は、候補プリコーディング行列のセットとして理解されてよいことが理解され得る。ネットワークデバイスは、候補プリコーディング行列のセットから、現在のチャネルに適合されたプリコーディング行列（区別および説明の容易さのために、ターゲットプリコーディング行列と表される）を決定し得る。たとえば、ターゲットプリコーディング行列は、候補プリコーディング行列と理想的なプリコーディング行列との間の近接度をメトリックとして使用することによって決定される。理想的なプリコーディング行列は、チャネル行列Ｈに基づいて計算されたプリコーディング行列であり得る。
【０１８５】
たとえば、ネットワークデバイスは、特異値分解（ｓｉｎｇｕｌａｒ  ｖａｌｕｅ  ｄｅｃｏｍｐｏｓｉｔｉｏｎ、ＳＶＤ）手法でターゲットプリコーディング行列を決定し得る。具体的には、基準信号に基づいてチャネル行列Ｈを測定および取得した後、ネットワークデバイスは、取得することになるチャネル行列Ｈに対してＳＶＤを実施し得る：
Ｈ＝Ｕ・Ｓ・ＶH、
ただし、ＵおよびＶHはユニタリ行列であり、Ｓは対角行列であり、対角行列の非ゼロ要素（すなわち、対角線上の要素）は、チャネル行列Ｈの特異値であり、これらの特異値は、通常、降順で配置され得る。右側のユニタリ行列ＶHの共役転置行列Ｖは、理想的なプリコーディング行列である。言い換えれば、理想的なプリコーディング行列は、チャネル行列Ｈに基づいて計算されたプリコーディング行列である。
【０１８６】
ネットワークデバイスは、候補プリコーディング行列と理想的なプリコーディング行列との間の近接度を決定し得、ただし、近接度は、たとえば、候補プリコーディング行列と理想的なプリコーディング行列との間の距離として表され得るが、これに限定されない（たとえば、ユークリッド距離、ただし、これに限定されない）。ネットワークデバイスは、各候補プリコーディング行列に対して前述の処理を実施して、各候補プリコーディング行列と理想的なプリコーディング行列との間の近接度を取得し得る。最も高い近接度を有する候補行列は、ターゲットプリコーディング行列として選択され得、ターゲットプリコーディング行列は、ネットワークデバイスによってＰＭＩおよびＲＩを使用することによって端末デバイスに示されるプリコーディング行列である。
【０１８７】
前述の例においてＳＶＤを実施することによって理想的なプリコーディング行列を決定するための方法は、１つの可能な実装にすぎず、本願のこの実施形態に対するいかなる限定も構成するべきでないことが理解されるべきである。たとえば、ネットワークデバイスは、受信機アルゴリズム、たとえば、最小平均二乗誤差（ｍｉｎｉｍｕｍ  ｍｅａｎ  ｓｑｕａｒｅ  ｅｒｒｏｒ、ＭＭＳＥ）、ゼロフォーシング（ｚｅｒｏ−ｆｏｒｃｉｎｇ、ＺＦ）、および最大比合成（ｍａｘｉｍｕｍ  ｒａｔｉｏ  ｃｏｍｂｉｎｉｎｇ、ＭＲＣ）などを使用することによって、理想的なプリコーディング行列をさらに決定し得る。前述の例においてユークリッド距離に基づいてターゲットプリコーディング行列を決定するための方法は、１つの可能な実装にすぎず、本願に対するいかなる限定も構成するべきでないことがさらに理解されるべきである。たとえば、ネットワークデバイスは、ＰＭＩを決定するために、スループット最大化、ＳＩＮＲ最大化、または別の基準に基づいて、ターゲットプリコーディング行列をさらに決定し得る。
【０１８８】
基準信号に基づいて、ネットワークデバイスによってチャネル行列を決定し、チャネル行列に基づいて、ランクおよびプリコーディング行列を決定するための特定の方法は、先行技術における方法と同じであってよいことがさらに理解されるべきである。簡潔さのために、その特定の処理の詳細な説明は、本明細書におけて省略される。また、ネットワークデバイスは、チャネル状態に基づいて、ＲＩおよびＰＭＩを決定し、端末デバイスにＲＩおよびＰＭＩを示してもよく、基準信号に基づいて、ＲＩおよびＰＭＩを決定しない。これは本願において限定されない。
【０１８９】
より柔軟な送信形態をサポートするために、本願のこの実施形態において、前述のコードブックは、第１のタイプのプリコーディング行列、第２のタイプのプリコーディング行列、および第３のタイプのプリコーディング行列のうちの少なくとも２つのタイプを含み得る。言い換えれば、コードブックは、タイプによって、第１のタイプのプリコーディング行列および第２のタイプのプリコーディング行列に分類されてよく、またはタイプによって、第２のタイプのプリコーディング行列および第３のタイプのプリコーディング行列に分類されてよく、またはタイプによって、第１のタイプのプリコーディング行列および第３のタイプのプリコーディング行列に分類されてよく、またはタイプによって、第１のタイプのプリコーディング行列、第２のタイプのプリコーディング行列、および第３のタイプのプリコーディング行列に分類されてよい。プリコーディング行列の各タイプは、１つの送信形態に対応し得る。言い換えれば、コードブックは、少なくとも２つの伝送形態をサポートし得る。
【０１９０】
具体的には、第１のタイプのプリコーディング行列内の任意の行列は、各列ベクトルが、１つだけの非ゼロ要素を含み、各プリコーディング行列内のいずれか２つの列ベクトル内の非ゼロ要素が、異なる行内に位置することを満たし得る。第１のタイプのプリコーディング行列は、非コヒーレント送信を実施するために端末デバイスによって使用され得る。
【０１９１】
第２のタイプのプリコーディング行列内の任意の行列は、少なくとも１つの列ベクトルが、少なくとも１つのゼロ要素および少なくとも２つの非ゼロ要素を含むことを満たし得る。第２のタイプのプリコーディング行列は、部分的なコヒーレント送信を実施するために端末デバイスによって使用され得る。
【０１９２】
第３のタイプのプリコーディング行列内の任意の行列は、各要素が、非ゼロ要素であり、同じ行列内のいずれか２つの列ベクトルが、互いに直交することを満たし得る。第３のタイプのプリコーディング行列は、コヒーレント送信を実施するために端末デバイスによって使用され得る。第３のタイプのプリコーディング行列は、コヒーレント送信を実施するために端末デバイスによって使用され得る。
【０１９３】
下記は、特定のプリコーディング行列を参照して、本願において提案される３つのタイプのプリコーディング行列を詳細に説明する。
【０１９４】
理解の容易さのためだけに、いくつかの可能なプリコーディング行列が、下記において各タイプのプリコーディング行列について示されることが留意されるべきである。しかしながら、これは、本願に対するいかなる限定も構成するべきでない。本願において提案されるプリコーディング行列は、下記に列挙されるプリコーディング行列のうちの少なくとも１つを満たし得る。言い換えれば、下記に列挙されるプリコーディング行列のうちの少なくとも１つを満たすいかなる行列も、本願によって特許請求される保護範囲内に収まるべきである。
【０１９５】
１つまたは複数の可能なプリコーディング行列は、各タイプのプリコーディング行列について下記に示されることがさらに留意されるべきである。３つのタイプのプリコーディング行列について下記に列挙されるプリコーディング行列の一部または全部は、コードブックに記憶されてよく、つまり、コードブックは、下記に列挙される３つのタイプのプリコーディング行列のいずれか２つのタイプの一部もしくは全部を記憶してよく、または３つのタイプのプリコーディング行列の一部もしくは全部を記憶してよい。これは、本願において限定されない。
【０１９６】
「下記のうちの少なくとも１つを満たすこと」は、「下記のうちの少なくとも１つを含むこと」に限定されず、「下記のうちの少なくとも１つから変換を通じて取得されること」をさらに含み得ることが留意されるべきである。本明細書において、「変換」は、行および／もしくは列変換、ならびに／または正規化処理を含み得るが、これに限定されない。
【０１９７】
たとえば、プリコーディング行列がＷ0を満たすと仮定される場合、Ｗ0との行および／または列変換関係を有する行列、正規化処理がＷ0に対して実施された後に取得される行列、ならびに、正規化処理がＷ0に対して実施された後に取得される行列に対して、行および／または列変換が実施された後に取得される行列は、本願における「Ｗ0を満たすこと」の保護範囲内に収まるべきである。つまり、コードブック内のプリコーディング行列は、Ｗ0、またはＷ0との行および／もしくは列変換関係を有する行列、またはＷ0に対して正規化処理を実施することによって取得される行列、またはＷ0との行および／もしくは列変換関係を有する行列に対して、正規化処理を実施することによって取得される行列のうちの少なくとも１つを含み得る。
【０１９８】
言い換えれば、Ｗ0は、プリコーディング行列の可能な構造（または基本形態）として理解され得る。この構造に基づいて、正規化処理などの変換を実施することによって取得されるプリコーディング行列も、本願のこの実施形態において提供されるプリコーディング行列の開示されている範囲内に収まり、プリコーディング行列はＷ0の式関係を満たすことが理解され得る。特定の説明において、「構造」は省略され得る。しかしながら、プリコーディング行列に対して実施される変換、たとえば、正規化処理および／または行／列関係変換などは、プリコーディング行列の適用に実質的な影響を及ぼさず、下記の実施形態においてプリコーディング行列に対する正規化処理および／または行／列関係変換などの変換を通じて取得されるプリコーディング行列も、本願のこの実施形態において提供されるプリコーディング行列の開示されている範囲内にあるものとして理解されるべきである。
【０１９９】
正規化処理中に、係数が、基本形態における各要素に割り当てられ得、その結果、要素に対応する電力の和は１以下である。任意選択で、正規化処理は、基本形態に一定の係数を乗算して、各レイヤの電力、または各アンテナポートの電力、または各ストリームの電力を調整することを含むが、これに限定されない。たとえば、正規化処理は、
【０２００】
【数３４】
2021503239.tif 000036
【０２０１】
を取得するためにＷ0に対して実施される。Ｍはランクであり、Ｎはアンテナポート数である。次いで、Ｗ0との行および／または列変換関係を有する行列は、Ｗ0との行および／もしくは列変換関係を有する行列、または
【０２０２】
【数３５】
2021503239.tif 000037
【０２０３】
または
【０２０４】
【数３６】
2021503239.tif 000038
【０２０５】
との行および／もしくは列変換関係を有する行列のうちの少なくとも１つを含み得る。
【０２０６】
【数３７】
2021503239.tif 000039
【０２０７】
は正規化係数と称され得、各ストリームの電力を調整するために使用され得る。正規化係数は、０より大きい定数であり得る。
【０２０８】
本願のこの実施形態内において、１つのプリコーディング行列が複数の列ベクトルを含む場合、１つのプリコーディング行列は、所定の数の行および所定の数の列に基づいて、複数の列ベクトルを接合することによって取得される行列であってよいこと、または、複数の列ベクトルを接合することによって取得される行列に対して、所定の数の行および所定の数の列に基づいて、行および／もしくは列変換を実施することによって取得される行列であってよいことが理解され得ることが、さらに留意されるべきである。
【０２０９】
下記は、特定のプリコーディング行列を参照して、本願において提案される３つのタイプのプリコーディング行列を詳細に説明する。
【０２１０】
１．第１のタイプのプリコーディング行列
【０２１１】
（１）ランクは２である。
【０２１２】
可能な設計では、２のランクを有するプリコーディング行列の構造（すなわち、上述されたプリコーディング行列の基本形態）は、
【０２１３】
【数３８】
2021503239.tif 000040
【０２１４】
または
【０２１５】
【数３９】
2021503239.tif 000041
【０２１６】
との行および／もしくは列変換関係を有する行列
を満たし得る。
【０２１７】
【数４０】
2021503239.tif 000042
【０２１８】
における下付き文字は、第１のタイプのプリコーディング行列を表し、上付き文字は、２のランクを有するプリコーディング行列の第１の構造を表す。各列ベクトルは、１つだけの非ゼロ要素を含み、２つの列ベクトル内の非ゼロ要素は、異なる行内に位置する。
【０２１９】
限定ではなく、例として、
【０２２０】
【数４１】
2021503239.tif 000043
【０２２１】
との行および／または列変換関係を有する行列は、
【０２２２】
【数４２】
2021503239.tif 000044
【０２２３】
または
【０２２４】
【数４３】
2021503239.tif 000045
【０２２５】
を含み得る。
【０２２６】
【数４４】
2021503239.tif 000046
【０２２７】
との行および／または列変換関係を有する、上記に列挙された行列は、説明のための単なる例にすぎず、本願に対するいかなる限定も構成するべきでないことが理解されるべきである。第１のタイプのプリコーディング行列において、２のランクを有するプリコーディング行列の構造は、前述の例のうちの少なくとも１つを含んでよく、または前述の例と異なる、
【０２２８】
【数４５】
2021503239.tif 000047
【０２２９】
との行および／または列変換関係を有する行列を含んでよい。
【０２３０】
任意選択で、２のランクを有するプリコーディング行列は、
【０２３１】
【数４６】
2021503239.tif 000048
【０２３２】
または
Ｗ1との行および／または列変換関係を有する行列
のうちの少なくとも１つを満たす。
【０２３３】
【数４７】
2021503239.tif 000049
【０２３４】
は、正規化係数であり、または一定係数と称される。プリコーディング行列は、４つの行および２つの列の行列であり、つまり、２のランクを有する、４つのアンテナポートのプリコーディング行列である。アンテナポート間の電力平衡を満たすために、総送信電力は、各アンテナポートに均一に割り当てられ得、その結果、端末デバイスの電力増幅器に対する要件が低減されることが可能である。正規化処理は、総送信電力の
【０２３５】
【数４８】
2021503239.tif 000050
【０２３６】
が、４つのアンテナポートの各々に割り当てられ得ることを意味する。つまり、電力の
【０２３７】
【数４９】
2021503239.tif 000051
【０２３８】
が、プリコーディング行列内の各行ベクトルに割り当てられ得、したがって、正規化係数
【０２３９】
【数５０】
2021503239.tif 000052
【０２４０】
、すなわち、
【０２４１】
【数５１】
2021503239.tif 000053
【０２４２】
が取得され得る。したがって、Ｗ1、ならびにＷ1との行および／または列変換関係を有する行列は、アンテナポート間の電力平衡を満たすプリコーディング行列として考慮されてよく、
【０２４３】
【数５２】
2021503239.tif 000054
【０２４４】
は、アンテナポート間の電力平衡を満たす正規化係数として考慮されてよい。
【０２４５】
限定ではなく、例として、Ｗ1との行および／または列変換関係を有する行列は、
【０２４６】
【数５３】
2021503239.tif 000055
【０２４７】
または
【０２４８】
【数５４】
2021503239.tif 000056
【０２４９】
を含み得る。
【０２５０】
上記に列挙されたＷ1、およびＷ1との行および／または列変換関係を有する行列は、説明のための単なる例にすぎず、本願に対するいかなる限定も構成するべきでないことが理解されるべきである。第１のタイプのプリコーディング行列において、２のランクを有するプリコーディング行列は、前述の例のうちの少なくとも１つを含んでよく、または、前述の例と異なる、Ｗ1との行および／もしくは列変換関係を有する行列を含んでよい。
【０２５１】
区別および説明の容易さのために、上記に列挙されたＷ1、ならびにＷ1との行および／または列変換関係を有する行列は、タイプＡ（Ｔｙｐｅ  Ａ）のプリコーディング行列と称され得る。タイプＡのプリコーディング行列は、第１のタイプのプリコーディング行列のサブタイプとして理解されてよく、タイプＡのプリコーディング行列は、アンテナポート間の電力平衡割り当てに基づいて設計され得ることが理解されるべきである。
【０２５２】
任意選択で、２のランクを有するプリコーディング行列は、
【０２５３】
【数５５】
2021503239.tif 000057
【０２５４】
または
Ｗ2との行および／もしくは列変換関係を有する行列
のうちの少なくとも１つを満たす。
【０２５５】
【数５６】
2021503239.tif 000058
【０２５６】
は正規化係数である。ストリーム間の電力平衡を満たすために、総送信電力は、各ストリームに均一に割り当てられ得る。したがって、送信電力は、信号品質を保証するために完全に使用され得る。正規化処理は、総送信電力の
【０２５７】
【数５７】
2021503239.tif 000059
【０２５８】
が各アンテナポートに割り当てられ得ることを意味する。しかしながら、プリコーディング行列内の各列ベクトルは、１つだけの非ゼロ要素を含み、つまり、各レイヤは、１つだけのアンテナポート（すなわち、非ゼロ要素を含む行）を使用することによって信号を送信するので、別のアンテナポート（すなわち、非ゼロ要素を含まない行）に割り当てられる電力は、送信信号を有するアンテナポート（すなわち、非ゼロ要素を含む行）によって使用され得る。つまり、各アンテナポートの電力は改善され得、各アンテナポートの送信電力は、
【０２５９】
【数５８】
2021503239.tif 000060
【０２６０】
から
【０２６１】
【数５９】
2021503239.tif 000061
【０２６２】
に増加され得、したがって、正規化係数
【０２６３】
【数６０】
2021503239.tif 000062
【０２６４】
が取得され得る。したがって、Ｗ2、ならびにＷ2との行および／または列変換関係を有する行列は、ストリーム（具体的には、信号ストリーム）間の電力平衡を満たすプリコーディング行列として考慮されてよく、
【０２６５】
【数６１】
2021503239.tif 000063
【０２６６】
は、ストリーム間の電力平衡を満たす正規化係数として考慮されてよい。
【０２６７】
限定ではなく、例として、Ｗ2との行および／または列変換関係を有する行列は、
【０２６８】
【数６２】
2021503239.tif 000064
【０２６９】
または
【０２７０】
【数６３】
2021503239.tif 000065
【０２７１】
を含み得る。
【０２７２】
上記に列挙されたＷ2、ならびにＷ2との行および／または列変換関係を有する行列は、説明のための単なる例にすぎず、本願に対するいかなる限定も構成するべきでないことが理解されるべきである。第１のタイプのプリコーディング行列において、２のランクを有するプリコーディング行列は、前述の例のうちの少なくとも１つを含んでよく、または、前述の例と異なる、Ｗ2との行および／もしくは列変換関係を有する行列を含んでよい。
【０２７３】
区別および説明の容易さのために、上記に列挙されたＷ2、ならびにＷ2との行および／または列変換関係を有する行列は、タイプＢ（Ｔｙｐｅ  Ｂ）のプリコーディング行列と称され得る。タイプＢのプリコーディング行列は、別のサブタイプの第１のタイプのプリコーディング行列として理解されてよく、タイプＢのプリコーディング行列は、信号ストリーム間の電力平衡割り当てに基づいて設計され得ることが理解されるべきである。
【０２７４】
上記に列挙されたＷ1、ならびにＷ1との行および／または列変換関係を有する行列、Ｗ2ならびにＷ2との行および／または列変換関係を有する行列は、説明のための単なる例にすぎず、本願に対するいかなる限定も構成するべきでないことが理解されるべきである。２のランクを有するプリコーディング行列は、
【０２７５】
【数６４】
2021503239.tif 000066
【０２７６】
に対して他の正規化処理を実施することによって取得される行列、または
【０２７７】
【数６５】
2021503239.tif 000067
【０２７８】
に対して正規化処理を実施することによって取得される行列との行および／もしくは列変換関係を有する行列をさらに含んでよい。
【０２７９】
別の可能な設計では、２のランクを有するプリコーディング行列の構造は、
【０２８０】
【数６６】
2021503239.tif 000068
【０２８１】
または、
【０２８２】
【数６７】
2021503239.tif 000069
【０２８３】
との行および／もしくは列変換関係を有する行列
を満たし得る。
【０２８４】
【数６８】
2021503239.tif 000070
【０２８５】
における下付き文字は、第１のタイプのプリコーディング行列を表し、上付き文字は、２のランクを有するプリコーディング行列の第２の構造を表す。各列ベクトルは、１つだけの非ゼロ要素を含み、２つの列ベクトル内の非ゼロ要素は、異なる行内に位置する。この設計において、各アンテナポートまたは各ストリームに割り当てられる電力は、不均衡であり得る。
【０２８６】
任意選択で、β1およびβ2は、
【０２８７】
【数６９】
2021503239.tif 000071
【０２８８】
を満たす。
【０２８９】
たとえば、最大値βmaxが与えられてよく、βmax＞０、β1∈［０，βmax］、かつ、β2∈［０，βmax］である。
【０２９０】
β1およびβ2の値は、同じであってよく、または異なってよいことが理解されるべきである。これは、本願において限定されない。
【０２９１】
限定ではなく、例として、
【０２９２】
【数７０】
2021503239.tif 000072
【０２９３】
との行および／または列変換関係を有する行列は、
【０２９４】
【数７１】
2021503239.tif 000073
【０２９５】
または
【０２９６】
【数７２】
2021503239.tif 000074
【０２９７】
を含み得る。
【０２９８】
任意選択で、２のランクを有するプリコーディング行列は、
【０２９９】
【数７３】
2021503239.tif 000075
【０３００】
または
【０３０１】
【数７４】
2021503239.tif 000076
【０３０２】
または
【０３０３】
【数７５】
2021503239.tif 000077
【０３０４】
または
【０３０５】
【数７６】
2021503239.tif 000078
【０３０６】
または
【０３０７】
【数７７】
2021503239.tif 000079
【０３０８】
または
【０３０９】
【数７８】
2021503239.tif 000080
【０３１０】
のうちの少なくとも１つを満たし得る。
【０３１１】
これは、上記に示された
【０３１２】
【数７９】
2021503239.tif 000081
【０３１３】
において、β1＝１／２およびβ2＝１／２γに等しく、ただし、
【０３１４】
【数８０】
2021503239.tif 000082
【０３１５】
である。
【０３１６】
上記に列挙されたプリコーディング行列は、説明のための単なる例にすぎず、本願に対するいかなる限定も構成するべきでないことが理解されるべきである。第１のタイプのプリコーディング行列において、２のランクを有するプリコーディング行列は、前述の例のうちの少なくとも１つを含んでよく、または、前述の例のうちの任意の１つとの行および／もしくは列変換関係を有し、前述の例と異なる行列を含んでよい。
【０３１７】
また、２のランクを有するプリコーディング行列は、
【０３１８】
【数８１】
2021503239.tif 000083
【０３１９】
に対して他の正規化処理を実施することによって取得される行列、または、
【０３２０】
【数８２】
2021503239.tif 000084
【０３２１】
に対して正規化処理を実施することによって取得される行列との行および／もしくは列変換関係を有する行列をさらに含んでよい。
【０３２２】
区別および説明の容易さのために、上記に列挙されたＷ3、ならびにＷ3との行および／または列変換関係を有する行列は、タイプＣ（Ｔｙｐｅ  Ｃ）のプリコーディング行列と称され得る。タイプＣのプリコーディング行列は、また別のサブタイプの第１のタイプのプリコーディング行列として理解され得ることが理解されるべきである。
【０３２３】
（２）ランクは３である。
【０３２４】
可能な設計では、３のランクを有するプリコーディング行列の構造は、
【０３２５】
【数８３】
2021503239.tif 000085
【０３２６】
または
【０３２７】
【数８４】
2021503239.tif 000086
【０３２８】
との行および／もしくは列変換関係を有する行列
を満たし得る。
【０３２９】
【数８５】
2021503239.tif 000087
【０３３０】
における下付き文字は、第１のタイプのプリコーディング行列を表し、上付き文字は、３のランクを有するプリコーディング行列の第１の構造を表す。各列ベクトルは、１つだけの非ゼロ要素を含み、２つの列ベクトル内の非ゼロ要素は、異なる行内に位置する。
【０３３１】
限定ではなく、例として、
【０３３２】
【数８６】
2021503239.tif 000088
【０３３３】
との行および／または列変換関係を有する行列は、
【０３３４】
【数８７】
2021503239.tif 000089
【０３３５】
または
【０３３６】
【数８８】
2021503239.tif 000090
【０３３７】
または
【０３３８】
【数８９】
2021503239.tif 000091
【０３３９】
を含み得る。
【０３４０】
【数９０】
2021503239.tif 000092
【０３４１】
との行および／または列変換関係を有する上記に列挙された行列は、説明のための単なる例にすぎず、本願に対するいかなる限定も構成するべきでないことが理解されるべきである。第１のタイプのプリコーディング行列において、３のランクを有するプリコーディング行列の構造は、前述の例のうちの少なくとも１つを含んでよく、または、前述の例と異なる、
【０３４２】
【数９１】
2021503239.tif 000093
【０３４３】
との行および／もしくは列変換関係を有する行列を含んでよい。
【０３４４】
任意選択で、３のランクを有するプリコーディング行列は、
【０３４５】
【数９２】
2021503239.tif 000094
【０３４６】
または
Ｗ4との行および／もしくは列変換関係を有する行列
のうちの少なくとも１つを満たす。
【０３４７】
【数９３】
2021503239.tif 000095
【０３４８】
は正規化係数である。プリコーディング行列は、４つの行および３つの列の行列であり、つまり、３のランクを有する、４つのアンテナポートのプリコーディング行列である。
アンテナポート間の電力平衡を満たすために、総送信電力は、各アンテナポートに均一に割り当てられ得る。正規化処理は、総送信電力の
【０３４９】
【数９４】
2021503239.tif 000096
【０３５０】
が各アンテナポートに割り当てられ得ることを意味し、したがって、正規化係数
【０３５１】
【数９５】
2021503239.tif 000097
【０３５２】
が取得され得る。したがって、Ｗ4、ならびにＷ4との行および／または列変換関係を有する行列は、アンテナポート間の電力平衡を満たすプリコーディング行列として考慮されてよく、
【０３５３】
【数９６】
2021503239.tif 000098
【０３５４】
は、アンテナポート間の電力平衡を満たす正規化係数として考慮されてよい。
【０３５５】
限定ではなく、例として、Ｗ4との行および／または列変換関係を有する行列は、
【０３５６】
【数９７】
2021503239.tif 000099
【０３５７】
または
【０３５８】
【数９８】
2021503239.tif 000100
または
【０３５９】
【数９９】
2021503239.tif 000101
【０３６０】
を含み得る。
【０３６１】
上記に列挙されたＷ4、ならびにＷ4との行および／または列変換関係を有する行列は、説明のための単なる例にすぎず、本願に対するいかなる限定も構成するべきでないことが理解されるべきである。第１のタイプのプリコーディング行列は、前述の例のうちの少なくとも１つを含んでよく、または、前述の例と異なる、Ｗ4との行および／もしくは列変換関係を有する行列を含んでよい。
【０３６２】
理解および説明の容易さのために、上記に列挙されたＷ4、ならびにＷ4との行および／または列変換関係を有する行列は、タイプＡ（Ｔｙｐｅ  Ａ）のプリコーディング行列と称され得る。タイプＡのプリコーディング行列は、第１のタイプのプリコーディング行列のサブタイプとして理解されてよいことが理解されるべきである。タイプＡのプリコーディング行列は、アンテナポート間の電力平衡割り当てに基づいて設計され得る。
【０３６３】
任意選択で、３のランクを有するプリコーディング行列は、
【０３６４】
【数１００】
2021503239.tif 000102
【０３６５】
または
Ｗ5との行および／もしくは列変換関係を有する行列
のうちの少なくとも１つを満たす。
【０３６６】
【数１０１】
2021503239.tif 000103
【０３６７】
は正規化係数である。ストリーム間の電力平衡を満たすために、総送信電力は、各ストリームに均一に割り当てられ得る。正規化処理中に、各レイヤにおける総送信電力は１であり、電力の
【０３６８】
【数１０２】
2021503239.tif 000104
【０３６９】
が、各アンテナポートに割り当てられ得る、と仮定される。しかしながら、プリコーディング行列内の各列ベクトルは、１つだけの非ゼロ要素を含み、つまり、各レイヤは、１つだけのアンテナポート（すなわち、非ゼロ要素を含む行）を使用することによって信号を送信するので、別のアンテナポート（すなわち、非ゼロ要素を含まない行）に割り当てられる電力は、送信信号を有するアンテナポート（すなわち、非ゼロ要素を含む行）によって使用され得る。つまり、各アンテナポートの電力は改善され得、各アンテナポートの送信電力は、
【０３７０】
【数１０３】
2021503239.tif 000105
【０３７１】
から
【０３７２】
【数１０４】
2021503239.tif 000106
【０３７３】
に増加され得、したがって、正規化係数
【０３７４】
【数１０５】
2021503239.tif 000107
【０３７５】
が取得され得る。したがって、Ｗ5、ならびにＷ5との行および／または列変換関係を有する行列は、ストリーム間の電力平衡を満たすプリコーディング行列として考慮されてよく、
【０３７６】
【数１０６】
2021503239.tif 000108
【０３７７】
は、ストリーム間の電力平衡を満たす正規化係数として考慮されてよい。
【０３７８】
限定ではなく、例として、Ｗ5との行および／または列変換関係を有する行列は、
【０３７９】
【数１０７】
2021503239.tif 000109
【０３８０】
または
【０３８１】
【数１０８】
2021503239.tif 000110
【０３８２】
または
【０３８３】
【数１０９】
2021503239.tif 000111
【０３８４】
を含み得る。
【０３８５】
上記に列挙されたＷ5、ならびにＷ5との行および／または列変換関係を有する行列は、説明のための単なる例にすぎず、本願に対するいかなる限定も構成するべきでないことが理解されるべきである。第１のタイプのプリコーディング行列は、前述の例のうち少なくとも１つを含んでよく、または、前述の例と異なる、Ｗ5との行および／もしくは列変換関係を有する行列を含んでよい。
【０３８６】
区別および説明の容易さのために、前記列挙されたＷ5、ならびにＷ5との行および／または列変換関係を有する行列は、タイプＢ（Ｔｙｐｅ  Ｂ）のプリコーディング行列と称され得る。タイプＢのプリコーディング行列は、別のサブタイプの第１のタイプのプリコーディング行列として理解されてよいことが理解されるべきである。タイプＢのプリコーディング行列は、信号ストリーム間の電力平衡割り当てに基づいて設計され得る。
【０３８７】
上記に列挙されたＷ4、ならびにＷ4との行および／または列変換関係を有する行列、Ｗ5ならびにＷ5との行および／または列変換関係を有する行列は、説明のための単なる例にすぎず、本願に対するいかなる限定も構成するべきでないことが理解されるべきである。第１のタイプのプリコーディング行列において、３のランクを有するプリコーディング行列は、
【０３８８】
【数１１０】
2021503239.tif 000112
【０３８９】
に対して他の正規化処理を実施することによって取得される行列、または、
【０３９０】
【数１１１】
2021503239.tif 000113
【０３９１】
に対して正規化処理を実施することによって取得される行列との行および／もしくは列変換関係を有する行列をさらに含んでよい。
【０３９２】
別の可能な設計では、３のランクを有するプリコーディング行列の構造は、
【０３９３】
【数１１２】
2021503239.tif 000114
【０３９４】
または
【０３９５】
【数１１３】
2021503239.tif 000115
【０３９６】
との行および／もしくは列変換関係を有する行列
を満たし得る。
【０３９７】
【数１１４】
2021503239.tif 000116
【０３９８】
における下付き文字は、第１のタイプのプリコーディング行列を表し、上付き文字は、３のランクを有するプリコーディング行列の第２の構造を表す。各列ベクトルは、１つだけの非ゼロ要素を含み、２つの列ベクトル内の非ゼロ要素は、異なる行内に位置する。任意選択で、β1、β2、およびβ3は、
【０３９９】
【数１１５】
2021503239.tif 000117
【０４００】
を満たし、ただし、β1∈［０，１］、β2∈［０，１］、かつ、β3∈［０，１］である。本願のこの実施形態において、β1、β2、およびβ3の値は、プロトコル内で定義されてよく、異なるプリコーディング行列またはプリコーディング行列の異なる構造について、同じであってよく、または異なってよい。これは、本願において限定されない。この設計において、各アンテナポートまたは各ストリームに割り当てられる電力は、不均衡であり得る。
【０４０１】
限定ではなく、例として、
【０４０２】
【数１１６】
2021503239.tif 000118
【０４０３】
との行および／または列変換関係を有する行列は、
【０４０４】
【数１１７】
2021503239.tif 000119
【０４０５】
または
【０４０６】
【数１１８】
2021503239.tif 000120
【０４０７】
を含み得る。
【０４０８】
【数１１９】
2021503239.tif 000121
【０４０９】
との行および／または列変換関係を有する上記に列挙された行列は、説明のための単なる例にすぎず、本願に対するいかなる限定も構成するべきでないことが理解されるべきである。第１のタイプのプリコーディング行列において、３のランクを有するプリコーディング行列の構造は、前述の例のうちの少なくとも１つを含んでよく、または、前述の例と異なる、
【０４１０】
【数１２０】
2021503239.tif 000122
【０４１１】
との行および／もしくは列変換関係を有する行列を含んでよい。
【０４１２】
任意選択で、３のランクを有するプリコーディング行列は、
【０４１３】
【数１２１】
2021503239.tif 000123
【０４１４】
または
【０４１５】
【数１２２】
2021503239.tif 000124
【０４１６】
または
【０４１７】
【数１２３】
2021503239.tif 000125
【０４１８】
または
【０４１９】
【数１２４】
2021503239.tif 000126
【０４２０】
のうちの少なくとも１つを満たし得る。
【０４２１】
これは、上記に示される
【０４２２】
【数１２５】
2021503239.tif 000127
【０４２３】
において、β1＝１／２、β2＝１／２γ1、およびβ3＝１／２γ2に等しく、ただし、
【０４２４】
【数１２６】
2021503239.tif 000128
【０４２５】
かつ
【０４２６】
【数１２７】
2021503239.tif 000129
【０４２７】
である。本願のこの実施形態において、γ1およびγ2は、プロトコル内で定義されてよく、γ1およびγ2の値は、異なるプリコーディング行列またはプリコーディング行列の異なる構造について、同じであってよく、または異なってよい。これは、本願において限定されない。
【０４２８】
上記に列挙されたプリコーディング行列は、説明のための単なる例にすぎず、本願に対するいかなる限定も構成するべきでないことが理解されるべきである。第１のタイプのプリコーディング行列において、３のランクを有するプリコーディング行列は、前述の例のうちの少なくとも１つを含んでよく、または、前述の例のうちの任意の１つとの行および／もしくは列変換関係を有し、前述の例と異なる行列を含んでよい。
【０４２９】
また、３のランクを有するプリコーディング行列は、
【０４３０】
【数１２８】
2021503239.tif 000130
【０４３１】
に対して他の正規化処理を実施することによって取得される行列、または
【０４３２】
【数１２９】
2021503239.tif 000131
【０４３３】
に対して正規化処理を実施することによって取得される行列との行および／もしくは列変換関係を有する行列をさらに含んでよい。
【０４３４】
区別および説明の容易さのために、上記に列挙されたＷ6、ならびにＷ6との行および／または列変換関係を有する行列は、タイプＣ（Ｔｙｐｅ  Ｃ）のプリコーディング行列と称され得る。タイプＣのプリコーディング行列は、また別のサブタイプの第１のタイプのプリコーディング行列として理解され得ることが理解されるべきである。
【０４３５】
（３）ランクは４である。
【０４３６】
可能な設計では、４のランクを有するプリコーディング行列の構造は、
【０４３７】
【数１３０】
2021503239.tif 000132
【０４３８】
または
【０４３９】
【数１３１】
2021503239.tif 000133
【０４４０】
との行および／もしくは列変換関係を有する行列
を満たし得る。
【０４４１】
【数１３２】
2021503239.tif 000134
【０４４２】
における下付き文字は、第１のタイプのプリコーディング行列を表し、上付き文字は、３のランクを有するプリコーディング行列の第１の構造を表す。各列ベクトルは、１つだけの非ゼロ要素を含み、２つの列ベクトル内の非ゼロ要素は、異なる行内に位置する。
任意選択で、β1、β2、β3、およびβ4は、
【０４４３】
【数１３３】
2021503239.tif 000135
【０４４４】
を満たし、ただし、β1∈［０，１］、β2∈［０，１］、β3∈［０，１］、かつ、β4∈［０，１］である。本願のこの実施形態において、β1、β2、β3、およびβ4の値は、プロトコル内で定義されてよく、異なるプリコーディング行列またはプリコーディング行列の異なる構造について、同じであってよく、または異なってよい。これは、本願において限定されない。この設計において、各アンテナポートまたは各ストリームに割り当てられる電力は、不均衡であり得る。
【０４４５】
任意選択で、４のランクを有するプリコーディング行列は、
【０４４６】
【数１３４】
2021503239.tif 000136
【０４４７】
または
Ｗ7との行および／もしくは列変換関係を有する行列
のうちの少なくとも１つを満たし得る。
【０４４８】
これは、上記に示された
【０４４９】
【数１３５】
2021503239.tif 000137
【０４５０】
において、β1＝１／２、β2＝１／２γ1、β3＝１／２γ2、およびβ4＝１／２γ3に等しく、ただし、
【０４５１】
【数１３６】
2021503239.tif 000138
【０４５２】
、
【０４５３】
【数１３７】
2021503239.tif 000139
【０４５４】
、かつ、
【０４５５】
【数１３８】
2021503239.tif 000140
【０４５６】
である。本願のこの実施形態において、γ1、γ2、およびγ3は、プロトコル内で定義されてよく、γ1、γ2、およびγ3の値は、異なるプリコーディング行列またはプリコーディング行列の異なる構造について、同じであってよく、または異なってよい。これは、本願において限定されない。
【０４５７】
上記に列挙されたプリコーディング行列は、説明のための単なる例にすぎず、本願に対するいかなる限定も構成するべきでないことが理解されるべきである。第１のタイプのプリコーディング行列において、３のランクを有するプリコーディング行列は、前述の例のうちの少なくとも１つを含んでよく、または、前述の例と異なる、前述の例のうちの任意の１つとの行および／もしくは列変換関係を有する行列を含んでよい。
【０４５８】
また、４のランクを有するプリコーディング行列は、
【０４５９】
【数１３９】
2021503239.tif 000141
【０４６０】
に対して他の正規化処理を実施することによって取得される行列、または
【０４６１】
【数１４０】
2021503239.tif 000142
【０４６２】
に対して正規化処理を実施することによって取得される行列との行および／もしくは列変換関係を有する行列をさらに含んでよい。
【０４６３】
現在のプロトコルにおいて、たとえば、ＬＴＥプロトコルにおいて、４のランクを有するコードブック内のいくつかのプリコーディング行列は、非コヒーレント送信をサポートし得ることが留意されるべきである。したがって、４のランクを有するコードブック内の第１タイプのプリコーディング行列は、ＬＴＥプロトコルにおいて、４のランクを有するコードブック内のプリコーディング行列の一部もしくは全部を含んでよく、または本願において提案される、４のランクを有するプリコーディング行列の一部もしくは全部を含んでよく、または前述の２つの組合せの一部もしくは全部を含んでよい。これは、本願において限定されない。
【０４６４】
また、現在のプロトコルにおいて、たとえば、ＬＴＥプロトコルにおいて、１のランクを有するコードブックは、非コヒーレント送信をサポートし得る。したがって、１のランクを有するコードブック内の第１タイプのプリコーディング行列は、ＬＴＥプロトコルにおいて、１のランクを有するコードブック内のプリコーディング行列の一部または全部を含んでよい。簡潔さのために、例は、本明細書において１つずつ列挙されない。
【０４６５】
前述の設計に基づいて、コードブックは、［１，４］の範囲内の任意の数のレイヤを有する、４つのアンテナポートの非コヒーレント送信をサポートし得、これは送信柔軟性を大幅に改善する。また、異なる要件、たとえば、アンテナポート間の電力平衡またはストリーム間の電力平衡などが満たされ得る。また、非コヒーレント送信に基づいて、同じ時間周波数リソース上で、同じ端末デバイスは、異なるアンテナポート上で異なる信号ストリームを送り、または、異なるアンテナポート上で異なるネットワークデバイスに信号を送り得、それによって、リソース活用を改善する。
【０４６６】
上記に列挙されたタイプＡ、タイプＢ、およびタイプＣは、第１のタイプのプリコーディング行列のサブタイプとして理解されてよく、タイプＡ、タイプＢ、およびタイプＣは、異なる電力割り当て手法に基づいて、別々に設計され得ることが留意されるべきである。また、異なるランクについて、タイプＡ、タイプＢ、およびタイプＣの１つまたは複数の可能なプリコーディング行列は、上記で別々に列挙される。タイプＡ、タイプＢ、およびタイプＣのうちの少なくとも１つは、コードブック内に記憶されてよく、上位レイヤシグナリングは、使用可能なプリコーディング行列のタイプを示すために使用される。
【０４６７】
２．第２のタイプのプリコーディング行列
【０４６８】
（１）ランクは３である。
【０４６９】
可能な設計では、３のランクを有するプリコーディング行列の構造
【０４７０】
【数１４１】
2021503239.tif 000143
【０４７１】
は、
【０４７２】
【数１４２】
2021503239.tif 000144
【０４７３】
、または
【０４７４】
【数１４３】
2021503239.tif 000145
【０４７５】
との行および／もしくは列変換関係を有する行列、または
【０４７６】
【数１４４】
2021503239.tif 000146
【０４７７】
、または
【０４７８】
【数１４５】
2021503239.tif 000147
【０４７９】
との行および／もしくは列変換関係を有する行列、または
【０４８０】
【数１４６】
2021503239.tif 000148
【０４８１】
、または
【０４８２】
【数１４７】
2021503239.tif 000149
【０４８３】
との行および／もしくは列変換関係を有する行列、または
【０４８４】
【数１４８】
2021503239.tif 000150
【０４８５】
、または
【０４８６】
【数１４９】
2021503239.tif 000151
【０４８７】
との行および／もしくは列変換関係を有する行列を満たし得る。
【０４８８】
【数１５０】
2021503239.tif 000152
【０４８９】
における下付き文字は、第２のタイプのプリコーディング行列を表し、上付き文字は、３のランクを表す。各列ベクトルは、少なくとも２つの非ゼロ要素および少なくとも１つのゼロ要素のみを含む。
【０４９０】
任意選択で、φ1∈｛１，−１，ｊ，−ｊ｝、φ2∈｛１，−１，ｊ，−ｊ｝であり、ｊは虚数単位である。
【０４９１】
任意選択で、
【０４９２】
【数１５１】
2021503239.tif 000153
【０４９３】
、
【０４９４】
【数１５２】
2021503239.tif 000154
である。
【０４９５】
本願において、φ1およびφ2の２つの可能な値範囲が、本願において提供され、φ1およびφ2の値は、例のうちの任意の１つであってよいことが留意されるべきである。しかしながら、φ1およびφ2のどの値範囲が使用されるかにかかわらず、φ1およびφ2の値は、上記に提供される値範囲全体に及ぶ必要があることを意味しないことが留意されるべきである。φ1∈｛１，−１，ｊ，−ｊ｝は、例として使用され、φ1∈｛１，−１，ｊ，−ｊ｝は、φ1∈Ａとして理解されてよく、Ａは｛１，−１，ｊ，−ｊ｝または｛１，−１，ｊ，−ｊ｝のサブセットである。つまり、φ1は、φ1∈｛１，−１｝、またはφ1∈｛ｊ，−ｊ｝、またはφ1∈｛１，ｊ｝、またはφ1∈｛−１，−ｊ｝などを満たし得る。簡潔さのために、例は、本明細書において１つずつ列挙されない。同様に、φ2の値については、前述の関連する説明を参照されたい。簡潔さのために、同じまたは同様の場合は、以下で説明されない。
【０４９６】
本願のこの実施形態において、φ1およびφ2の値は、プロトコル内で定義されてよく、異なるプリコーディング行列またはプリコーディング行列の異なる構造について、同じであってよく、または異なってよい。これは、本願において限定されない。
【０４９７】
部分的なコヒーレント送信をサポートするために、少なくとも２つのアンテナポートがコヒーレント送信を実施し得ること、および非同期であるアンテナポートの少なくとも２つのグループが存在することが保証される必要がある。言い換えれば、各グループは少なくとも２つのアンテナポートを含むこと、各グループ内のアンテナポートはコヒーレント送信を実施し得ること、および、異なるグループ内のアンテナポートは互いに独立していることが保証される。したがって、アンテナポートは、少なくとも２つのグループにグループ化され得、各グループは、少なくとも２つのアンテナポートを含む。４つのアンテナポートの場合、アンテナポートは、ポート番号に従ってグループ化されて、たとえば、｛１，３｝および｛２，４｝、または｛１，２｝および｛３，４｝、または｛１，４｝および｛２，３｝が取得され得る。
【０４９８】
プリコーディング行列内の各行の行番号が、アンテナポートのポート番号に対応している場合、
【０４９９】
【数１５３】
2021503239.tif 000155
【０５００】
は、ポート番号｛１，３｝および｛２，４｝に基づいたグループ化の例を示す。同一グループ内のアンテナポートは、同じレイヤに対応していること、つまり、その非ゼロ要素が同じ列ベクトル内に位置するアンテナポートは、１つのグループ内にあることが理解され得る。
【０５０１】
【数１５４】
2021503239.tif 000156
【０５０２】
に示されるように、第１の行および第３の行内の非ゼロ要素は、第１の列および第３の列の両方内に位置しており、それらはアンテナポートの１つのグループ（たとえば、アンテナポートグループ＃１と表される）に属すると考慮され得、第２の行および第４の行内の非ゼロ要素は、第２の列内に位置しており、それらはアンテナポートの別のグループ（たとえば、アンテナポートグループ＃２と表される）に属すると考慮され得る。
【０５０３】
φ1＝φ2、φ1およびφ2∈｛１，−１，ｊ，−ｊ｝は別々に置換されることが仮定され、
【０５０４】
【数１５５】
2021503239.tif 000157
【０５０５】
ならびに
【０５０６】
【数１５６】
2021503239.tif 000158
【０５０７】
との行および／または列変換関係を有する行列は、
【０５０８】
【数１５７】
2021503239.tif 000159
【０５０９】
、
【０５１０】
【数１５８】
2021503239.tif 000160
【０５１１】
、
【０５１２】
【数１５９】
2021503239.tif 000161
【０５１３】
、
【０５１４】
【数１６０】
2021503239.tif 000162
【０５１５】
、または
【０５１６】
【数１６１】
2021503239.tif 000163
【０５１７】
を含み得る。
【０５１８】
【数１６２】
2021503239.tif 000164
【０５１９】
との行および／または列変換関係を有する上記に列挙された行列は、説明のための単なる例にすぎず、本願に対するいかなる限定も構成するべきでないことが理解されるべきである。第２のタイプのプリコーディング行列において、３のランクを有するプリコーディング行列の構造は、前述の例のうちの少なくとも１つを含んでよく、または、前述の例と異なる、
【０５２０】
【数１６３】
2021503239.tif 000165
【０５２１】
との行および／もしくは列変換関係を有する行列を含んでよい。
【０５２２】
任意選択で、３のランクを有するプリコーディング行列の構造
【０５２３】
【数１６４】
2021503239.tif 000166
【０５２４】
は、
【０５２５】
【数１６５】
2021503239.tif 000167
【０５２６】
または
【０５２７】
【数１６６】
2021503239.tif 000168
【０５２８】
との行および／もしくは列変換関係を有する行列、または
【０５２９】
【数１６７】
2021503239.tif 000169
【０５３０】
または
【０５３１】
【数１６８】
2021503239.tif 000170
【０５３２】
との行および／もしくは列変換関係を有する行列、または
【０５３３】
【数１６９】
2021503239.tif 000171
【０５３４】
または
【０５３５】
【数１７０】
2021503239.tif 000172
【０５３６】
との行および／もしくは列変換関係を有する行列
のうちの少なくとも１つを満たす。
【０５３７】
任意選択で、φ1∈｛１，−１，ｊ，−ｊ｝、φ2∈｛１，−１，ｊ，−ｊ｝であり、ｊは虚数単位である。
【０５３８】
任意選択で、
【０５３９】
【数１７１】
2021503239.tif 000173
【０５４０】
、
【０５４１】
【数１７２】
2021503239.tif 000174
【０５４２】
である。
【０５４３】
本願のこの実施形態において、φ1およびφ2の値は、プロトコル内で定義されてよく、異なるプリコーディング行列またはプリコーディング行列の異なる構造について、同じであってよく、または異なってよい。これは、本願において限定されない。
【０５４４】
任意選択で、３のランクを有するプリコーディング行列の構造
【０５４５】
【数１７３】
2021503239.tif 000175
【０５４６】
は、
【０５４７】
【数１７４】
2021503239.tif 000176
【０５４８】
または
【０５４９】
【数１７５】
2021503239.tif 000177
【０５５０】
との行および／もしくは列変換関係を有する行列、または
【０５５１】
【数１７６】
2021503239.tif 000178
【０５５２】
または
【０５５３】
【数１７７】
2021503239.tif 000179
【０５５４】
との行および／もしくは列変換関係を有する行列、または
【０５５５】
【数１７８】
2021503239.tif 000180
【０５５６】
または
【０５５７】
【数１７９】
2021503239.tif 000181
【０５５８】
との行および／もしくは列変換関係を有する行列、または
【０５５９】
【数１８０】
2021503239.tif 000182
【０５６０】
または
【０５６１】
【数１８１】
2021503239.tif 000183
【０５６２】
との行および／もしくは列変換関係を有する行列、または
【０５６３】
【数１８２】
2021503239.tif 000184
【０５６４】
または
【０５６５】
【数１８３】
2021503239.tif 000185
【０５６６】
との行および／もしくは列変換関係を有する行列、または
【０５６７】
【数１８４】
2021503239.tif 000186
【０５６８】
または
【０５６９】
【数１８５】
2021503239.tif 000187
【０５７０】
との行および／もしくは列変換関係を有する行列のうちの少なくとも１つを含む。
【０５７１】
【数１８６】
2021503239.tif 000188
【０５７２】
、
【０５７３】
【数１８７】
2021503239.tif 000189
【０５７４】
、かつ、
【０５７５】
【数１８８】
2021503239.tif 000190
【０５７６】
である。本願のこの実施形態において、θ1およびθ2の値は、プロトコル内で定義されてよく、異なるプリコーディング行列またはプリコーディング行列の異なる構造について、同じであってよく、または異なってよい。これは、本願において限定されない。
【０５７７】
任意選択で、３のランクを有するプリコーディング行列は、
【０５７８】
【数１８９】
2021503239.tif 000191
【０５７９】
または
Ｗ8との行および／もしくは列変換関係を有する行列
のうちの少なくとも１つを満たす。
【０５８０】
【数１９０】
2021503239.tif 000192
【０５８１】
から、アンテナポートグループ＃１は、２つのレイヤの信号、つまり、２つのストリームを送るために使用され得、アンテナポートグループ＃２は、１つのレイヤの信号、つまり、１つのストリームを送るために使用され得ることがさらに学習され得る。異なるストリーム間の電力平衡を保証するために、正規化係数は、正規化処理を通じて取得され得る。総送信電力は１であり、電力の
【０５８２】
【数１９１】
2021503239.tif 000193
【０５８３】
が、３つのレイヤの各々に割り当てられ得ると仮定される。つまり、電力の
【０５８４】
【数１９２】
2021503239.tif 000194
【０５８５】
は、プリコーディング行列内の各行ベクトルに割り当てられ得る。コヒーレント送信は、２つのアンテナポートを通じて各レイヤの信号ストリームに対して実施され得るので、電力の
【０５８６】
【数１９３】
2021503239.tif 000195
【０５８７】
は、各レイヤに対応する２つのアンテナポートの各々にさらに割り当てられ得、正規化係数
【０５８８】
【数１９４】
2021503239.tif 000196
【０５８９】
が取得され得る。したがって、Ｗ8、ならびにＷ8との行および／または列変換関係を有する行列は、ストリーム間の電力平衡を満たすプリコーディング行列として考慮されてよく、
【０５９０】
【数１９５】
2021503239.tif 000197
【０５９１】
は、ストリーム間の電力平衡を満たす正規化係数として考慮されてよい。
【０５９２】
限定ではなく、例として、Ｗ5との行および／または列変換関係を有する行列は、
【０５９３】
【数１９６】
2021503239.tif 000198
【０５９４】
または
【０５９５】
【数１９７】
2021503239.tif 000199
【０５９６】
を含み得る。
【０５９７】
上記に列挙されたＷ8、およびＷ8との行および／または列変換関係を有する行列は、説明のための単なる例にすぎず、本願に対するいかなる限定も構成するべきでないことが理解されるべきである。第２のタイプのプリコーディング行列は、前述の例のうちの少なくとも１つを含んでよく、または、前述の例と異なる、Ｗ8との行および／もしくは列変換関係を有する行列を含んでもよい。
【０５９８】
任意選択で、３のランクを有するプリコーディング行列は、
【０５９９】
【数１９８】
2021503239.tif 000200
【０６００】
または
Ｗ9との行および／もしくは列変換関係を有する行列
のうちの少なくとも１つを満たす。
【０６０１】
Ｈ1は係数行列であり、または、Ｈ1は、正規化係数行列、つまり、正規化係数を含む行列であり、各アンテナポートまたはストリームの電力を調整するために使用され得る。
【０６０２】
任意選択で、
【０６０３】
【数１９９】
2021503239.tif 000201
【０６０４】
または
【０６０５】
【数２００】
2021503239.tif 000202
【０６０６】
である。
【０６０７】
同じアンテナポートグループ内の各アンテナポートの電力を平衡させるために、各アンテナポートに割り当てられる電力は、正規化係数行列を使用することによって調整され得る。たとえば、Ｈ1における各係数の２乗が前述の式内へ置換された後、すべてのアンテナポートの電力の取得される和は１未満であり、各アンテナポートグループ内のアンテナポートに割り当てられる電力は同じである。
【０６０８】
任意選択で、３のランクを有するプリコーディング行列は、
【０６０９】
【数２０１】
2021503239.tif 000203
【０６１０】
、
Ｗ10との行および／または列変換関係を有する行列
のうちの少なくとも１つを満たす。
【０６１１】
Ｈ2は係数行列であり、または、Ｈ1は、正規化係数行列、つまり、正規化係数を含む行列であり、各アンテナポートまたはストリームの電力を調整するために使用され得る。
【０６１２】
任意選択で、
【０６１３】
【数２０２】
2021503239.tif 000204
【０６１４】
または
【０６１５】
【数２０３】
2021503239.tif 000205
【０６１６】
である。
【０６１７】
同じアンテナポートグループ内の各アンテナポートの電力を平衡させるために、各アンテナポートに割り当てられる電力は、正規化係数行列を使用することによって調整され得る。たとえば、Ｈ1における各係数の２乗が前述の式内へ置換された後、すべてのアンテナポートの電力の取得される和は１未満であり、各アンテナポートグループ内のアンテナポートに割り当てられる電力は同じである。
【０６１８】
３のランクを有する上記に列挙されたプリコーディング行列は、説明のための単なる例にすぎず、本願に対するいかなる限定も構成するべきでないことが理解されるべきである。第２のタイプのプリコーディング行列において、３のランクを有するプリコーディング行列は、３のランクを有するプリコーディング行列の構造
【０６１９】
【数２０４】
2021503239.tif 000206
【０６２０】
が変換された（正規化処理、ならびに／または、行および／もしくは列変換など）後に得られる行列、または、前述の例と異なり、３のランクを有するプリコーディング行列の構造
【０６２１】
【数２０５】
2021503239.tif 000207
【０６２２】
のうちの任意の１つとの行および／もしくは列変換関係を有する行列が変換された後に取得される行列を含んでもよい。
【０６２３】
（２）ランクは４である。
【０６２４】
可能な設計では、４のランクを有するプリコーディング行列の構造
【０６２５】
【数２０６】
2021503239.tif 000208
【０６２６】
は、
【０６２７】
【数２０７】
2021503239.tif 000209
【０６２８】
または
【０６２９】
【数２０８】
2021503239.tif 000210
【０６３０】
との行および／もしくは列変換関係を有する行列、または
【０６３１】
【数２０９】
2021503239.tif 000211
【０６３２】
または
【０６３３】
【数２１０】
2021503239.tif 000212
【０６３４】
との行および／もしくは列変換関係を有する行列を満たし得る。
【０６３５】
【数２１１】
2021503239.tif 000213
【０６３６】
における下付き文字は、第２のタイプのプリコーディング行列を表し、上付き文字は、４のランクを表す。各列ベクトルは、少なくとも２つの非ゼロ要素および少なくとも１つのゼロ要素のみを含む。
【０６３７】
任意選択で、φ1∈｛１，−１，ｊ，−ｊ｝、φ2∈｛１，−１，ｊ，−ｊ｝であり、ｊは虚数単位である。
【０６３８】
任意選択で、
【０６３９】
【数２１２】
2021503239.tif 000214
【０６４０】
、
【０６４１】
【数２１３】
2021503239.tif 000215
【０６４２】
である。
【０６４３】
本願のこの実施形態において、φ1およびφ2の値は、プロトコル内で定義されてよく、異なるプリコーディング行列またはプリコーディング行列の異なる構造について、同じであってよく、または異なってよい。これは、本願において限定されない。
【０６４４】
プリコーディング行列内の各行の行番号が、アンテナポートのポート番号に対応している場合、
【０６４５】
【数２１４】
2021503239.tif 000216
【０６４６】
は、ポート番号｛１，３｝および｛２，４｝に基づいたグループ化の例を示す。同一グループ内のアンテナポートは、同じレイヤに対応していること、つまり、その非ゼロ要素が同じ列ベクトル内に位置するアンテナポートは、１つのグループ内にあることが理解され得る。
【０６４７】
【数２１５】
2021503239.tif 000217
【０６４８】
に示されるように、第１の行および第３の行内の非ゼロ要素は、第１の列および第３の列の両方内に位置しており、それらはアンテナポートの１つのグループ（たとえば、アンテナポートグループ＃３と表される）に属すると考慮され得、第２の行および第４の行内の非ゼロ要素は、第２の列内に位置しており、それらはアンテナポートの別のグループ（たとえば、アンテナポートグループ＃４と表される）に属すると考慮され得る。
【０６４９】
φ1＝φ2であり、φ1およびφ2の値｛１，−１，ｊ，−ｊ｝は、別々に置換されて、
【０６５０】
【数２１６】
2021503239.tif 000218
【０６５１】
が取得され、これは
【０６５２】
【数２１７】
2021503239.tif 000219
【０６５３】
および
【０６５４】
【数２１８】
2021503239.tif 000220
【０６５５】
を含み得ると仮定される。
【０６５６】
４のランクを有するプリコーディング行列の上記に列挙された構造は、説明のための単なる例にすぎず、本願に対するいかなる限定も構成するべきでないことが理解されるべきである。第２のタイプのプリコーディング行列において、４のランクを有するプリコーディング行列の構造は、前述の例のうちの少なくとも１つを含んでよく、または、前述の例と異なる、
【０６５７】
【数２１９】
2021503239.tif 000221
【０６５８】
との行および／もしくは列変換関係を有する行列を含んでよい。
【０６５９】
任意選択で、４のランクを有するプリコーディング行列は、
【０６６０】
【数２２０】
2021503239.tif 000222
【０６６１】
または
Ｗ11との行および／もしくは列変換関係を有する行列
のうちの少なくとも１つを満たす。
【０６６２】
【数２２１】
2021503239.tif 000223
【０６６３】
から、アンテナポートグループ＃３は、２つのレイヤの信号、つまり、２つのストリームを送るために使用され得、アンテナポートグループ＃４は、２つのレイヤの信号、つまり、２つのストリームを送るために使用され得ることがさらに学習され得る。異なるストリーム間の電力平衡を保証するために、正規化係数は、正規化処理を通じて取得され得る。総送信電力は１であり、電力の
【０６６４】
【数２２２】
2021503239.tif 000224
【０６６５】
が、４つのレイヤの各々に割り当てられ得ると仮定される。つまり、電力の
【０６６６】
【数２２３】
2021503239.tif 000225
【０６６７】
は、プリコーディング行列内の各行ベクトルに割り当てられ得る。コヒーレント送信は、２つのアンテナポートを通じて各レイヤの信号ストリームに対して実施され得るので、電力の
【０６６８】
【数２２４】
2021503239.tif 000226
【０６６９】
は、各レイヤに対応する２つのアンテナポートにさらに割り当てられ得、正規化係数
【０６７０】
【数２２５】
2021503239.tif 000227
【０６７１】
が取得され得る。したがって、Ｗ11、ならびにＷ11との行および／または列変換関係を有する行列は、ストリーム間の電力平衡を満たすプリコーディング行列として考慮されてよく、
【０６７２】
【数２２６】
2021503239.tif 000228
【０６７３】
は、ストリーム間の電力平衡を満たす正規化係数と考慮されてよい。
【０６７４】
前述の設計に基づいて、コードブックは、［１，４］の範囲内の任意の数のレイヤを有する、４つのアンテナポートの部分的な非コヒーレント送信をサポートし得、これは送信柔軟性を大幅に改善する。また、異なる要件、たとえば、アンテナポート間の電力平衡またはストリーム間の電力平衡などが満たされ得る。また、部分的な非コヒーレント送信に基づいて、同じ時間周波数リソース上で、１つの端末デバイスは、異なるアンテナポートグループに基づいて、異なる信号ストリームを送り、または、異なるアンテナポートグループに基づいて、異なるネットワークデバイスに信号を送り得、同じアンテナポートグループ内のアンテナに基づいてコヒーレント送信をさらに実施して、信号品質を改善し得る。
【０６７５】
４のランクを有する上記に列挙されたプリコーディング行列は、説明のための単なる例にすぎず、本願に対するいかなる限定も構成するべきでないことが理解されるべきである。第２のタイプのプリコーディング行列において、４のランクを有するプリコーディング行列は、４のランクを有するプリコーディング行列の構造
【０６７６】
【数２２７】
2021503239.tif 000229
【０６７７】
が変換された（正規化処理、ならびに／または、行および／もしくは列変換など）後に得られる行列、または、前述の例と異なり、４のランクを有するプリコーディング行列の構造
【０６７８】
【数２２８】
2021503239.tif 000230
【０６７９】
のうちの任意の１つとの行および／もしくは列変換関係を有する行列が変換された後に取得される行列を含んでもよい。
【０６８０】
３．第３のタイプのプリコーディング行列
【０６８１】
第３のタイプのプリコーディング行列内の各要素は、非ゼロ要素であり、任意の２つの列ベクトルは、互いに直交する。
【０６８２】
つまり、第３のタイプのプリコーディング行列は、ゼロ要素を含まない。
【０６８３】
２つの列ベクトルが互いに直交することは、１つのプリコーディング行列内の１つの列ベクトルおよび同じプリコーディング行列内の別の列ベクトルの共役転置行列の積がゼロとなることを意味することが留意されるべきである。任意の２つの列ベクトルが互いに直交する、つまり、積がゼロになるという結果は、プリコーディング行列内の任意の２つの列ベクトルについて前述のステップを実施することによって取得され得る。
【０６８４】
可能な設計では、任意選択で、４のランクを有するプリコーディング行列の構造は、
【０６８５】
【数２２９】
2021503239.tif 000231
【０６８６】
または
【０６８７】
【数２３０】
2021503239.tif 000232
【０６８８】
との行および／もしくは列変換関係を有する行列
のうちの少なくとも１つを満たす。
【０６８９】
α∈｛１，−１，ｊ，−ｊ｝であり、ｊは虚数単位であり、
【０６９０】
【数２３１】
2021503239.tif 000233
【０６９１】
、および
【０６９２】
【数２３２】
2021503239.tif 000234
【０６９３】
は、離散フーリエ変換ＤＦＴベクトルであり、
【０６９４】
【数２３３】
2021503239.tif 000235
【０６９５】
を満たし、ｉ＝｛ｋ1，ｋ2，ｋ1+x1Ｏ，ｋ2+x2Ｏ｝であり、
【０６９６】
【数２３４】
2021503239.tif 000236
【０６９７】
であり、ｉは整数であり、Ｎはアンテナポート品質であり、Ｎ＝４である。４つのアンテナポートを有するコードブックについて、Ｏの値は２であり得、Ｏ＝２の場合、ｘ1∈｛０，１｝、かつｘ2∈｛０，１｝である。
【０６９８】
ｉ＝｛ｋ1，ｋ2，ｋ1+x1Ｏ，ｋ2+x2Ｏ｝は、ｉがｋ1、ｋ2、ｋ1+x1Ｏ、またはｋ2+x2Ｏであり得ることを示す。たとえば、
【０６９９】
【数２３５】
2021503239.tif 000237
【０７００】
、および
【０７０１】
【数２３６】
2021503239.tif 000238
【０７０２】
である。
【０７０３】
【数２３７】
2021503239.tif 000239
【０７０４】
である。また、ｉは整数であり、｛ｋ1，ｋ2，ｋ1+x1Ｏ，ｋ2+x2Ｏ｝のうちの任意の１つが、
【０７０５】
【数２３８】
2021503239.tif 000240
【０７０６】
における整数であることを示す。たとえば、
【０７０７】
【数２３９】
2021503239.tif 000241
【０７０８】
、および
【０７０９】
【数２４０】
2021503239.tif 000242
【０７１０】
である。
【０７１１】
任意選択で、Ｏはオーバーサンプリング因子であってよく、ｘ1は、プリコーディング行列の構造内のＤＦＴベクトル
【０７１２】
【数２４１】
2021503239.tif 000243
【０７１３】
と、ＤＦＴベクトルによって表される物理的なビームとの間の間隔として理解されてよく、つまり、そのビーム間隔差がｘ1倍であるオーバーサンプリング因子である。同様に、ｘ2は、プリコーディング行列の構造内のＤＦＴベクトル
【０７１４】
【数２４２】
2021503239.tif 000244
【０７１５】
と、ＤＦＴベクトルによって表される物理的なビームとの間の間隔として理解されてよく、つまり、そのビーム間隔差がｘ2倍であるオーバーサンプリング因子である。
【０７１６】
任意選択で、３のランクを有するプリコーディング行列の構造は、
【０７１７】
【数２４３】
2021503239.tif 000245
【０７１８】
または
【０７１９】
【数２４４】
2021503239.tif 000246
【０７２０】
との行および／もしくは列変換関係を有する行列、または
【０７２１】
【数２４５】
2021503239.tif 000247
【０７２２】
における任意の３つの列を含む行列、または
【０７２３】
【数２４６】
2021503239.tif 000248
【０７２４】
との行および／もしくは列変換関係を有する行列における任意の３つの列を含む行列
のうちの少なくとも１つを満たす。
【０７２５】
任意選択で、２のランクを有するプリコーディング行列の構造は、
【０７２６】
【数２４７】
2021503239.tif 000249
【０７２７】
または
【０７２８】
【数２４８】
2021503239.tif 000250
【０７２９】
との行および／もしくは列変換関係を有する行列、または
【０７３０】
【数２４９】
2021503239.tif 000251
【０７３１】
における任意の２つの列を含む行列、または
【０７３２】
【数２５０】
2021503239.tif 000252
【０７３３】
との行および／もしくは列変換関係を有する行列における任意の２つの列を含む行列
のうちの少なくとも１つを満たす。
【０７３４】
任意選択で、１のランクを有するプリコーディング行列の構造は、
【０７３５】
【数２５１】
2021503239.tif 000253
【０７３６】
または
【０７３７】
【数２５２】
2021503239.tif 000254
【０７３８】
との行および／もしくは列変換関係を有する行列、または
【０７３９】
【数２５３】
2021503239.tif 000255
【０７４０】
における任意の列を含む行列、または
【０７４１】
【数２５４】
2021503239.tif 000256
【０７４２】
との行および／もしくは列変換関係を有する行列における任意の列を含む行列
のうちの少なくとも１つを満たす。
【０７４３】
前述の内容は、異なるランクに対応するコードブック内のプリコーディング行列の構造の複数の可能な形態を列挙していることが理解されるべきである。しかしながら、これは、本願に対するいかなる限定も構成するべきでない。第３のタイプのプリコーディング行列において、プリコーディング行列の構造は、前述の例のうちの少なくとも１つを含んでよく、または、前述の例のうちの任意の１つとの行および／もしくは列変換関係を有し、前述の例と異なる行列を含んでよい。また、正規化処理および／または上記に提供される任意の可能なプリコーディング行列の構造に基づいた行／列関係変換を通じて取得される任意のプリコーディング行列は、本願の保護範囲内に収まるべきものである。簡潔さのために、例は、本明細書において１つずつ列挙されない。
【０７４４】
また、本願のこの実施形態においては、既存の（たとえば、ＬＴＥプロトコル）コードブックと異なり、本願において提供されるコヒーレント送信のために使用されるプリコーディング行列において、各列ベクトル内に含まれる２つの離散フーリエ変換（ｄｉｓｃｒｅｔｅ  Ｆｏｕｒｉｅｒ  ｔｒａｎｓｆｏｒｍ、ＤＦＴ）ベクトルは、２つの異なるＤＦＴベクトルであってよく、位相因子αを使用することだけによって区別されないことが留意されるべきである。理解を簡単にするために、図３は、アンテナポートの概略図である。
【０７４５】
図３のアンテナポートグループは、アンテナポートのグループを２つ含み得、図中の各×は、異なる偏波方向の２つのアンテナポートを含むアンテナポートグループを表す。アンテナポート＃０およびアンテナポート＃１は、同じ偏波方向のアンテナポートであり、たとえばｂ1として表される同じＤＦＴベクトルに対応し得る。アンテナポート＃２およびアンテナポート＃３は、同じ偏波方向のアンテナポートであり、たとえばｂ2として表される同じＤＦＴベクトルに対応し得る。ここで、ｂ1とｂ2とは互いに直交する。代替として、アンテナポート＃０およびアンテナポート＃２は、異なる偏波方向のアンテナポートの１つのグループであり、たとえばｂ1として表される同じＤＦＴベクトルに対応し得る。アンテナポート＃１およびアンテナポート＃３は、異なる偏波方向のアンテナポートの別のグループであり、たとえばｂ2として表される同じＤＦＴベクトルに対応し得る。ここで、ｂ1とｂ2とは互いに直交する。本願のこの実施形態では、ランク１が例として使用される。プリコーディング行列の構造は、
【０７４６】
【数２５５】
2021503239.tif 000257
【０７４７】
であり得、これは、既存のコードブック内のプリコーディング行列の構造
【０７４８】
【数２５６】
2021503239.tif 000258
【０７４９】
とは異なる。したがって、同じ列ベクトルを構成する２つのＤＦＴベクトルが同じビーム方向を指すことを要求する必要はない。このようにして、プリコーディング行列の選択範囲が拡大され得、したがってコードブックの最小グラスマン距離が増やされ、それによりシステム性能改善が容易になる。
【０７５０】
上に提供されたプリコーディング行列の構造の理解を容易にするために、以下、詳細な実施形態を参照しながら、上に列挙されたプリコーディング行列の構造について詳細に記述する。
【０７５１】
アンテナポート数Ｎが４でありオーバーサンプリングファクタＯが２であると仮定され、ｂiは次のように得られてよい。
【０７５２】
【数２５７】
2021503239.tif 000259
【０７５３】
【数２５８】
2021503239.tif 000260
【０７５４】
【数２５９】
2021503239.tif 000261
【０７５５】
、および
【０７５６】
【数２６０】
2021503239.tif 000262
【０７５７】
たとえば、ｋ1＝０およびｋ2＝２の場合、以下が得られてよい。
【０７５８】
【数２６１】
2021503239.tif 000263
【０７５９】
および
【０７６０】
【数２６２】
2021503239.tif 000264
【０７６１】
αの値が１である場合、得られるランク１のプリコーディング行列の構造は、
【０７６２】
【数２６３】
2021503239.tif 000265
【０７６３】
であり得る。正規化処理後、たとえば正規化係数
【０７６４】
【数２６４】
2021503239.tif 000266
【０７６５】
を掛けた後、得られるランク１のプリコーディング行列は、
【０７６６】
【数２６５】
2021503239.tif 000267
【０７６７】
であり得る。ここで、正規化係数
【０７６８】
【数２６６】
2021503239.tif 000268
【０７６９】
は、アンテナポート間の電力等化を実装するために使用され得る。
【０７７０】
ｘ1＝１およびｘ2＝１とすると、得られるランク４のプリコーディング行列の構造は、
【０７７１】
【数２６７】
2021503239.tif 000269
【０７７２】
であり得る。正規化処理後、たとえば正規化係数
【０７７３】
【数２６８】
2021503239.tif 000270
【０７７４】
を掛けた後、得られるランク４のプリコーディング行列は、
【０７７５】
【数２６９】
2021503239.tif 000271
【０７７６】
であり得る。ここで、正規化係数
【０７７７】
【数２７０】
2021503239.tif 000272
【０７７８】
は、ストリーム間の電力等化を実装するために使用され得る。
【０７７９】
ランク２のプリコーディング行列の構造は、ランク４のプリコーディング行列の構造中の任意の２つの列を含み得る。たとえば、この構造は、
【０７８０】
【数２７１】
2021503239.tif 000273
【０７８１】
であり得る。正規化処理後、たとえば正規化係数
【０７８２】
【数２７２】
2021503239.tif 000274
【０７８３】
を掛けた後、得られるランク２のプリコーディング行列は、
【０７８４】
【数２７３】
2021503239.tif 000275
【０７８５】
であり得る。ここで、正規化係数
【０７８６】
【数２７４】
2021503239.tif 000276
【０７８７】
は、ストリーム間の電力等化を実装するために使用され得る。
【０７８８】
ランク３のプリコーディング行列の構造は、ランク４のプリコーディング行列の構造中の任意の３つの列を含み得る。たとえば、この構造は、
【０７８９】
【数２７５】
2021503239.tif 000277
【０７９０】
であり得る。正規化処理後、たとえば正規化係数
【０７９１】
【数２７６】
2021503239.tif 000278
【０７９２】
を掛けた後、得られるランク３のプリコーディング行列は、
【０７９３】
【数２７７】
2021503239.tif 000279
【０７９４】
であり得る。ここで、正規化係数
【０７９５】
【数２７８】
2021503239.tif 000280
【０７９６】
は、ストリーム間の電力等化を実装するために使用され得る。
【０７９７】
別の例では、ｋ1＝０およびｋ2＝０の場合、以下が得られてよい。
【０７９８】
【数２７９】
2021503239.tif 000281
【０７９９】
αの値がｊであり、ｘ1＝１およびｘ2＝１の場合、得られるランク４のプリコーディング行列の構造は、
【０８００】
【数２８０】
2021503239.tif 000282
【０８０１】
であり得る。正規化処理後、たとえば正規化係数
【０８０２】
【数２８１】
2021503239.tif 000283
【０８０３】
を掛けた後、得られるランク４のプリコーディング行列は、
【０８０４】
【数２８２】
2021503239.tif 000284
【０８０５】
であり得る。ここで、正規化係数
【０８０６】
【数２８３】
2021503239.tif 000285
【０８０７】
は、アンテナポート間の電力等化を実装するために使用され得る。
【０８０８】
別の例で、ｋ1＝１およびｋ2＝１の場合、以下が得られてよい。
【０８０９】
【数２８４】
2021503239.tif 000286
【０８１０】
αの値がｊであり、ｘ1＝１およびｘ2＝１の場合、得られるランク４のプリコーディング行列の構造は、
【０８１１】
【数２８５】
2021503239.tif 000287
【０８１２】
であり得る。正規化処理後、たとえば正規化係数
【０８１３】
【数２８６】
2021503239.tif 000288
【０８１４】
を掛けた後、得られるランク４のプリコーディング行列は、
【０８１５】
【数２８７】
2021503239.tif 000289
【０８１６】
であり得る。ここで、正規化係数
【０８１７】
【数２８８】
2021503239.tif 000290
【０８１８】
は、アンテナポート間の電力等化を実装するために使用され得る。
【０８１９】
別の例で、ｋ1＝１およびｋ2＝３の場合、以下が得られてよい。
【０８２０】
【数２８９】
2021503239.tif 000291
【０８２１】
および
【０８２２】
【数２９０】
2021503239.tif 000292
【０８２３】
αの値がｊであり、ｘ1＝１およびｘ2＝１の場合、得られるランク４のプリコーディング行列の構造は、
【０８２４】
【数２９１】
2021503239.tif 000293
【０８２５】
であり得る。正規化処理後、たとえば正規化係数
【０８２６】
【数２９２】
2021503239.tif 000294
【０８２７】
を掛けた後、得られるランク４のプリコーディング行列は、
【０８２８】
【数２９３】
2021503239.tif 000295
【０８２９】
であり得る。ここで、正規化係数
【０８３０】
【数２９４】
2021503239.tif 000296
【０８３１】
は、アンテナポート間の電力等化を実装するために使用され得る。
【０８３２】
上に列挙されたプリコーディング行列の構造およびプリコーディング行列は、記述のための例にすぎず、本願に対するどんな限定も構成すべきでないことを理解されたい。第３のタイプのプリコーディング行列においては、プリコーディング行列はさらに、上に列挙されたプリコーディング行列のうちの任意の１つに対して行および／または列変換を実施することによって得られる行列を含み得る。
【０８３３】
加えて、ランク１、２、および３のプリコーディング行列の構造は、ランク４のプリコーディング行列の構造中の任意の１つの列、２つの列、または３つの列を別々に含み得、ランク１、２、および３のプリコーディング行列は、ランク１、２、および３のプリコーディング行列の構造に１つの正規化係数を掛けることによって別々に得られてよい。たとえば、正規化係数は
【０８３４】
【数２９５】
2021503239.tif 000297
【０８３５】
であり得る。
【０８３６】
上に列挙されたランク１、２、３、および４のプリコーディング行列の構造ならびに対応するプリコーディング行列は、記述のための例であり、本願に対するどんな限定も構成すべきでないことを、さらに理解されたい。第３のタイプのプリコーディング行列においては、プリコーディング行列の構造は、前述の例のうちの少なくとも１つを含み得、または、前述の例のうちの任意の１つとの行および／もしくは列変換関係を有する行列であって前述の例とは異なる行列を含み得る。加えて、上に提供された任意の可能なプリコーディング行列の構造に基づいて正規化処理および／または行／列関係変換を通して得られるどんなプリコーディング行列も、本願の保護範囲内に入るべきである。簡潔にするために、本明細書では例が１つ１つ列挙されることはない。
【０８３７】
別の可能な設計では、第３のタイプのプリコーディング行列はＷMを含み、ここで、ＷMは、Ｗ0内のＭ個の列ベクトルを含み、Ｗ0およびランク１のコードブック内の任意のプリコーディング行列ｕは、次の数学的変換関係を満たす。
Ｗ0＝Ｉ−２ｕｕH／ｕHｕ
【０８３８】
ＷMはランクＭのプリコーディング行列を表し、Ｍ≧１であり、Ｍは整数であり、Ｉは識別行列であり、ｕHはｕの共役転置行列である。本願のこの実施形態では、ランク１のコードブックについては、既存のプロトコル（たとえば、ＬＴＥプロトコル）において提供されるランク１のコードブックを参照されたい。限定ではなく例として、ランク１のコードブック内のプリコーディング行列は、以下を含み得る。
【０８３９】
【数２９６】
2021503239.tif 000298
【０８４０】
、
【０８４１】
【数２９７】
2021503239.tif 000299
【０８４２】
、および
【０８４３】
【数２９８】
2021503239.tif 000300
【０８４４】
上に列挙されたランク１のコードブック内のプリコーディング行列のうちの任意の１つがｗ1として表される場合、任意選択で、ランク１のコードブック内のプリコーディング行列ｕはｗ2をさらに含み、ｗ2はｗ1’からとられ、ｗ1とｗ2との間のグラスマン距離は、
【０８４５】
【数２９９】
2021503239.tif 000301
【０８４６】
以上であり、ｗ1’およびｗ1は、次の関係を満たす。
【０８４７】
【数３００】
2021503239.tif 000302
【０８４８】
α1∈｛１，−１，ｊ，−ｊ｝、α2∈｛１，−１，ｊ，−ｊ｝、α3∈｛１，−１，ｊ，−ｊ｝、およびα4∈｛１，−１，ｊ，−ｊ｝である。本願のこの実施形態では、α1、α2、α3、およびα4の値は、プロトコルにおいて定義され得、同じであるかまたは異なることがある。これは本願において限定されない。
【０８４９】
ここで、ｗ1とｗ2との間のグラスマン距離は、
【０８５０】
【数３０１】
2021503239.tif 000303
【０８５１】
として定義され得、ここで、
【０８５２】
【数３０２】
2021503239.tif 000304
【０８５３】
は、行列のフロベニウスノルムを表す。
【０８５４】
この実施形態では、ｗ1とｗ2との間のグラスマン距離は、α1、α2、α3、およびα4の選択を通して、
【０８５５】
【数３０３】
2021503239.tif 000305
【０８５６】
以上であることが可能にされ得る。たとえば、α1＝１、α2＝−１、α3＝０、およびα4＝１である。
【０８５７】
本明細書で言及されるハウスホルダ（Ｈｏｕｓｅｈｏｌｄｅｒ）数学的変換およびグラスマン距離の具体的な計算プロセスは、従来技術における計算プロセスと同じであり得ることを理解されたい。簡潔にするために、本明細書ではその具体的な計算プロセスについての詳細な記述は省略される。
【０８５８】
上に列挙されたランク１のコードブックは、記述のための例にすぎず、本願に対するどんな限定も構成すべきでないことをさらに理解されたい。ランク１のコードブックは、上に列挙された既存のプロトコル（たとえば、ＬＴＥプロトコル）におけるランク１のコードブック内のプリコーディング行列ｗ1のみを含んでもよく、または、本願で提案されるランク１のプリコーディング行列ｗ2のみを含んでもよく、または、上に列挙されたｗ1およびｗ2のうちのいくつかもしくはすべてを含んでもよく、さらには、将来のプロトコルにおいて定義されるランク１のコードブック内のプリコーディング行列を含んでもよい。これは本願において限定されない。
【０８５９】
この実施形態における第３のタイプのプリコーディング行列ＷMは、ランク１のコードブック内のＭ個のプリコーディング行列を含み得、または、Ｍ個のプリコーディング行列によって形成される行列との行および／もしくは列変換関係を有する行列を含み得ることをさらに理解されたい。簡潔にするために、本明細書では例が１つ１つ列挙されることはない。
【０８６０】
ＷMはＷ0内のＭ個の列ベクトルを含み得るが、このことは、ＷMがＷ0内の任意のＭ個の列ベクトルを含み得ることを意味しないことに留意されたい。Ｗ0内の任意のＭ個の列ベクトルを含む複数の行列において、ＷMが複数の行列のうちの少なくとも１つを含むなら、ＷMは本願によって主張される保護範囲内に入るべきである。
【０８６１】
さらに別の可能な設計では、第３のタイプのプリコーディング行列はＷMを含み、ここで、ＷMはランク１のコードブック内のＭ個のプリコーディング行列を含み、Ｍはランクであり、Ｍ≧１であり、Ｍは整数である。
【０８６２】
ランク１のコードブックは、上に列挙された既存のプロトコル（たとえば、ＬＴＥプロトコル）におけるランク１のコードブック内のプリコーディング行列ｗ1を含んでもよく、または、本願で提案されるランク１のプリコーディング行列ｗ2を含んでもよく、または、上に列挙されたｗ1およびｗ2のうちのいくつかまたはすべてを含んでもよく、さらには、将来のプロトコルにおいて定義されるランク１のコードブック内のプリコーディング行列を含んでもよい。これは本願において限定されない。
【０８６３】
この実施形態における第３のタイプのプリコーディング行列ＷMは、ランク１のコードブック内のＭ個のプリコーディング行列を含み得、または、任意のＭ個のプリコーディング行列によって形成される行列との行および／もしくは列変換関係を有する行列を含み得ることを理解されたい。簡潔にするために、本明細書では例が１つ１つ列挙されることはない。
【０８６４】
ＷMはランク１のコードブック内のＭ個の列ベクトルを含み得るが、このことは、ＷMがランク１のコードブック内の任意のＭ個の列ベクトルを含み得ることを意味しないことに留意されたい。ランク１のコードブック内の任意のＭ個の列ベクトルを含む複数の行列において、ＷMが複数の行列のうちの少なくとも１つを含むなら、ＷMは本願によって主張される保護範囲内に入るべきである。
【０８６５】
前述の３つのタイプのプリコーディング行列に基づいて、コードブックは、［１，４］の範囲内の任意数のレイヤを有する４つのアンテナポートのコヒーレント送信、部分的コヒーレント送信、および非コヒーレント送信をサポートし得、これは送信フレキシビリティを著しく改善する。加えて、アンテナポート間の電力等化またはストリーム間の電力等化などの異なる要件が満たされ得る。端末デバイスは、構成された複数のアンテナを使用して、また種々の送信形式に基づいて、同じ時間周波数リソース上でネットワークデバイスと通信し得、これはリソース利用を改善し端末デバイスの性能を改善する。加えて、上に列挙された様々なプリコーディング行列の設計において、プリコーディング行列の選択範囲が拡大され得、それにより、コードブックの最小グラスマン距離が増やされ、システム性能改善が容易になる。
【０８６６】
しかし、本願ではランク１から４の４アンテナポートプリコーディング行列の可能な形が詳細に列挙されているが、これは本願に対するどんな限定も構成すべきでないことを理解されたい。上に列挙されたプリコーディング行列に基づいて数学的変換または変形が実施された後に得られる行列は、本願の保護範囲内に入るべきである。加えて、同じコンセプトに基づいて、４よりも高いランクの４アンテナポートプリコーディング行列が得られてもよい。簡潔にするために、本明細書では、詳細なプリコーディング行列に関する詳細については記述されない。
【０８６７】
前述の設計に基づいて、コードブックは少なくとも２つのタイプのプリコーディング行列を含み得るが、これは、コードブックが互いに独立した３つの部分に分割されることを意味しない。少なくとも２つのタイプのプリコーディング行列は、区別なく同じコードブックに記憶されてもよく、または、異なるタイプに基づいて異なるコードブックサブセットとして定義されてもよい。これは本願において限定されない。
【０８６８】
ステップ２３０で、端末デバイスは、ＰＭＩおよびＲＩを使用することによって決定されたプリコーディング行列（すなわち、前述のターゲットプリコーディング行列）に基づいて信号をプリコーディングして、プリコーディングされた信号を得る。
【０８６９】
任意選択で、ステップ２３０は具体的には、
端末デバイスによって、ＰＭＩおよびＲＩに基づいてターゲットプリコーディング行列を決定することと、
端末デバイスによって、ターゲットプリコーディング行列に基づいて信号をプリコーディングして、プリコーディングされた信号を得ることと
を含む。
【０８７０】
具体的には、端末デバイスによってＰＭＩおよびＲＩに基づいてターゲットプリコーディング行列を決定するための具体的な方法については、前述の方式１から方式６を参照されたい。簡潔にするために、本明細書では詳細について再び記述されることはない。端末デバイスは、ＰＭＩおよびＲＩを使用して決定されたターゲットプリコーディング行列に基づいて、送られることになる信号（たとえば、アップリンクデータまたはアップリンク制御シグナリング）をプリコーディングして、プリコーディングされた信号を得てよい。
【０８７１】
端末デバイスが信号をプリコーディングする際の具体的なプロセスは、従来技術におけるプロセスと同じであり得ることを理解されたい。簡潔にするために、本明細書では、具体的なプロセスについての詳細な記述は省略される。
【０８７２】
ステップ２４０で、端末デバイスは、プリコーディングされた信号を送る。
【０８７３】
これに対応して、ステップ２４０で、ネットワークデバイスは、プリコーディングされた信号を受信する。
【０８７４】
理解を容易にする目的のみで、プリコーディングされた信号を端末デバイスがネットワークデバイスに送る際のプロシージャが図示されていることに留意されたい。しかし、実際には、端末デバイスは、プリコーディングされた信号を、構成された複数のアンテナポートを通して１つまたは複数のネットワークデバイスに送ってよい。したがって、ステップ２４０で、プリコーディングされた信号を受信するネットワークデバイスは、ステップ２１０におけるネットワークデバイスのみを含むこともあり、または、ステップ２１０におけるネットワークデバイスに加えて別のネットワークデバイスを含むこともあり、または、ステップ２１０におけるネットワークデバイスとは異なるネットワークデバイスであることもある。たとえば、端末デバイスは、ＰＭＩおよびＲＩをネットワークデバイス＃１から受信し、プリコーディングされた信号をネットワークデバイス＃２に送る。ネットワークデバイス＃１は、ステップ２１０におけるネットワークデバイスの例である。本願では、端末デバイスが信号を送る対象についてどんな限定も課されない。
【０８７５】
任意選択で、ステップ２４０で、端末デバイスによってネットワークデバイスに送られるプリコーディングされた信号は、プリコーディングされたアップリンクデータおよびプリコーディングされたＤＭＲＳを含み得、したがって、ネットワークデバイスは、ＤＭＲＳに基づいて等価なチャネル行列を決定し、さらに、復調を通して、端末デバイスによって送られたアップリンクデータを得る。
【０８７６】
ステップ２４０でネットワークデバイスがプリコーディングされた信号を受信した後の処理プロセスは、従来技術における処理プロセスと同じであってよいことを理解されたい。簡潔にするために、本明細書ではその具体的なプロセスについての詳細な記述は省略される。
【０８７７】
したがって、前述の設計に基づき、端末デバイスは、対応する能力を有するときは、コヒーレント送信、部分的コヒーレント送信、および非コヒーレント送信のうちの少なくとも２つの送信形式で、１つまたは複数のネットワークデバイスと通信し得る。したがって、端末デバイスの送信フレキシビリティが改善され、異なる複数の送信形式が使用され、よって、異なる送信要件が満たされることが可能であり、それによりリソース利用改善が容易になる。
【０８７８】
本願のこの実施形態では、ネットワークデバイスは、可能な複数の方式でターゲットプリコーディング行列を端末デバイスに対して示し得る。ネットワークデバイスがターゲットプリコーディング行列を示し、端末デバイスが受信されたＰＭＩおよびＲＩに基づいてターゲットプリコーディング行列を決定する際の具体的なプロセスについて、異なる方式（方式１から方式６を含む）に関して以下に詳細に記述する。
【０８７９】
後続の可能な複数のインジケーション方式では、ＰＭＩを使用してコードブックインデックス（ｃｏｄｅｂｏｏｋ  ｉｎｄｅｘ）が示され得、各コードブックインデックスは、１つのプリコーディング行列に対応し得（もしくはコードワードと呼ばれることがあり）、または、コードブックインデックスとプリコーディング行列との１対１対応がコードブックに記憶され得ることに留意されたい。すなわち、同じランクに対応するコードブック内で、コードブックインデックスとプリコーディング行列とは１対１対応にあり得る。したがって、ＰＭＩを使用して、ランクに対応するコードブック内のターゲットプリコーディング行列が示され得る。簡潔にするために、以下では、同じまたは類似のケースについては記述されない。
【０８８０】
方式１
【０８８１】
ネットワークデバイスは第４のインジケーション情報およびＲＩを送り得、ここで、ＲＩは、プリコーディング行列のランクを示すために使用され、第４のインジケーション情報は、ＲＩによって示されるランクに対応するコードブック内のターゲットプリコーディング行列を示すために使用される。
【０８８２】
言い換えれば、同じランクに対応するコードブック内で、第４のインジケーション情報を使用して１つのプリコーディング行列が示される。任意選択で、第４のインジケーション情報はＰＭＩであり得る。
【０８８３】
たとえば、複数のプリコーディング行列がコードブックに記憶され、ランクがＲＩによって示され得、ターゲットプリコーディング行列に対応するコードブックインデックスが、ランクに対応するコードブック内で第４のインジケーション情報を使用して示され得ると仮定される。
【０８８４】
これに対応して、方式１では、端末デバイスは、第４のインジケーション情報およびＲＩを受信し、第４のインジケーション情報およびＲＩに基づいてターゲットプリコーディング行列を決定する。
【０８８５】
任意選択で、第４のインジケーション情報およびＲＩは、ＤＣＩ中で搬送される。
【０８８６】
方式２
【０８８７】
ネットワークデバイスは第５のインジケーション情報およびＲＩを送り得、ここで、ＲＩは、プリコーディング行列のランクを示すために使用され、第５のインジケーション情報は２つのインジケーションフィールドを含み得、２つのインジケーションフィールドのうちの第１のインジケーションフィールドは、第１のタイプのプリコーディング行列と第２のタイプのプリコーディング行列と第３のタイプのプリコーディング行列とのうちの少なくとも１つのタイプを示し、２つのインジケーションフィールドのうちの第２のインジケーションフィールドは、ＲＩによって示されるランクに対応するコードブック内の、第１のインジケーションフィールドによって示される少なくとも１つのプリコーディング行列タイプのターゲットプリコーディング行列を示す。
【０８８８】
言い換えれば、ネットワークデバイスは、１つのインジケーション情報を使用して２つのレベルのインジケーション情報を搬送し得、それによりターゲットプリコーディング行列を端末デバイスに対して示し得る。任意選択で、第５のインジケーション情報はＰＭＩであり得る。
【０８８９】
たとえば、複数のプリコーディング行列がコードブックに記憶され、ランクがＲＩによって示され得ると仮定される。ランクに対応するコードブックには、少なくとも２つのタイプのプリコーディング行列、たとえば、前述の３つのタイプのうちの少なくとも２つのタイプのプリコーディング行列が含まれ得る。第５のインジケーション情報中の第１のインジケーションフィールドは、利用可能なプリコーディング行列のタイプを示し得る。たとえば、第１のインジケーションフィールドは２ビットであり得、下の表１に、第１のインジケーションフィールドとプリコーディング行列のタイプとの対応が示され得る。
【０８９０】
【表１】
2021503239.tif 000306
【０８９１】
第１のインジケーションフィールド中の異なる値は、異なるタイプのプリコーディング行列に対応し、第２のインジケーションフィールドは、利用可能なプリコーディング行列のタイプ（すなわち、第１のインジケーションフィールドに対応するプリコーディング行列のタイプ）のターゲットプリコーディング行列を示し得ることがわかる。この実装では、プリコーディング行列の各タイプは、１つのコードブックインデックスセットを使用して示され得る。具体的には、第１のインジケーションフィールド中の値が同じであるとき、すなわち１つのタイプのプリコーディング行列に対応するときは、第２のインジケーションフィールド中の値を使用して１つのプリコーディング行列が一意に示され得る。したがって、同じランクに対応するコードブック内で、第５のインジケーション情報中の第１のインジケーションフィールドおよび第２のインジケーションフィールドを使用してターゲットプリコーディング行列が合同で示される。
【０８９２】
同じコードブックインデックスセット内では、各インデックス値が１つのプリコーディング行列を示すことを理解されたい。すなわち、１つのコードブックインデックスセット内の任意の２つのインデックス値は異なる。異なる２つのコードブックインデックスセット内では、同じインデックス値によって示されるプリコーディング行列は異なり得る。簡潔にするために、以下では、同じまたは類似のケースについては記述されない。
【０８９３】
表１に列挙された第１のインジケーションフィールドとプリコーディング行列のタイプとの対応は、例にすぎず、本願に対するどんな限定も構成すべきでないことをさらに理解されたい。たとえば、下の表２にもまた、第１のインジケーションフィールドとプリコーディング行列のタイプとの対応が示され得る。
【０８９４】
【表２】
2021503239.tif 000307
【０８９５】
この実装では、第１のインジケーションフィールドが異なる値を有するとき、第２のインジケーションフィールドは、１つのコードブックインデックスセットに対応する。第１のインジケーションフィールドによって示されるプリコーディング行列のタイプが決定されたとき、第１のインジケーションフィールドによって示される１つまたは複数のプリコーディング行列タイプのプリコーディング行列は、コードブックインデックスと１対１対応にあり得る。ネットワークデバイスと端末デバイスとは、コードブックインデックスとプリコーディング行列との可能な複数の１対１対応について事前合意していてよい。たとえば、第１のタイプのプリコーディング行列のみが使用されるときは、第１のタイプのプリコーディング行列におけるプリコーディング行列は１つのコードブックインデックスセットに対応し得、各コードブックインデックスは１つのプリコーディング行列に対応する。第１のタイプのプリコーディング行列および第２のタイプのプリコーディング行列のみが使用されるときは、第１のタイプのプリコーディング行列および第２のタイプのプリコーディング行列におけるプリコーディング行列は、１つのコードブックインデックスセットに対応し得、各コードブックインデックスは１つのプリコーディング行列に対応する。第１のタイプのプリコーディング行列、第２のタイプのプリコーディング行列、および第３のタイプのプリコーディング行列が使用されるときは、第１のタイプのプリコーディング行列、第２のタイプのプリコーディング行列、および第３のタイプのプリコーディング行列におけるプリコーディング行列は、１つのコードブックインデックスセットに対応し得、各コードブックインデックスは１つのプリコーディング行列に対応する。１つまたは２つのタイプのプリコーディング行列のみが使用されるときは、コードブックインデックスのビット数が低減され得ること、すなわち第５のインジケーション情報のビットオーバーヘッドが低減され得ることが理解され得る。コードブックインデックスとプリコーディング行列との１対１対応は、プロトコルにおいて定義されてもよく、または上位レイヤシグナリングを使用して構成されてもよい。これは本願において限定されない。
【０８９６】
代替として、第１のタイプのプリコーディング行列、第２のタイプのプリコーディング行列、および第３のタイプのプリコーディング行列に対して、同じコードブックインデックスセットが定義されてよい。たとえば、第１のタイプのプリコーディング行列のコードブックインデックスには０からＸ1までの番号が順に付けられ、第２のタイプのプリコーディング行列のコードブックインデックスにはＸ2＋１からＸ3までの番号が順に付けられ、第３のタイプのプリコーディング行列のコードブックインデックスにはＸ4＋１からＸ5までの番号が順に付けられ、Ｘ2≧Ｘ1であり、Ｘ4≧Ｘ3である。第１のインジケーションフィールドは、コードブックインデックスの第１の値が０、Ｘ3＋１、またはＸ5＋１であることを暗黙的に示す。すなわち、第１のタイプのプリコーディング行列のコードブックインデックスと第２のタイプのプリコーディング行列のコードブックインデックスとは、連続してもよく（たとえば、Ｘ2＝Ｘ1）、または不連続であってもよく（たとえば、Ｘ2＞Ｘ1）、第２のタイプのプリコーディング行列のコードブックインデックスと第３のタイプのプリコーディング行列のコードブックインデックスとは、連続してもよく（たとえば、Ｘ4＝Ｘ3）、または不連続であってもよい（たとえば、Ｘ4＞Ｘ3）。これは本願において限定されない。
【０８９７】
異なる複数のタイプのプリコーディング行列が使用されるときは、コードブックインデックスとプリコーディング行列との１対１対応を決定する方法は事前合意されていてもよく、または、コードブックインデックスとプリコーディング行列との１対１対応は動的に変更されてもよいことを理解されたい。コードブックインデックスとプリコーディング行列との対応を定義する方法は、本願において限定されない。
【０８９８】
これに対応して、方式２では、端末デバイスは、第５のインジケーション情報およびＲＩを受信し、第５のインジケーション情報およびＲＩに基づいてターゲットプリコーディング行列を決定する。
【０８９９】
任意選択で、第５のインジケーション情報およびＲＩは、ＤＣＩ中で搬送される。
【０９００】
方式３
【０９０１】
ネットワークデバイスは、インジケーション情報＃１（すなわち、インジケーション情報＃１の例は第１のインジケーション情報の例である）、第６のインジケーション情報、およびＲＩを送る。ここで、インジケーション情報＃１は、利用可能なコードブックサブセットを示すために使用され、ＲＩは、ターゲットプリコーディング行列のランクを示すために使用され、第６のインジケーション情報は、インジケーション情報＃１によって示される利用可能なコードブックサブセット内にあり、ＲＩによって示されるランクに対応するコードブック内にある、ターゲットプリコーディング行列を示すために使用される。
【０９０２】
実装Ａ：
【０９０３】
任意選択で、インジケーション情報＃１は、コードブックサブセット制限（ｃｏｄｅｂｏｏｋ  ｓｕｂｓｅｔ  ｒｅｓｔｒｉｃｔｉｏｎ（ＣＳＲ））である。
【０９０４】
任意選択で、ＣＳＲは、上位レイヤシグナリング中で搬送される。上位レイヤシグナリングは、たとえば、ＲＲＣメッセージまたはＭＡＣ−ＣＥメッセージを含み得る。
【０９０５】
任意選択で、第６のインジケーション情報はＰＭＩである。
【０９０６】
任意選択で、ＰＭＩおよびＲＩは、ＤＣＩ中で搬送される。
【０９０７】
このようにして、同じＲＩに対応するコードブック内では、各ＰＭＩ中の値は１つのプリコーディング行列を一意に示し得る。
【０９０８】
ネットワークデバイスは、上位レイヤシグナリングを使用してランクのＣＳＲを端末デバイスに対してさらに示し得、したがって、端末デバイスは、制限されたランクに対応するコードブック内で、インジケーション情報＃１に基づいて、利用可能なコードブックサブセットを決定することに留意されたい。ここで、コードブックサブセットは、第１のタイプのプリコーディング行列、第２のタイプのプリコーディング行列、および第３のタイプのプリコーディング行列のうちの少なくとも１つのタイプを含み得る。
【０９０９】
可能な設計では、インジケーション情報＃１はビットマップであり得る。ビットマップは複数のインジケーションビットを含み得、各インジケーションビットは１つのコードブックサブセットに対応し、各インジケーションビットを使用して、対応するコードブックサブセット内のプリコーディング行列が利用可能なプリコーディング行列かどうかが示される。
【０９１０】
たとえば、コードブックが第１のコードブックサブセット（たとえば、第１のタイプのプリコーディング行列を含む）、第２のコードブックサブセット（たとえば、第２のタイプのプリコーディング行列を含む）、および第３のコードブックサブセット（たとえば、第３のタイプのプリコーディング行列を含む）を含む場合、３つのコードブックサブセットはそれぞれ、ビットマップ中の１つのインジケーションビットに対応し得る。この場合、ビットマップは３つのインジケーションビットを含み得、３つのインジケーションビットはそれぞれ、順番に３つのコードブックサブセットに対応し得る。たとえば、第１のインジケーションビットは第１のコードブックサブセットに対応し、第２のインジケーションビットは第２のコードブックサブセットに対応し、第３のインジケーションビットは第３のコードブックサブセットに対応する。インジケーションビットが「０」にセットされているとき、これは、示されるコードブックサブセット内のプリコーディング行列が、利用不可能なプリコーディング行列であることを示す。インジケーションビットが「１」にセットされているとき、これは、示されるコードブックサブセット内のプリコーディング行列が、利用可能なプリコーディング行列であることを示す。
【０９１１】
コードブックサブセット内のプリコーディング行列が利用可能なプリコーディング行列であるかどうかを示すためにビットマップが使用されるとき、ビットマップは、１つまたは複数のコードブックサブセット内のプリコーディング行列が利用可能なプリコーディング行列であることを同時に示し得ることを理解されたい。これは本願において限定されない。１つまたは複数のコードブックサブセット内のプリコーディング行列が利用可能なプリコーディング行列であるとき、コードブックインデックスとプリコーディング行列との対応については、上の方式２における関連の記述を参照されたい。簡潔にするために、本明細書では詳細について再び記述されることはない。ネットワークデバイスは、コードブックインデックスとプリコーディング行列との対応に基づいて、ＰＭＩを使用してターゲットプリコーディング行列を端末デバイスに対して示し得る。
【０９１２】
上に列挙された、インジケーションビットとプリコーディング行列のタイプとの１対１対応は、記述のための例にすぎず、本願に対するどんな限定も構成すべきでないことをさらに理解されたい。各インジケーションビットとプリコーディング行列のタイプとの対応は、事前合意されていてよい。ネットワークデバイスは、事前合意済みの対応に基づいて、利用可能なプリコーディング行列のタイプを端末デバイスに対して示し得る。上に列挙されたインジケーションビットの種々の値によって示される情報は、記述のための例にすぎず、本願に対するどんな限定も構成すべきでないことをさらに理解されたい。
【０９１３】
別の可能な設計では、インジケーション情報＃１は１つのインジケーションフィールドを含み得、インジケーションフィールドの異なる値は、異なるタイプのプリコーディング行列が使用されることになることを示す。たとえば、インジケーションフィールドは２ビットを含み、下の表３に、インジケーションフィールドとプリコーディング行列のタイプとの対応が示され得る。
【０９１４】
【表３】
2021503239.tif 000308
【０９１５】
この実装では、ネットワークデバイスは、上位レイヤシグナリングを使用して、利用可能なプリコーディング行列のセットを端末デバイスに対して示し得る。利用可能なプリコーディング行列のセットは、時間期間内で不変であってもよく、または半静的であってもよい。したがって、前述の方式と比較して、ネットワークデバイスがＤＣＩを使用してＰＭＩおよびＲＩを端末デバイスに送るとき、ＰＭＩのオーバーヘッドが低減され得る。これは、ネットワークデバイスが、１つのコードブックインデックスセットを使用して各タイプのプリコーディング行列を示し得るからであり、各コードブックインデックスセットは１つのＰＭＩセットを使用して示され得、異なるタイプのプリコーディング行列に対応する複数のコードブックインデックスセットは互いに独立し得、異なるタイプのプリコーディング行列のコードブックインデックスを示すために使用される複数のＰＭＩセットもまた、互いに独立し得る。たとえば、第１のタイプのプリコーディング行列におけるランク１のプリコーディング行列のうちの０番目のプリコーディング行列に対応するコードブックインデックスは「００」であり得、ネットワークデバイスは、値「００」を有するＰＭＩをたとえば使用して、プリコーディング行列を示し得る。第２のタイプのプリコーディング行列におけるランク１のプリコーディング行列のうちの０番目のプリコーディング行列に対応するＰＭＩの値もまた「００」であり得、ネットワークデバイスは、値「００」を有するＰＭＩをたとえば使用して、プリコーディング行列を示し得る。第３のタイプのプリコーディング行列におけるランク１のプリコーディング行列のうちの０番目のプリコーディング行列に対応するＰＭＩの値もさらに「００」であり得、ネットワークデバイスはさらに、値「００」を有するＰＭＩをたとえば使用して、プリコーディング行列を示し得る。しかし、プリコーディング行列のタイプが上位レイヤシグナリングを使用して示されない場合は、３つのタイプのプリコーディング行列におけるランク１のプリコーディング行列が、同じＰＭＩセットを使用して示される必要があり得る。したがって、第１のタイプのプリコーディング行列におけるランク１のプリコーディング行列のうちの０番目のプリコーディング行列に対応するＰＭＩと、第２のタイプのプリコーディング行列におけるランク１のプリコーディング行列のうちの０番目のプリコーディング行列に対応するＰＭＩと、第３のタイプのプリコーディング行列におけるランク１のプリコーディング行列のうちの０番目のプリコーディング行列に対応するＰＭＩとは、異なる値を使用して区別される必要がある。コードブックに含まれるプリコーディング行列の数が比較的多いときは、比較的大きいビットオーバーヘッドが必要とされ得る。しかし、コードブックが３つのコードブックサブセットに分割された場合、各コードブックサブセット内のプリコーディング行列の数は、コードブック内のプリコーディング行列の総数よりも確実に少なく、必要とされるビットオーバーヘッドは著しく低減され得る。
【０９１６】
表３に列挙されたインジケーション情報＃１中の値とプリコーディング行列のタイプとの対応は、例にすぎず、本願に対するどんな限定も構成すべきでないことを理解されたい。たとえば、下の表４にもまた、インジケーション情報＃１中の値とプリコーディング行列のタイプとの対応が示され得る。
【０９１７】
【表４】
2021503239.tif 000309
【０９１８】
この実装では、インジケーション情報＃１の各値が使用されるとき、利用可能なプリコーディング行列の示されるセットは、１つのコードブックインデックスセットを使用して示され得、各コードブックインデックスセットは１つのＰＭＩセットを使用して示され得、インジケーション情報＃１の複数の値に対応する複数のコードブックインデックスセットは互いに独立し得、異なるタイプのプリコーディング行列のコードブックインデックスを示すために使用されるＰＭＩセットもまた互いに独立し得る。インジケーション情報＃１によって示されるプリコーディング行列のタイプが決定されたとき、インジケーション情報＃１によって示される１つまたは複数のプリコーディング行列タイプのプリコーディング行列は、コードブックインデックスと１対１対応にあり得る。この実装は方式２に類似する。ネットワークデバイスと端末デバイスとは、コードブックインデックスとプリコーディング行列との可能な複数の１対１対応について事前合意していてよい。たとえば、インジケーション情報＃１の値が「００」であるときは、第１のタイプのプリコーディング行列のみが使用され、１つのコードブックインデックスセットを使用して第１のタイプのプリコーディング行列におけるプリコーディング行列が示され得、各コードブックインデックスは１つのプリコーディング行列に対応する。インジケーション情報＃１の値が「０１」であるときは、第１のタイプのプリコーディング行列および第２のタイプのプリコーディング行列のみが使用され、１つのコードブックインデックスセットを使用して第１のタイプのプリコーディング行列および第２のタイプのプリコーディング行列におけるプリコーディング行列が示され得、各コードブックインデックスは１つのプリコーディング行列に対応する。インジケーション情報＃１の値が「１０」であるときは、第１のタイプのプリコーディング行列、第２のタイプのプリコーディング行列、および第３のタイプのプリコーディング行列が使用され、１つのコードブックインデックスセットを使用して第１のタイプのプリコーディング行列、第２のタイプのプリコーディング行列、および第３のタイプのプリコーディング行列におけるプリコーディング行列が示され得、各コードブックインデックスは１つのプリコーディング行列に対応する。１つまたは２つのタイプのプリコーディング行列のみが使用されるときは、コードブックインデックスのビット数が低減され得ること、すなわちＰＭＩのオーバーヘッドが低減され得ることが理解され得る。
【０９１９】
上に列挙された、インジケーション情報＃１の異なる値とプリコーディング行列のタイプとの対応は、理解を容易にするための記述に向けた例にすぎず、本願に対するどんな限定も構成すべきでないことを理解されたい。
【０９２０】
実装Ｂ：
【０９２１】
任意選択で、インジケーション情報＃１は、ＰＭＩ（たとえば、ＰＭＩ＃１として表される）である。
【０９２２】
任意選択で、第６のインジケーション情報は、ＰＭＩ（たとえば、ＰＭＩ＃２として表される）である。
【０９２３】
インジケーション情報＃１と第６のインジケーション情報とは、異なるＰＭＩであり得る。
【０９２４】
任意選択で、インジケーション情報＃１、第６のインジケーション情報、およびＲＩは、ＤＣＩ中で搬送される。
【０９２５】
インジケーション情報＃１、第６のインジケーション情報、およびＲＩは、同じＤＣＩ中で搬送されてもよいし異なるＤＣＩ中で搬送されてもよいことを理解されたい。これは本願において限定されない。
【０９２６】
インジケーション情報＃１とプリコーディング行列のタイプとの対応は、上の表３または表４に示され得、第６のインジケーション情報を使用してターゲットプリコーディング行列が示される際の具体的な方法もまた、上に詳細に記述されている。簡潔にするために、本明細書では詳細について再び記述されることはない。
【０９２７】
これに対応して、方式３では、端末デバイスは、インジケーション情報＃１、第６のインジケーション情報、およびＲＩを受信し、インジケーション情報＃１、第６のインジケーション情報、およびＲＩに基づいてターゲットプリコーディング行列を決定する。
【０９２８】
方式４
【０９２９】
ネットワークデバイスは、インジケーション情報＃２（すなわち、第１のインジケーション情報の別の例）、第６のインジケーション情報、およびＲＩを送る。ここで、インジケーション情報＃２は、利用可能なプリコーディング行列のセットを示すために使用され、ＲＩは、コードブック内のプリコーディング行列のランクを示すために使用され、第６のインジケーション情報は、インジケーション情報＃２によって示される利用可能なプリコーディング行列のセット内にあり、ＲＩによって示されるランクに対応するコードブック内にある、ターゲットプリコーディング行列を示すために使用される。
【０９３０】
任意選択で、インジケーション情報＃２はＣＳＲである。
【０９３１】
任意選択で、ＣＳＲは、上位レイヤシグナリング中で搬送される。上位レイヤシグナリングは、たとえば、ＲＲＣメッセージまたはＭＡＣ−ＣＥメッセージを含み得る。
【０９３２】
任意選択で、第６のインジケーション情報はＰＭＩである。
【０９３３】
任意選択で、ＰＭＩおよびＲＩは、ＤＣＩ中で搬送される。
【０９３４】
このようにして、同じＲＩに対応するコードブック内では、各ＰＭＩ中の値は１つのプリコーディング行列を一意に示し得る。
【０９３５】
ネットワークデバイスは、上位レイヤシグナリングを使用してランクのＣＳＲを端末デバイスに対してさらに示し得、したがって、端末デバイスは、制限されたランクに対応するコードブック内で、インジケーション情報＃２に基づいて、利用可能なコードブックサブセットを決定することに留意されたい。ここで、コードブックサブセットは、第１のタイプのプリコーディング行列、第２のタイプのプリコーディング行列、および第３のタイプのプリコーディング行列のうちの少なくとも１つのタイプを含み得る。
【０９３６】
可能な設計では、インジケーション情報＃２はビットマップであり得る。ビットマップは複数のインジケーションビットを含み得、各インジケーションビットは１つのプリコーディング行列に対応し、各インジケーションビットを使用して、対応するプリコーディング行列が利用可能なプリコーディング行列かどうかが示される。
【０９３７】
たとえば、コードブックが複数のプリコーディング行列を含む場合、ビットマップは複数のインジケーションビットを含み得、各インジケーションビットはコードブック内の１つのプリコーディング行列に対応し得、ネットワークデバイスは、利用可能なプリコーディング行列に対応するインジケーションビットを「１」にセットし得、利用不可能なプリコーディング行列に対応するインジケーションビットを「０」にセットし得る。
【０９３８】
ＲＩによって示されるランクに対応するコードブック内では、インジケーション情報＃２によって示される利用可能なプリコーディング行列は、独立した１つのコードブックインデックスセットを使用して示され得る。すなわち、ＲＩに対応するコードブック内の利用可能なプリコーディング行列におけるプリコーディング行列は、コードブックインデックスと１対１対応にあり得る。たとえば、ネットワークデバイスと端末デバイスとは、コードブックインデックスとプリコーディング行列との１対１対応を決定する方法について事前合意していてよい。ネットワークデバイスは、ＰＭＩを使用して、ターゲットプリコーディング行列に対応するコードブックインデックスを示し得る。たとえば、ＰＭＩ中の値はコードブックインデックスである。
【０９３９】
端末デバイスは、ＰＭＩと、コードブックインデックスとプリコーディング行列との１対１対応を決定するためのネットワークデバイスと事前合意された方法と、に基づいて、コードブックインデックスによって示されるターゲットプリコーディング行列を決定し得る。
【０９４０】
したがって、１つまたは２つのタイプのプリコーディング行列のみが適用可能であるときは、コードブックインデックスのビット数が低減され得る、すなわち、ＰＭＩのオーバーヘッドが低減され得る。
【０９４１】
これに対応して、方式４では、端末デバイスは、インジケーション情報＃２、第６のインジケーション情報、およびＲＩを受信し、第１のインジケーション情報、第６のインジケーション情報、およびＲＩに基づいてターゲットプリコーディング行列を決定する。
【０９４２】
方式５
【０９４３】
ネットワークデバイスは第２のインジケーション情報を送り得、ここで、第２のインジケーション情報は、離散フーリエ変換拡散ＯＦＤＭ（ＤＦＴ−ｓｐｒｅａｄ−ＯＦＤＭ）波形に対応するコードブックのセットを示すために使用される。
【０９４４】
ネットワークデバイスはＰＭＩおよびＲＩを送り、ここで、ＲＩは、プリコーディング行列のランクを示すために使用され、ＰＭＩは、ＲＩによって示されるランクに対応するコードブック内にあり、ＤＦＴ−ｓ−ＯＦＤＭ波形に対応するコードブック内にある、ターゲットプリコーディング行列を示すために使用される。
【０９４５】
具体的には、ＤＦＴ−ｓ−ＯＦＤＭ波形は、送信モードにおける波形として理解され得る。波形に対応するコードブックのセットは、少なくとも１つのランクに対応する少なくとも１つのコードブックを含み得、各コードブックは、第１のタイプのプリコーディング行列および第２のタイプのプリコーディング行列を含む。ＤＦＴ−ｓ−ＯＦＤＭ波形に基づく送信は、送信モード（たとえば、送信モード＃１として表される）として理解され得る。第２のインジケーション情報は、ＤＦＴ−ｓ−ＯＦＤＭ波形に対応するコードブックのセットを示す情報であってもよく、またはＤＦＴ−ｓ−ＯＦＤＭ波形を示す情報であってもよく、または送信モードを示す情報であってもよい。これは本願において限定されない。
【０９４６】
これに対応して、端末デバイスは第２のインジケーション情報を受信し、第２のインジケーション情報は、ＤＦＴ−ｓ−ＯＦＤＭ波形に対応するコードブックを示す。
【０９４７】
端末デバイスは、ＰＭＩおよびＲＩを受信し、ＰＭＩおよびＲＩに基づいてターゲットプリコーディング行列を決定する。
【０９４８】
ネットワークデバイスは、第２のインジケーション情報を使用してプリコーディング行列のタイプを示した後、ＰＭＩおよびＲＩを使用してターゲットプリコーディング行列を示し得る。ＤＦＴ−ｓ−ＯＦＤＭ波形に対応するコードブックのセット内では、プリコーディング行列とコードブックインデックスとは１対１対応にあり得る。この実装は、方式２において表２に関して記述された実装に類似する。詳細については、方式２における関連の記述を参照されたい。簡潔にするために、本明細書では詳細について再び記述されることはない。
【０９４９】
任意選択で、第２のインジケーション情報は、上位レイヤシグナリング、たとえばＲＲＣメッセージまたはＭＡＣ−ＣＥメッセージ中で搬送される。
【０９５０】
方式６
【０９５１】
ネットワークデバイスは第３のインジケーション情報を送り得、ここで、第３のインジケーション情報は、サイクリックプレフィックスＯＦＤＭ（Ｃｙｃｌｉｃ  Ｐｒｅｆｉｘ−ＯＦＤＭ、ＣＰ−ＯＦＤＭ）波形に対応するコードブックのセットを示すために使用される。
【０９５２】
ネットワークデバイスはＰＭＩおよびＲＩを送り、ここで、ＲＩはプリコーディング行列のランクを示すために使用され、ＰＭＩは、ＲＩによって示されるランクに対応するコードブック内にあり、ＣＰ−ＯＦＤＭ波形に対応するコードブック内にある、ターゲットプリコーディング行列を示すために使用される。
【０９５３】
具体的には、ＣＰ−ＯＦＤＭ波形は、送信モードにおける波形として理解され得る。波形に対応するコードブックのセットは、少なくとも１つのランクに対応する少なくとも１つのコードブックを含み、各コードブックは、第１のタイプのプリコーディング行列、第２のタイプのプリコーディング行列、および第３のタイプのプリコーディング行列を含む。ＣＰ−ＯＦＤＭ波形に基づく送信は、送信モード（たとえば、送信モード＃２として表される）として理解され得る。第３のインジケーション情報は、ＣＰ−ＯＦＤＭ波形に対応するコードブックのセットを示す情報であってもよく、またはＣＰ−ＯＦＤＭ波形を示す情報であってもよく、または送信モードを示す情報であってもよい。これは本願において限定されない。
【０９５４】
これに対応して、端末デバイスは第３のインジケーション情報を受信し、第３のインジケーション情報に基づいて、ＣＰ−ＯＦＤＭ波形に対応するコードブックを示す。
【０９５５】
端末デバイスは、ＰＭＩおよびＲＩを受信し、ＰＭＩおよびＲＩに基づいてターゲットプリコーディング行列を決定する。
【０９５６】
ネットワークデバイスは、第３のインジケーション情報を使用してプリコーディング行列のタイプを示した後、ＰＭＩおよびＲＩを使用してターゲットプリコーディング行列を示し得る。ＣＰ−ＯＦＤＭ波形に対応するコードブック内では、プリコーディング行列とコードブックインデックスとは１対１対応にあり得る。この実装は、方式２において表２に関して記述された実装に類似する。詳細については、方式２における関連の記述を参照されたい。簡潔にするために、本明細書では詳細について再び記述されることはない。
【０９５７】
任意選択で、第３のインジケーション情報は、上位レイヤシグナリング、たとえば、ＲＲＣメッセージまたはＭＡＣ−ＣＥメッセージ中で搬送される。
【０９５８】
方式５で第２のインジケーション情報を搬送するために使用される上位レイヤシグナリング、および方式６で第３のインジケーション情報を搬送するために使用される上位レイヤシグナリングは、異なる２つの上位レイヤシグナリングであってもよく、または１つの上位レイヤシグナリングの異なるインジケーションフィールドによって示されてもよく、さらには１つの上位レイヤシグナリングの同じインジケーションフィールドの異なる値によって示されてもよいことを理解されたい。方式５で第２のインジケーション情報を搬送するために使用される上位レイヤシグナリング、および方式６で第３のインジケーション情報を搬送するために使用される上位レイヤシグナリングが、異なる２つの上位レイヤシグナリングであり得るときは、ネットワークデバイスは、第２のインジケーション情報を搬送するために使用される上位レイヤシグナリングと第３のインジケーション情報を搬送するために使用される上位レイヤシグナリングとのうちの少なくとも一方のみを送ってよい。
【０９５９】
前述の可能な実装に基づき、上に列挙された第４のインジケーション情報から第７のインジケーション情報がＰＭＩであってよいことが知られ得る。しかし、異なる実装では、ＰＭＩによって示される内容は異なり得、異なる実装でＰＭＩによって示される情報は、上の関連の記述を参照して決定され得る。簡潔にするために、本明細書では詳細について再び記述されることはない。言い換えれば、ネットワークデバイスは、１つまたは複数のＰＭＩを端末に送り得る。ＰＭＩの数は本願において限定されない。
【０９６０】
さらにまた、前述の可能な実装のうちの任意の１つにおいて、利用可能なプリコーディング行列のタイプが第１のタイプのプリコーディング行列を含む場合、ネットワークデバイスはさらに、利用可能な第１のタイプのプリコーディング行列におけるタイプを示し得る。たとえば、第１のタイプのプリコーディング行列におけるタイプＡ、タイプＢ、またはタイプＣのうちの少なくとも１つが、上位レイヤシグナリングを使用して示される。限定ではなく例として、上位レイヤシグナリングは、ＲＲＣメッセージまたはＭＡＣ−ＣＥメッセージを含み得る。
【０９６１】
上に列挙された上位レイヤシグナリングの具体的な形は、記述のための例にすぎず、本願に対するどんな限定も構成すべきでないことを理解されたい。上位レイヤシグナリングは、ＲＲＣレイヤ、ＭＡＣレイヤ、または、物理レイヤとは異なる別のプロトコルレイヤからのシグナリングであり得る。
【０９６２】
上に列挙されたプリコーディング行列は、本願において提供されるプリコーディング行列の可能な形にすぎず、本願に対するどんな限定も構成すべきでないことを理解されたい。本願において提供されるプリコーディング行列の形に対して、行および／もしくは列変換または他の数学的変換を実施することによって得られるプリコーディング行列は、本願の保護範囲内に入るべきである。
【０９６３】
可能な実装では、ネットワークデバイスおよび端末デバイスは、次のうちの１つまたは複数を記憶し得ることに留意されたい。
（ａ）前述の実装で列挙されたプリコーディング行列のうちの任意の１つを得るために使用されるパラメータ。ここで、前述のプリコーディング行列のうちの任意の１つは、パラメータに基づいて得られてよく、たとえば、パラメータは、上に列挙されたコードブック構成パラメータを含み得るがこれに限定されない。
（ｂ）前述の実装で列挙されたプリコーディング行列のうちの任意の１つ。
（ｃ）前述の実装で列挙されたプリコーディング行列のうちの任意の１つに基づいて拡張された行列。
（ｄ）前述の実装で列挙されたプリコーディング行列のうちの任意の１つに対して行／列変換を実施することによって得られた行列。
（ｅ）前述の実装で列挙されたプリコーディング行列のうちの任意の１つに対して行／列変換を実施することによって得られた行列に基づいて拡張された行列。
（ｆ）コードブック。ここで、コードブックは、（ｂ）、（ｃ）、（ｄ）、または（ｅ）における行列のうちの少なくとも１つを含む。
【０９６４】
行／列変換は、本願において、行変換もしくは列変換、または行変換および列変換を指すことを理解されたい。
【０９６５】
本願における記憶は、１つまたは複数のメモリへの記憶であり得る。１つまたは複数のメモリは、別々に配置されることもあり、またはエンコーダ、デコーダ、プロセッサ、もしくは通信装置に統合されることもある。代替として、１つまたは複数のメモリのうちのいくつかは別々に配置され、１つまたは複数のメモリのうちのいくつかはデコーダ、プロセッサ、または通信装置に統合される。メモリのタイプは、任意の形の記憶媒体であり得る。これは本願において限定されない。
【０９６６】
前述の「事前合意」は、対応するコードもしくは対応する表をデバイス（たとえば、端末デバイスおよびネットワークデバイスを含む）に事前に記憶することによって、または関連情報を示すために使用され得る別の方式で実装され得、その具体的な実装は本願において限定されないことをさらに理解されたい。
【０９６７】
以上では、本願の実施形態における通信方法について図２および図３を参照しながら詳細に記述している。以下では、本願の実施形態における通信装置について図４から図６を参照しながら詳細に記述する。
【０９６８】
図４は、本願の実施形態による端末デバイスの概略構造図である。端末デバイスは、図１に示されるシステムに適用され得、前述の方法実施形態における端末デバイスの機能を実施し得る。記述を容易にするために、図４は、端末デバイスの主要な構成要素のみを示す。図４に示されるように、端末デバイス４０は、プロセッサ、メモリ、制御回路、アンテナ、および入出力装置を備える。プロセッサは主に、通信プロトコルおよび通信データを処理し、端末デバイス全体を制御し、ソフトウェアプログラムを実行し、ソフトウェアプログラムのデータを処理するように構成される。たとえば、プロセッサは、前述の方法実施形態で記述されたアクション、たとえば、受信されたＰＭＩおよびＲＩに基づいてプリコーディング行列を決定して信号をプリコーディングし、プリコーディングされた信号を送ることを、端末デバイスが実施するのをサポートするように構成される。メモリは主に、ソフトウェアプログラムおよびデータを記憶するように、たとえば、前述の実施形態で記述されたインジケーション情報と組合せ情報との対応を記憶するように構成される。制御回路は主に、ベースバンド信号と無線周波数信号との間の変換を実施し、無線周波数信号を処理するように構成される。制御回路とアンテナとの組合せはまた、無線周波数信号を電磁波の形で送出／受信するように主に構成されるトランシーバと呼ばれることもある。タッチ画面、表示画面、またはキーボードなどの入出力装置は主に、ユーザによって入力されたデータを受け取り、ユーザに対してデータを出力するように構成される。
【０９６９】
端末デバイスの電源が入れられた後、プロセッサは、記憶ユニット中のソフトウェアプログラムを読み取り、ソフトウェアプログラムの命令を解釈して実行し、ソフトウェアプログラムのデータを処理し得る。プロセッサがアンテナを使用してデータを送る必要があるときは、プロセッサは、送られることになるデータに対してベースバンド処理を実施した後、ベースバンド信号を無線周波数回路に出力する。無線周波数回路は、ベースバンド信号に対して無線周波数処理を実施した後、アンテナを使用して無線周波数信号を電磁波の形で送る。データが端末デバイスに送られたときは、無線周波数回路は、アンテナを使用して無線周波数信号を受信し、無線周波数信号をベースバンド信号に変換し、ベースバンド信号をプロセッサに出力する。プロセッサは、ベースバンド信号をデータに変換し、データを処理する。
【０９７０】
記述を容易にするために、図４は１つのメモリおよび１つのプロセッサのみを示していることを、当業者なら理解し得る。実際の端末デバイスは、複数のプロセッサおよび複数のメモリを有することがある。メモリはまた、記憶媒体、記憶デバイスなどと呼ばれることもある。これは本願のこの実施形態では限定されない。
【０９７１】
任意選択の実装では、プロセッサは、ベースバンドプロセッサおよび中央処理装置を含み得る。ベースバンドプロセッサは主に、通信プロトコルおよび通信データを処理するように構成され、中央処理装置は主に、端末デバイス全体を制御し、ソフトウェアプログラムを実行し、ソフトウェアプログラムのデータを処理するように構成される。ベースバンドプロセッサおよび中央処理装置の機能は、図４のプロセッサに統合され得る。ベースバンドプロセッサおよび中央処理装置は、代替として、互いに独立したプロセッサであってよく、バスなどの技術を使用して相互接続されることを、当業者なら理解し得る。端末デバイスは異なる複数のネットワーク規格に適応するために複数のベースバンドプロセッサを備え得ること、端末デバイスは端末デバイスの処理能力を改善するために複数の中央処理装置を備え得ること、および端末デバイスの構成要素は様々なバスを使用して接続され得ることを、当業者なら理解し得る。ベースバンドプロセッサはまた、ベースバンド処理回路またはベースバンド処理チップと表現されることもある。中央処理装置はまた、中央処理回路または中央処理チップと表現されることもある。通信プロトコルおよび通信データを処理する機能は、プロセッサに組み込まれてもよく、またはソフトウェアプログラムの形で記憶ユニットに記憶されてもよい。プロセッサは、ソフトウェアプログラムを実行してベースバンド処理機能を実装する。
【０９７２】
本願のこの実施形態では、トランシーバ機能を有するアンテナ、および制御回路は、端末デバイス４０のトランシーバユニット４０１と考えられ得る。たとえば、トランシーバユニット４０１は、図２において記述された受信機能および送出機能を端末デバイスが実施するのをサポートするように構成される。処理機能を有するプロセッサは、端末デバイス４０の処理ユニット４０２と考えられる。図４に示されるように、端末デバイス４０は、トランシーバユニット４０１および処理ユニット４０２を備える。トランシーバユニットはまた、トランシーバマシン、トランシーバ、トランシーバ装置などと呼ばれることもある。任意選択で、トランシーバユニット４０１中にあり受信機能を実装するように構成された構成要素が、受信ユニットと考えられてもよく、トランシーバユニット４０１中にあり送出機能を実装するように構成された構成要素が、送出ユニットと考えられてもよい。言い換えれば、トランシーバユニット４０１は、受信ユニットおよび送出ユニットを含む。受信ユニットはまた、受信機、入力ポート、受信機回路などと呼ばれることもあり、送出ユニットは、送信機マシン、送信機、送信機回路などと呼ばれることもある。
【０９７３】
プロセッサ４０２は、メモリに記憶された命令を実行し、信号の受信および／または信号の送出のためにトランシーバユニット４０１を制御し、それにより前述の方法実施形態における端末デバイスの機能を完了するように構成され得る。実装では、トランシーバユニット４０１の機能は、トランシーバ回路または専用トランシーバチップを使用して実装され得る。
【０９７４】
図５は、本願の実施形態によるネットワークデバイスの概略構造図であり、たとえば、基地局の概略構造図であり得る。図５に示されるように、基地局は、図１に示されるシステムに適用され得、前述の方法実施形態におけるネットワークデバイスの機能を実装し得る。基地局５０は、リモート無線ユニット（ｒｅｍｏｔｅ  ｒａｄｉｏ  ｕｎｉｔ、ＲＲＵ）５０１など１つまたは複数の無線周波数ユニットと、１つまたは複数のベースバンドユニット（ｂａｓｅｂａｎｄ  ｕｎｉｔ、ＢＢＵ）（ディジタルユニット（ｄｉｇｉｔａｌ  ｕｎｉｔ、ＤＵ）と呼ばれることもある）５０２とを備え得る。ＲＲＵ５０１は、トランシーバユニット、トランシーバ、トランシーバ回路、トランシーバマシンなどと呼ばれることがあり、少なくとも１つのアンテナ５０１１と、無線周波数ユニット５０１２とを備え得る。ＲＲＵ５０１は主に、無線周波数信号を受信および送出し、無線周波数信号とベースバンド信号との間の変換を実施するように構成され、たとえば、前述の実施形態におけるシグナリングメッセージを端末デバイスに送るように構成される。ＢＢＵ５０２は主に、ベースバンド処理の実施および基地局の制御などを行うように構成される。ＲＲＵ５０１およびＢＢＵ５０２は、物理的に共に配置されてもよく、または物理的に別々に配置されてもよく、具体的には分散型基地局に含まれてよい。
【０９７５】
ＢＢＵ５０２は、基地局の制御センタであり、処理ユニットと呼ばれることもあり、主に、ベースバンド処理機能、たとえば、チャネルコーディング、多重化、変調、および拡散を実装するように構成される。たとえば、ＢＢＵ（処理ユニット）５０２は、前述の方法実施形態におけるネットワークデバイスに関係付けられた動作プロシージャを実施するよう基地局を制御するように構成され得る。
【０９７６】
ある場合では、ＢＢＵ５０２は１つまたは複数のボードを備え得、複数のボードが、単一のアクセス技術の無線アクセスネットワーク（たとえば、ＬＴＥネットワーク）を合同でサポートしてもよく、または、異なるアクセス技術の無線アクセスネットワーク（たとえば、ＬＴＥネットワーク、５Ｇネットワーク、もしくは別のネットワーク）を別々にサポートしてもよい。ＢＢＵ５０２はさらに、メモリ５０２１およびプロセッサ５０２２を備え、ここで、メモリ５０２１は、必要な命令およびデータを記憶するように構成される。たとえば、メモリ５０２１は、前述の実施形態におけるコードブックインデックスとプリコーディング行列との対応を記憶する。プロセッサ５０２２は、必要なアクションを実施するよう基地局を制御するように構成される。たとえば、プロセッサ５０２２は、前述の方法実施形態におけるネットワークデバイスに関係付けられた動作プロシージャを実施するよう基地局を制御するように構成される。メモリ５０２１およびプロセッサ５０２２は、１つまたは複数のボードに役立ち得る。言い換えれば、メモリおよびプロセッサが各ボード上に別個に配置されてもよく、または、複数のボードが同じメモリおよび同じプロセッサを共有してもよい。加えて、必要な回路が各ボード上にさらに配置されてもよい。
【０９７７】
図６は、通信装置６００の概略構造図である。装置６００は、前述の方法実施形態で記述された方法を実装するように構成され得る。詳細については、前述の方法実施形態における記述を参照されたい。通信装置６００は、チップ、ネットワークデバイス（たとえば、基地局）、端末デバイス、別のネットワークデバイスなどであり得る。
【０９７８】
通信装置６００は、１つまたは複数のプロセッサ６０１を備える。プロセッサ６０１は、汎用プロセッサ、専用プロセッサなどであり得る。たとえば、プロセッサ６０１は、ベースバンドプロセッサまたは中央処理装置であり得る。ベースバンドプロセッサは、通信プロトコルおよび通信データを処理するように構成され得る。中央処理装置は、通信装置（たとえば、基地局、端末、またはチップ）を制御し、ソフトウェアプログラムを実行し、ソフトウェアプログラムのデータを処理するように構成され得る。通信装置は、信号の入力（受信）および出力（送出）を実装するように構成されたトランシーバユニットを備え得る。たとえば、通信装置はチップであり得、トランシーバユニットは、入力および／もしくは出力回路、またはチップの通信インターフェースであり得る。チップは、端末、基地局、または別のネットワークデバイスによって使用され得る。別の例では、通信装置は、端末、基地局、または別のネットワークデバイスであり得、トランシーバユニットは、トランシーバまたは無線周波数チップであり得る。
【０９７９】
通信装置６００は１つまたは複数のプロセッサ６０１を備え、１つまたは複数のプロセッサ６０１は、図２に示される実施形態におけるネットワークデバイスまたは端末デバイスによって実施される方法を実装し得る。
【０９８０】
可能な設計では、通信装置６００は、ＰＭＩおよびＲＩを生成する手段（ｍｅａｎｓ）と、ＰＭＩおよびＲＩを送る手段（ｍｅａｎｓ）とを備える。ＰＭＩおよびＲＩを生成する手段ならびにＰＭＩおよびＲＩを送る手段の機能は、１つまたは複数のプロセッサを使用して実装され得る。たとえば、ＰＭＩおよびＲＩは、１つまたは複数のプロセッサを使用して生成され得、トランシーバ、入出力回路、またはチップのインターフェースを使用して送られ得る。ＰＭＩおよびＲＩについては、前述の方法実施形態における関連の記述を参照されたい。
【０９８１】
可能な設計では、通信装置６００は、ＰＭＩおよびＲＩを受信する手段（ｍｅａｎｓ）と、プリコーディング行列を決定して信号をプリコーディングする手段（ｍｅａｎｓ）とを備える。ＰＭＩ、ＲＩ、およびどのようにプリコーディング行列を決定するかについては、前述の方法実施形態における関連の記述を参照されたい。たとえば、ＰＭＩおよびＲＩは、トランシーバ、または入出力回路、またはチップのインターフェースを使用して受信され得、プリコーディングされた信号は、トランシーバ、または入出力回路、またはチップのインターフェースを使用して送られ得、プリコーディング行列は、１つまたは複数のプロセッサを使用してＰＭＩおよびＲＩに基づいて決定され、１つまたは複数のプロセッサを使用してＰＭＩおよびＲＩに基づいて信号がプリコーディングされる。
【０９８２】
任意選択で、プロセッサ６０１は、図２に示される実施形態における方法に加えて、別の機能もさらに実装し得る。
【０９８３】
任意選択で、ある設計では、プロセッサ６０１は命令６０３をさらに備え得る。命令はプロセッサ上で実行され得、したがって、通信装置６００は、前述の方法実施形態で記述された方法を実施する。
【０９８４】
別の可能な設計では、通信装置６００は、代替として回路を備え得る。回路は、前述の方法実施形態におけるネットワークデバイスまたは端末デバイスの機能を実装し得る。
【０９８５】
さらに別の可能な設計では、通信装置６００は、１つまたは複数のメモリ６０２を備え得る。１つまたは複数のメモリ６００は、命令６０４を記憶する。命令はプロセッサ上で実行され得、したがって、通信装置６００は、前述の方法実施形態で記述された方法を実施する。任意選択で、メモリはさらにデータを記憶し得る。任意選択で、プロセッサもまた、命令および／またはデータを記憶し得る。たとえば、１つまたは複数のメモリ６０２は、前述の実施形態で記述されたインジケーション情報とプリコーディング行列のタイプとの対応、または前述の実施形態における関連のパラメータや表などを記憶し得る。プロセッサとメモリは、別々に配置されてもよく、または共に統合されてもよい。
【０９８６】
さらに別の可能な設計では、通信装置６００はさらに、トランシーバユニット６０５およびアンテナ６０６を備え得る。プロセッサ６０１は、処理ユニットと呼ばれることがあり、通信装置（端末または基地局）を制御する。トランシーバユニット６０５は、トランシーバ、トランシーバ回路、トランシーバマシンなどと呼ばれることがあり、アンテナ６０６を使用して通信装置のトランシーバ機能を実装するように構成される。
【０９８７】
本願はさらに、前述の１つまたは複数のネットワークデバイスと１つまたは複数の端末デバイスとを含む通信システムを提供する。
【０９８８】
本願の実施形態におけるプロセッサは、中央処理装置（Ｃｅｎｔｒａｌ  Ｐｒｏｃｅｓｓｉｎｇ  Ｕｎｉｔ、ＣＰＵ）であり得、プロセッサはさらに、別の汎用プロセッサ、ディジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ−ｐｒｏｇｒａｍｍａｂｌｅ  ｇａｔｅ  ａｒｒａｙ、ＦＰＧＡ）または別のプログラム可能な論理デバイス、ディスクリートゲートまたはトランジスタ論理デバイス、ディスクリートハードウェア構成要素などであり得ることを理解されたい。汎用プロセッサはマイクロプロセッサであり得、または、プロセッサは任意の従来型プロセッサなどであり得る。
【０９８９】
本願の実施形態におけるメモリは、揮発性メモリもしくは不揮発性メモリであり得、または揮発性メモリと不揮発性メモリの両方を含み得ることを、さらに理解されたい。不揮発性メモリは、読取専用メモリ（ｒｅａｄ−ｏｎｌｙ  ｍｅｍｏｒｙ、ＲＯＭ）、プログラム可能な読取専用メモリ（ｐｒｏｇｒａｍｍａｂｌｅ  ＲＯＭ、ＰＲＯＭ）、消去可能プログラム可能な読取専用メモリ（ｅｒａｓａｂｌｅ  ＰＲＯＭ、ＥＰＲＯＭ）、電気的に消去可能プログラム可能な読取専用メモリ（ｅｌｅｃｔｒｉｃａｌｌｙ  ＥＰＲＯＭ、ＥＥＰＲＯＭ）、またはフラッシュメモリであり得る。揮発性メモリは、外部キャッシュとして使用されるランダムアクセスメモリ（ｒａｎｄｏｍ  ａｃｃｅｓｓ  ｍｅｍｏｒｙ、ＲＡＭ）であり得る。限定的ではなく例示的な記述を通して、多くの形のランダムアクセスメモリ（ｒａｎｄｏｍ  ａｃｃｅｓｓ  ｍｅｍｏｒｙ、ＲＡＭ）が使用され得、これらはたとえば、スタティックランダムアクセスメモリ（ｓｔａｔｉｃ  ＲＡＭ、ＳＲＡＭ）、ダイナミックランダムアクセスメモリ（ＤＲＡＭ）、シンクロナスダイナミックランダムアクセスメモリ（ｓｙｎｃｈｒｏｎｏｕｓ  ＤＲＡＭ、ＳＤＲＡＭ）、ダブルデータレートシンクロナスダイナミックランダムアクセスメモリ（ｄｏｕｂｌｅ  ｄａｔａ  ｒａｔｅ  ＳＤＲＡＭ、ＤＤＲ  ＳＤＲＡＭ）、エンハンストシンクロナスダイナミックランダムアクセスメモリ（ｅｎｈａｎｃｅｄ  ＳＤＲＡＭ、ＥＳＤＲＡＭ）、シンクロナスリンクダイナミックランダムアクセスメモリ（ｓｙｎｃｈｌｉｎｋ  ＤＲＡＭ、ＳＬＤＲＡＭ）、およびダイレクトラムバスランダムアクセスメモリ（ｄｉｒｅｃｔ  ｒａｍｂｕｓ  ＲＡＭ、ＤＲ  ＲＡＭ）である。
【０９９０】
前述の実施形態のすべてまたはいくつかは、ソフトウェア、ハードウェア、ファームウェア、またはこれらの任意の組合せを使用して実装され得る。ソフトウェアを使用して実施形態が実装されるときは、前述の実施形態は、コンピュータプログラム製品の形で完全にまたは部分的に実装され得る。コンピュータプログラム製品は、１つまたは複数のコンピュータ命令またはコンピュータプログラムを含む。
【０９９１】
プログラム命令またはコンピュータプログラムがコンピュータにロードされたときまたはコンピュータ上で実行されたとき、本願の実施形態によるプロシージャまたは機能が、すべてまたは部分的に生成される。
【０９９２】
コンピュータは、汎用コンピュータ、専用コンピュータ、コンピュータネットワーク、または別のプログラム可能な装置であり得る。コンピュータ命令は、コンピュータ可読記憶媒体に記憶され得、またはコンピュータ可読記憶媒体から別のコンピュータ可読記憶媒体に送信され得る。たとえば、コンピュータ命令は、有線（たとえば、赤外線、無線、およびマイクロ波）方式で、ウェブサイト、コンピュータ、サーバ、またはデータセンタから別のウェブサイト、コンピュータ、サーバ、またはデータセンタに送信され得る。コンピュータ可読記憶媒体は、サーバまたはデータセンタなど、１つまたは複数の使用可能媒体を統合するコンピュータまたはデータ記憶デバイスによってアクセス可能な任意の使用可能媒体であり得る。使用可能媒体は、磁気媒体（たとえば、フロッピーディスク、ハードディスク、もしくは磁気テープ）、光学媒体（たとえば、ＤＶＤ）、または半導体媒体であり得る。半導体媒体は、固体ドライブであり得る。
【０９９３】
本明細書における用語「および／または」は、関連付けられたオブジェクトを記述するための関連付け関係のみを記述し、３つの関係が存在し得ることを表すと理解されたい。たとえば、Ａおよび／またはＢは、Ａのみが存在する場合、ＡとＢの両方が存在する場合、およびＢのみが存在する場合、の３つを表し得る。加えて、本明細書における文字「／」は、通常、「および／または」の単純化された形である。
【０９９４】
前述のプロセスの連続番号は、本願の様々な実施形態における実行順序を意味しないことを理解されたい。プロセスの実行順序は、プロセスの機能および内部論理に従って決定されるべきであり、本願の実施形態の実装プロセスに対するどんな限定としても解釈されるべきでない。
【０９９５】
本明細書で開示された実施形態で記述された例と併せてユニットおよびアルゴリズムステップが電子ハードウェアによってまたはコンピュータソフトウェアと電子ハードウェアとの組合せによって実装され得ることは、当業者なら認識し得る。機能がハードウェアによって実施されるかソフトウェアによって実施されるかは、技術的解決法の特定の適用例および設計制約条件に依存する。当業者なら、種々の方法を使用して、記述された機能を特定の適用例ごとに実装し得るが、この実装が本願の範囲を超えると見なされるべきではない。
【０９９６】
当業者には明確に理解され得るが、簡便な記述のために、前述のシステム、装置、およびユニットの詳細な動作プロセスについては、前述の方法実施形態における対応するプロセスを参照されたい。本明細書では詳細について再び記述されることはない。
【０９９７】
本願において提供された、いくつかの実施形態では、開示されたシステム、装置、および方法が他の方式でも実装され得ることを理解されたい。たとえば、記述された装置実施形態は例にすぎない。たとえば、ユニット分割は、論理的な機能分割にすぎず、実際の実装では他の分割でもよい。たとえば、複数のユニットもしくは構成要素が別のシステムに結合もしくは統合されてもよく、またはいくつかの特徴が無視されてもよいかもしくは実施されなくてもよい。加えて、表示または考察された相互結合または直接的な結合もしくは通信接続は、いくつかのインターフェースを使用して実装されてもよい。装置またはユニット間の間接的な結合または通信接続は、電子的な形、機械的な形、または他の形で実装され得る。
【０９９８】
別々の部分として記述されたユニットは、物理的に別々であってもそうでなくてもよく、ユニットとして表示された部分は、物理的なユニットであってもそうでなくてもよく、１箇所に位置してもよく複数のネットワークユニット上に分散されてもよい。ユニットのいくつかまたはすべては、実施形態の解決法の目的を達成するための実際の要件に基づいて選択され得る。
【０９９９】
加えて、本願の実施形態における機能ユニットは、１つの処理ユニットに統合されてもよく、または各ユニットが物理的に単独で存在してもよく、または２つ以上のユニットが１つのユニットに統合される。
【１０００】
機能がソフトウェア機能ユニットの形で実装され、独立した製品として販売または使用されるときは、機能はコンピュータ可読記憶媒体に記憶され得る。このような理解に基づき、本願の技術的解決法は本質的に、または従来技術に寄与する部分は、または技術的解決法のいくつかは、ソフトウェア製品の形で実装され得る。コンピュータソフトウェア製品は、記憶媒体に記憶され、本願の実施形態で記述された方法のステップのすべてまたはいくつかを実施するようコンピュータデバイス（パーソナルコンピュータ、サーバ、またはネットワークデバイスであり得る）に命令するためのいくつかの命令を含む。前述の記憶媒体は、ＵＳＢフラッシュドライブ、取外し可能ハードディスク、読取専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光学ディスクなど、プログラムコードを記憶できる任意の媒体を含む。
【１００１】
前述の記述は、本願の具体的な実装にすぎず、本願の保護範囲を限定するよう意図されたものではない。本願で開示された技術範囲内で当業者によってすぐに理解されるどんな変形または置換も、本願の保護範囲内に入るものとする。したがって、本願の保護範囲は、請求項の保護範囲によって決まるものとする。
【図１】
2021503239.tif 000410
【図２】
2021503239.tif 000411
【図３】
2021503239.tif 000412
【図４】
2021503239.tif 000413
【図５】
2021503239.tif 000414
【図６】
2021503239.tif 000415
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
通信方法であって、
上位レイヤシグナリングを通じて第１のインジケーション情報を受信するステップであって、前記第１のインジケーション情報は、使用可能なコードブックサブセットを示す、ステップと、
ダウンリンク制御情報を受信するステップと、
前記ダウンリンク制御情報から得られる送信プリコーディング行列インジケータ（ＴＰＭＩ）および送信ランクに対応するプリコーディング行列を決定するステップであって、前記プリコーディング行列は、前記第１のインジケーション情報によって示される前記使用可能なコードブックサブセットに属する、ステップと、
前記決定されたプリコーディング行列に基づいて信号をプリコーディングするステップと、
前記プリコーディングされた信号をネットワークデバイスに送るステップとを含み、
前記コードブックサブセットは、第１のコードブックサブセット、第２のコードブックサブセット、または第３のコードブックサブセットであり、前記第１のコードブックサブセットは、第１のタイプのプリコーディング行列を含み、前記第２のコードブックサブセットは、前記第１のタイプのプリコーディング行列および第２のタイプのプリコーディング行列を含み、前記第３のコードブックサブセットは、前記第１のタイプのプリコーディング行列および前記第２のタイプのプリコーディング行列および第３のタイプのプリコーディング行列を含み、
前記第１のタイプのプリコーディング行列は、非コヒーレントプリコーディングであり、前記第２のタイプのプリコーディング行列は、部分的なコヒーレントプリコーディングであり、前記第３のタイプの行列は、コヒーレントプリコーディングである、方法。
【請求項２】
通信方法であって、
上位レイヤシグナリングを通じて、第１のインジケーション情報を端末デバイスに送るステップであって、前記第１のインジケーション情報は、使用可能なコードブックサブセットを示す、ステップと、
ダウンリンク制御情報を前記端末デバイスに送るステップと、
プリコーディングされた信号を前記端末デバイスから受信するステップであって、前記プリコーディングされた信号は、前記ダウンリンク制御情報によって搬送される送信プリコーディング行列インジケータ（ＴＰＭＩ）および送信ランクに対応するプリコーディング行列に対応し、前記プリコーディング行列は、前記第１のインジケーション情報によって示される前記使用可能なコードブックサブセットに属する、ステップとを含み、
前記コードブックサブセットは、第１のコードブックサブセット、第２のコードブックサブセット、または第３のコードブックサブセットであり、前記第１のコードブックサブセットは、第１のタイプのプリコーディング行列を含み、前記第２のコードブックサブセットは、前記第１のタイプのプリコーディング行列および第２のタイプのプリコーディング行列を含み、前記第３のコードブックサブセットは、前記第１のタイプのプリコーディング行列および前記第２のタイプのプリコーディング行列および第３のタイプのプリコーディング行列を含み、
前記第１のタイプのプリコーディング行列は、非コヒーレントプリコーディングであり、前記第２のタイプのプリコーディング行列は、部分的なコヒーレントプリコーディングであり、前記第３のタイプのプリコーディング行列は、コヒーレントプリコーディングである、方法。
【請求項３】
前記第１のタイプのプリコーディング行列内の任意の行列の各列ベクトルは、１つだけの非ゼロ要素を含み、いずれか２つの列ベクトル内の非ゼロ要素は、異なる行内に位置し、前記第２のタイプのプリコーディング行列内の任意の行列の少なくとも１つの列ベクトルは、少なくとも１つのゼロ要素および少なくとも２つの非ゼロ要素を含み、前記第３のタイプのプリコーディング行列内の任意の行列内の各要素は、非ゼロ要素であり、前記第３のタイプのプリコーディング行列内の任意の行列のいずれか２つの列ベクトルは、送信ランクが１より大きいとき互いに直交する請求項１または２に記載の方法。
【請求項４】
前記第１のインジケーション情報は、１つのインジケーションフィールドを含み、前記インジケーションフィールドの第１の値は、前記第１のコードブックサブセットを示し、前記インジケーションフィールドの第２の値は、前記第２のコードブックサブセットを示し、前記インジケーションフィールドの第３の値は、前記第３のコードブックサブセットを示す請求項１乃至３のいずれか一項に記載の方法。
【請求項５】
異なる使用可能なコードブックサブセットのためのコードブックインデックスのビット数は、異なっており、前記コードブックインデックスは、前記ダウンリンク制御情報内で搬送される請求項１乃至４のいずれか一項に記載の方法。
【請求項６】
前記第１のコードブックサブセットのためのコードブックインデックスのビット数は、前記第３のコードブックサブセットのためのコードブックインデックスのものより小さい請求項５に記載の方法。
【請求項７】
前記第２のコードブックサブセットのためのコードブックインデックスのビット数は、前記第３のコードブックサブセットのためのコードブックインデックスのものより小さい請求項５に記載の方法。
【請求項８】
前記第１のタイプのプリコーディング行列は、
【数１】
2021503239.tif 000416
または
Ｗ1との行および／もしくは列変換関係を有する行列、の少なくとも１つを含む請求項１乃至７のいずれか一項に記載の方法。
【請求項９】
前記第１のタイプのプリコーディング行列は、
【数２】
2021503239.tif 000417
または
Ｗ4との行および／もしくは列変換関係を有する行列、の少なくとも１つを含む請求項１乃至８のいずれか一項に記載の方法。
【請求項１０】
前記第２のタイプのプリコーディング行列は、
【数３】
2021503239.tif 000418
または
Ｗ11との行および／もしくは列変換関係を有する行列、の少なくとも１つを含み、
φ1∈｛１，−１，ｊ，−ｊ｝、φ2∈｛１，−１，ｊ，−ｊ｝であり、ｊは虚数単位である請求項１乃至９のいずれか一項に記載の方法。
【請求項１１】
メモリと結合されたプロセッサを含む通信装置であって、前記プロセッサは、前記メモリ内に記憶された命令を実行し、前記装置に請求項１および請求項３乃至１０のいずれか一項に記載の方法を実施させるように構成される、装置。
【請求項１２】
メモリと結合されたプロセッサを含む通信装置であって、前記プロセッサは、前記メモリ内に記憶された命令を実行し、前記装置に請求項２乃至１０のいずれか一項に記載の方法を実施させるように構成される、装置。
【請求項１３】
プロセッサによって実行されたとき、前記プロセッサを含む装置に請求項１および請求項３乃至１０のいずれか一項に記載の方法を実施させる命令を含む非一時的な可読記憶媒体。
【請求項１４】
プロセッサによって実行されたとき、前記プロセッサを含む装置に請求項２乃至１０のいずれか一項に記載の方法を実施させる命令を含む非一時的な可読記憶媒体。
【請求項１５】
プロセッサによって実行されたとき、前記プロセッサを含む装置に請求項１および請求項３乃至１０のいずれか一項に記載の方法を実施させるプログラム。
【請求項１６】
プロセッサによって実行されたとき、前記プロセッサを含む装置に請求項２乃至１０のいずれか一項に記載の方法を実施させるプログラム。
【手続補正２】
【補正対象書類名】明細書
【補正対象項目名】０１４２
【補正方法】変更
【補正の内容】
【０１４２】
任意選択で、第３のタイプのプリコーディング行列内のプリコーディング行列は、ＷMおよび
【手続補正３】
【補正対象書類名】明細書
【補正対象項目名】０１５１
【補正方法】変更
【補正の内容】
【０１５１】
本願の実施形態の技術的解決策は、グローバル移動体通信システム（Ｇｌｏｂａｌ  Ｓｙｓｔｅｍ  ｆｏｒ  Ｍｏｂｉｌｅ  ｃｏｍｍｕｎｉｃａｔｉｏｎｓ、ＧＳＭ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割二重（Ｆｒｅｑｕｅｎｃｙ  Ｄｉｖｉｓｉｏｎ  Ｄｕｐｌｅｘ、ＦＤＤ）システム、ＬＴＥ時分割二重（Ｔｉｍｅ  Ｄｉｖｉｓｉｏｎ  Ｄｕｐｌｅｘ、ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、将来の第５世代（５ｔｈ  Ｇｅｎｅｒａｔｉｏｎ、５Ｇ）システム、新無線アクセス技術（ｎｅｗ  ｒａｄｉｏ  ａｃｃｅｓｓ  ｔｅｃｈｎｏｌｏｇｙ、ＮＲ）など様々な通信システムに適用され得る。
【手続補正４】
【補正対象書類名】明細書
【補正対象項目名】０１５５
【補正方法】変更
【補正の内容】
【０１５５】
いくつかの展開では、ｇＮＢは、集約ユニット（ｃｅｎｔｒａｌｉｚｅｄ  ｕｎｉｔ、ＣＵ）およびＤＵを含み得る。ｇＮＢは、無線周波数ユニット（ｒａｄｉｏ  ｕｎｉｔ、ＲＵ）をさらに含み得る。ＣＵは、ｇＮＢの機能の一部を実装し、ＤＵは、ｇＮＢの機能の一部を実装する。たとえば、ＣＵは、無線リソース制御（ｒａｄｉｏ  ｒｅｓｏｕｒｃｅ  ｃｏｎｔｒｏｌ、ＲＲＣ）レイヤおよびパケットデータ収束プロトコル（ｐａｃｋｅｔ  ｄａｔａ  ｃｏｎｖｅｒｇｅｎｃｅ  ｐｒｏｔｏｃｏｌ、ＰＤＣＰ）レイヤの機能を実装し、ＤＵは、無線リンク制御（ｒａｄｉｏ  ｌｉｎｋ  ｃｏｎｔｒｏｌ、ＲＬＣ）レイヤ、メディアアクセス制御（ｍｅｄｉａ  ａｃｃｅｓｓ  ｃｏｎｔｒｏｌ、ＭＡＣ）レイヤ、および物理（ｐｈｙｓｉｃａｌ、ＰＨＹ）レイヤの機能を実装する。ＲＲＣレイヤにおける情報は、最終的にＰＨＹレイヤでの情報になり得、またはＰＨＹレイヤでの情報から変換され得る。したがって、このアーキテクチャでは、ＲＲＣレイヤシグナリングまたはＰＤＣＰレイヤシグナリングなど上位レイヤシグナリングもまた、ＤＵによって送られる、またはＤＵおよびＲＵによって送られるものと考えられ得る。ネットワークデバイスは、ＣＵノード、ＤＵノード、またはＣＵノードおよびＤＵノードを含むデバイスであってよいことが理解され得る。さらに、ＣＵは、アクセスネットワークＲＡＮ内のネットワークデバイスに分類され得、またはＣＵは、コアネットワークＣＮ内のネットワークデバイスに分類され得る。これは、本明細書において限定されない。
【手続補正５】
【補正対象書類名】明細書
【補正対象項目名】０１９２
【補正方法】変更
【補正の内容】
【０１９２】
第３のタイプのプリコーディング行列内の任意の行列は、各要素が、非ゼロ要素であり、同じ行列内のいずれか２つの列ベクトルが、互いに直交することを満たし得る。第３のタイプのプリコーディング行列は、コヒーレント送信を実施するために端末デバイスによって使用され得る。
【手続補正６】
【補正対象書類名】明細書
【補正対象項目名】０３１６
【補正方法】変更
【補正の内容】
【０３１６】
上記に列挙されたプリコーディング行列は、説明のための単なる例にすぎず、本願に対するいかなる限定も構成するべきでないことが理解されるべきである。第１のタイプのプリコーディング行列において、４のランクを有するプリコーディング行列は、前述の例のうちの少なくとも１つを含んでよく、または、前述の例と異なる、前述の例のうちの任意の１つとの行および／もしくは列変換関係を有する行列を含んでよい。
【手続補正７】
【補正対象書類名】明細書
【補正対象項目名】０３５５
【補正方法】変更
【補正の内容】
【０３５５】
限定ではなく、例として、Ｗ8との行および／または列変換関係を有する行列は、
【手続補正８】
【補正対象書類名】明細書
【補正対象項目名】０６１０
【補正方法】変更
【補正の内容】
【０６１０】
、又は
Ｗ10との行および／または列変換関係を有する行列
のうちの少なくとも１つを満たす。
【手続補正９】
【補正対象書類名】明細書
【補正対象項目名】０６１１
【補正方法】変更
【補正の内容】
【０６１１】
Ｈ2は係数行列であり、または、Ｈ2は、正規化係数行列、つまり、正規化係数を含む行列であり、各アンテナポートまたはストリームの電力を調整するために使用され得る。
【手続補正１０】
【補正対象書類名】明細書
【補正対象項目名】０６１７
【補正方法】変更
【補正の内容】
【０６１７】
同じアンテナポートグループ内の各アンテナポートの電力を平衡させるために、各アンテナポートに割り当てられる電力は、正規化係数行列を使用することによって調整され得る。たとえば、Ｈ2における各係数の２乗が前述の式内へ置換された後、すべてのアンテナポートの電力の取得される和は１未満であり、各アンテナポートグループ内のアンテナポートに割り当てられる電力は同じである。
【手続補正１１】
【補正対象書類名】明細書
【補正対象項目名】０８３３
【補正方法】変更
【補正の内容】
【０８３３】
加えて、ランク１、２、および３のプリコーディング行列の構造は、ランク４のプリコーディング行列の構造中の任意の１つの列、２つの列、または３つの列を別々に含み得、ランク１、２、又は３のプリコーディング行列は、ランク１、２、および３のプリコーディング行列の構造に１つの正規化係数を掛けることによって別々に得られてよい。たとえば、正規化係数は
【手続補正１２】
【補正対象書類名】明細書
【補正対象項目名】０９０１
【補正方法】変更
【補正の内容】
【０９０１】
ネットワークデバイスは、インジケーション情報＃１（すなわち、第１のインジケーション情報の例）、第６のインジケーション情報、およびＲＩを送る。ここで、インジケーション情報＃１は、利用可能なコードブックサブセットを示すために使用され、ＲＩは、ターゲットプリコーディング行列のランクを示すために使用され、第６のインジケーション情報は、インジケーション情報＃１によって示される利用可能なコードブックサブセット内にあり、ＲＩによって示されるランクに対応するコードブック内にある、ターゲットプリコーディング行列を示すために使用される。
【手続補正１３】
【補正対象書類名】明細書
【補正対象項目名】０９４１
【補正方法】変更
【補正の内容】
【０９４１】
これに対応して、方式４では、端末デバイスは、インジケーション情報＃２、第６のインジケーション情報、およびＲＩを受信し、インジケーション情報＃２、第６のインジケーション情報、およびＲＩに基づいてターゲットプリコーディング行列を決定する。
【手続補正１４】
【補正対象書類名】明細書
【補正対象項目名】０９５９
【補正方法】変更
【補正の内容】
【０９５９】
前述の可能な実装に基づき、上に列挙された第４のインジケーション情報から第６のインジケーション情報がＰＭＩであってよいことが知られ得る。しかし、異なる実装では、ＰＭＩによって示される内容は異なり得、異なる実装でＰＭＩによって示される情報は、上の関連の記述を参照して決定され得る。簡潔にするために、本明細書では詳細について再び記述されることはない。言い換えれば、ネットワークデバイスは、１つまたは複数のＰＭＩを端末に送り得る。ＰＭＩの数は本願において限定されない。
【手続補正１５】
【補正対象書類名】明細書
【補正対象項目名】０９８５
【補正方法】変更
【補正の内容】
【０９８５】
さらに別の可能な設計では、通信装置６００は、１つまたは複数のメモリ６０２を備え得る。１つまたは複数のメモリ６０２は、命令６０４を記憶する。命令はプロセッサ上で実行され得、したがって、通信装置６００は、前述の方法実施形態で記述された方法を実施する。任意選択で、メモリはさらにデータを記憶し得る。任意選択で、プロセッサもまた、命令および／またはデータを記憶し得る。たとえば、１つまたは複数のメモリ６０２は、前述の実施形態で記述されたインジケーション情報とプリコーディング行列のタイプとの対応、または前述の実施形態における関連のパラメータや表などを記憶し得る。プロセッサとメモリは、別々に配置されてもよく、または共に統合されてもよい。
【国際調査報告】
2021503239.tif 000419
2021503239.tif 000420
2021503239.tif 000421
2021503239.tif 000422